(57)【要約】【課題】  印刷システムの印刷動作を無駄に停止させずに印刷物の確認を行うことができる使い勝手の良い印刷環境を構築すること。【解決手段】  印刷装置による第１の印刷処理の実行中にユーザインタフェース手段を介してオペレータから確認処理の実行要求を受付可能にする操作の制御手段と、実行要求を受け付けた場合に、第１の印刷処理の完了に先立ち確認処理として第１の印刷処理で要する印刷データを用いた第２の印刷処理を印刷装置により実行可能にし、第２の印刷処理の実行後に第１の印刷処理を印刷装置により継続可能にする印刷の制御手段とを有することを特徴とする。【選択図】  図１３Ｄ
2015163472.tif 000002
【特許請求の範囲】
【請求項１】
印刷装置による第１の印刷処理の実行中にユーザインタフェース手段を介してオペレータから確認処理の実行要求を受付可能にする操作の制御手段と、
前記実行要求を受け付けた場合に、前記第１の印刷処理の完了に先立ち前記確認処理として前記第１の印刷処理で要する印刷データを用いた第２の印刷処理を前記印刷装置により実行可能にし、前記第２の印刷処理の実行後に前記第１の印刷処理を前記印刷装置により継続可能にする印刷の制御手段と
を有することを特徴とする印刷システム。
【発明の詳細な説明】
【技術分野】
【０００１】
本発明は、印刷システムに関するものである。
【背景技術】
【０００２】
従来の印刷業界では、種々の作業工程を踏んで出版物の発行が行われている。例えば、原稿の入稿、この原稿へのデザインの付与、レイアウト編集、カンプ（印刷によるプレゼンテーション）、校正（レイアウト修正や色修正）、校正刷り（プルーフ印刷）、版下作成、印刷、後処理加工、発送等がある。
【０００３】
従来の印刷業界では、印刷工程においてオフセット製版印刷機が用いられていたため、版下作成工程が必要であった。しかしながら、版下作成は一度行うとその修正が容易ではないため、修正を行う場合、コストがかかってしまう。従って、版下作成にあたっては、入念な校正（即ち、入念なレイアウトのチェックや色の確認作業）が必須となる。このため、出版物の発行までに時間がかかっていた。
【０００４】
また、各作業工程において利用される装置は大掛かりなものが多く専門知識が必要であるため、熟練者のノウハウが不可欠であった。
【０００５】
このような状況に対し、近年では、電子写真方式の印刷装置やインクジェット方式の印刷装置を利用したＰＯＤ（Ｐｒｉｎｔ  Ｏｎ  Ｄｅｍａｎｄ）印刷システムが提案されている（特許文献１、２参照）。
【０００６】
このようなＰＯＤ印刷システムにより、上述したような版下作成や、その他複雑な作業が不要になる。
【先行技術文献】
【特許文献】
【０００７】
【特許文献１】特開２００４−３１０７４６号公報
【特許文献２】特開２００４−３１０７４７号公報
【発明の概要】
【発明が解決しようとする課題】
【０００８】
しかしながら、このようなＰＯＤ印刷システムの製品実用化を目指すことを想定してみると、まだまだ検討の余地が残されていると考える。
【０００９】
たとえば、上述したようなＰＯＤ印刷システムを印刷業者などが利用するケースを想定してみる。このような印刷環境では、顧客が満足する印刷物を可能な限り大量に効率良く且つ短期間で作成できるようにすることが重要視される。
【００１０】
また、このような印刷環境では、顧客が満足する印刷物を印刷システムにより出力されているか否かの確認を印刷現場のオペレータが行いたいといったニーズが予想される。その一方で、印刷システムの印刷動作を無駄に止めずに連続運転させたいといったニーズが予想される。
【００１１】
これらの状況を鑑みると、印刷システムの印刷動作を無駄に停止させずに、上述のような印刷物の確認を行うことができるようにして欲しいといったニーズが今後発生しうる。しかしながら、そもそもこのようなニーズが発生していないこともあって、何ら具体的提案に至っていない。
【００１２】
本発明は以上の問題に鑑みてなされたものであり、印刷システムの印刷動作を無駄に停止させずに印刷物の確認を行うことができる使い勝手の良い印刷環境を構築することを目的とする。
【課題を解決するための手段】
【００１３】
本発明の目的を達成するために、例えば、本発明の印刷システムは以下の構成を備える。
【００１４】
即ち、印刷装置による第１の印刷処理の実行中にユーザインタフェース手段を介してオペレータから確認処理の実行要求を受付可能にする操作の制御手段と、
前記実行要求を受け付けた場合に、前記第１の印刷処理の完了に先立ち前記確認処理として前記第１の印刷処理で要する印刷データを用いた第２の印刷処理を前記印刷装置により実行可能にし、前記第２の印刷処理の実行後に前記第１の印刷処理を前記印刷装置により継続可能にする印刷の制御手段と
を有することを特徴とする。
【発明の効果】
【００１５】
本発明によれば、印刷システムの印刷動作を無駄に停止させずに印刷物の確認を行うことができる使い勝手の良い印刷環境が構築できる。
【図面の簡単な説明】
【００１６】
【図１】ＰＯＤシステム１００００の全体を説明する為の図である。
【図２】印刷システム１０００の内部構成例を説明する為の図である。
【図３】印刷システム１０００の構成例を説明する為の図である。
【図４】大容量スタッカの内部構成例を示す図である。
【図５】糊付け製本機の内部構成例を示す図である。
【図６】中綴じ製本機の内部構成例を示す図である。
【図７】操作部２０４の１例を示す図である。
【図８】ユーザインタフェース画面の１例を示す図である。
【図９】ユーザインタフェース画面の１例を示す図である。
【図１０】ユーザインタフェース画面の１例を示す図である。
【図１１Ａ】操作部２０４に係る制御例を説明するための図である。
【図１１Ｂ】操作部２０４に係る制御例を説明するための図である。
【図１１Ｃ】操作部２０４に係る制御例を説明するための図である。
【図１１Ｄ】操作部２０４に係る制御例を説明するための図である。
【図１１Ｅ】操作部２０４に係る制御例を説明するための図である。
【図１２Ａ】印刷システム１０００に係る制御例を説明するための図である。
【図１２Ｂ】印刷システム１０００に係る制御例を説明するための図である。
【図１３Ａ】操作部２０４に係る制御例を説明するための図である。
【図１３Ｂ】操作部２０４に係る制御例を説明するための図である。
【図１３Ｃ】操作部２０４に係る制御例を説明するための図である。
【図１３Ｄ】操作部２０４に係る制御例を説明するための図である。
【図１３Ｅ】操作部２０４に係る制御例を説明するための図である。
【図１３Ｆ】操作部２０４に係る制御例を説明するための図である。
【図１４Ａ】操作部２０４に係る制御例を説明するための図である。
【図１４Ｂ】操作部２０４に係る制御例を説明するための図である。
【図１４Ｃ】操作部２０４に係る制御例を説明するための図である。
【図１４Ｄ】操作部２０４に係る制御例を説明するための図である。
【図１４Ｅ】操作部２０４に係る制御例を説明するための図である。
【図１４Ｆ】操作部２０４に係る制御例を説明するための図である。
【図１４Ｇ】操作部２０４に係る制御例を説明するための図である。
【図１４Ｈ】操作部２０４に係る制御例を説明するための図である。
【図１５】操作部２０４に係る制御例を説明するための図である。
【図１６】本発明の実施形態の制御例を説明するためのフローチャートである。
【図１７】本発明の実施形態の制御例を説明するためのフローチャートである。
【図１８】本発明の実施形態の制御例を説明するためのフローチャートである。
【図１９】本発明の実施形態の制御例を説明するためのフローチャートである。
【図２０】印刷システム１０００に係る制御例を説明するための図である。
【図２１】印刷システム１０００に係る制御例を説明するための図である。
【図２２】印刷システム１０００に係る制御例を説明するための図である。
【図２３Ａ】操作部２０４に係る制御例を説明するための図である。
【図２３Ｂ】操作部２０４に係る制御例を説明するための図である。
【図２３Ｃ】操作部２０４に係る制御例を説明するための図である。
【図２３Ｄ】操作部２０４に係る制御例を説明するための図である。
【図２３Ｅ】操作部２０４に係る制御例を説明するための図である。
【図２４】操作部２０４に係る制御例を説明するための図である。
【図２５】操作部２０４に係る制御例を説明するための図である。
【図２６】操作部２０４に係る制御例を説明するための図である。
【図２７】印刷システム１０００に係る制御例を説明するための図である。
【図２８】印刷システム１０００に係る制御例を説明するための図である。
【図２９】印刷システム１０００に係る制御例を説明するための図である。
【図３０】印刷システム１０００に係る制御例を説明するための図である。
【発明を実施するための形態】
【００１７】
以下添付図面を参照して、本発明を好適な実施形態に従って詳細に説明する。
【００１８】
［第１の実施形態］
図１のＰＯＤシステム１００００は、印刷システム１０００、スキャナ１０２、サーバコンピュータ１０３（ＰＣ１０３）、クライアントコンピュータ１０４（ＰＣ１０４）を有し、それらはネットワーク１０１を介して接続されている。また、ＰＯＤシステム１００００は、紙折り機１０７、断裁機１０９、中綴じ製本機１１０、くるみ製本機１０８等を有する。
【００１９】
印刷システム１０００は、印刷装置１００とシート処理装置２００とを有する。なお、本実施形態では、印刷装置１００として、コピー機能及びプリンタ機能等、複数の機能を有するＭＦＰ（Ｍｕｌｔｉ  Ｆｕｎｃｔｉｏｎ  Ｐｅｒｉｐｈｅｒａｌ）を例に取り説明する。しかしながら、印刷装置１００は、コピー機能のみ、あるいは、プリンタ機能のみの単一機能型の印刷装置であっても良い。
【００２０】
ＰＣ１０３は、ネットワーク１０１に接続された各種装置とのデータの送受信を管理する。ＰＣ１０４は、ネットワーク１０１を介して、画像データを印刷装置１００やＰＣ１０３に送信する。また、紙折り機１０７は、印刷装置１００で印刷されたシートの折り処理を行う。くるみ製本機１０８は、印刷装置１００で印刷されたシートに対するくるみ製本処理を行う。断裁機１０９は、複数枚のシートからなるシート束毎に、印刷装置１００で印刷されたシートの断裁処理を行う。中綴じ製本機１１０は、印刷装置１００で印刷されたシートに対する中綴じ製本処理を行う。
【００２１】
紙折り機１０７、くるみ製本機１０８、断裁機１０９、中綴じ製本機１１０を利用する場合、ユーザは印刷装置１００で印刷されたシートを印刷システム１０００から取り出し、利用する装置にセットし、その装置によって処理を実行させる。また、図１のＰＯＤシステム１００００が有する複数の装置のうち、中綴じ製本機１１０以外の装置は、ネットワーク１０１に接続されており、互いに他装置とデータ通信可能に構成されている。
【００２２】
次に、印刷システム１０００の構成について、図２のシステムブロック図を用いて説明する。
【００２３】
印刷システム１０００に含まれる図２に示す各ユニットのうちのシート処理装置２００以外のユニットは、印刷装置１００に含まれる。印刷装置１００には、任意の台数のシート処理装置２００を接続することができる。
【００２４】
印刷システム１０００は、印刷装置１００で印刷されたシートに対するシート処理を、印刷装置１００に接続されたシート処理装置２００により実行できるように構成されている。ただし、シート処理装置２００を接続せずに印刷装置１００のみで印刷システム１０００を構成することも可能である。
【００２５】
シート処理装置２００は、印刷装置１００と通信可能に構成され、印刷装置１００からの指示を受け、後述するようなシート処理を実行することができる。スキャナ部２０１は、原稿上の画像を読み取り、これを画像データに変換し、他のユニットに転送する。外部Ｉ／Ｆ２０２は、ネットワーク１０１に接続された他の装置との間でデータの送受信を行う。プリンタ部２０３は、入力された画像データに基づく画像をシート上に印刷する。操作部２０４は、後述するハードキー入力部（キー入力部）４０２や、タッチパネル部４０１を有し、それらを介してユーザからの指示を受付ける。また、操作部２０４は、操作部２０４が有するタッチパネルに各種表示を行う。
【００２６】
制御部２０５は、印刷システム１０００が有する各種ユニットの処理や動作等を統括的に制御する。即ち、印刷装置１００及び印刷装置１００に接続されたシート処理装置２００の動作も制御する。ＲＯＭ２０７は、制御部２０５によって実行される各種コンピュータプログラムを記憶する。例えば、ＲＯＭ２０７は、後述するフローチャートの各種処理を制御部２０５に実行させる為のプログラムや、後述する各種設定画面を表示するために必要な表示制御プログラムを記憶する。また、ＲＯＭ２０７は、ＰＣ１０３やＰＣ１０４等から受信したＰＤＬ（ページ記述言語）コードデータを、制御部２０５が解釈し、ラスタイメージデータに展開する動作を実行するためのプログラムを記憶する。他にも、ＲＯＭ２０７は、ブートシーケンスやフォント情報等を記憶する。ＲＡＭ２０８は、スキャナ部２０１や外部Ｉ／Ｆ２０２から送られてきた画像データや、ＲＯＭ２０７からロードされた各種プログラム、設定情報を記憶する。またＲＡＭ２０８は、シート処理装置２００に関する情報（印刷装置１００に接続されたシート処理装置２００の台数（０からｎ台）と、各シート処理装置２００の機能に関する情報、また、各シート処理装置２００の接続順序等）を記憶する。
【００２７】
ＨＤＤ（ハードディスクドライブ）２０９は、ハードディスクとハードディスクへのデータの読み書きを行う駆動部等で構成される。ＨＤＤ２０９は、スキャナ部２０１や外部Ｉ／Ｆ２０２から入力され、圧縮伸張部２１０によって圧縮された画像データを記憶する為の大容量の記憶装置である。制御部２０５は、ユーザからの指示に基づいて、ＨＤＤ２０９に格納された画像データをプリンタ部２０３によって印刷することができる。また、制御部２０５は、ユーザからの指示に基づいて、ＨＤＤ２０９に格納された画像データを、外部Ｉ／Ｆ２０２を介してＰＣ１０３等の外部装置へ送信することもできる。
【００２８】
圧縮伸張部２１０は、ＪＢＩＧやＪＰＥＧ等といった各種圧縮方式によってＲＡＭ２０８、ＨＤＤ２０９に記憶されている画像データ等の圧縮・伸張動作を行う。
【００２９】
次に、印刷システム１０００の構成について、図３を用いて説明する。図３は、印刷装置１００と印刷装置１００に接続されたシート処理装置２００の断面図である。
【００３０】
自動原稿搬送装置（ＡＤＦ）３０１は、原稿トレイの積載面にセットされた原稿束を１頁目の原稿から、ページ順に、順番に分離して、スキャナ３０２によって原稿走査するために原稿台ガラス上へ搬送する。
【００３１】
スキャナ３０２は、原稿台ガラス上に搬送された原稿の画像を読み取り、ＣＣＤによって画像データに変換する。回転多面鏡（ポリゴンミラー等）３０３は、画像データに応じて変調された、例えばレーザ光などの光線を入射させ、反射ミラーを介して反射走査光として感光ドラム３０４に照射する。感光ドラム３０４上にレーザ光によって形成された潜像はトナーによって現像され、転写ドラム３０５上に貼り付けられたシート材に対してトナー像を転写する。この一連の画像形成プロセスをイエロー（Ｙ）、マゼンタ（Ｍ）、シアン（Ｃ）、ブラック（Ｋ）のトナーに対して順次実行することによりフルカラー画像が形成される。４回の画像形成プロセスの後に、フルカラー画像形成された転写ドラム３０５上のシート材は、分離爪３０６によって分離され、定着前搬送器３０７によって定着器３０８へ搬送される。定着器３０８は、ローラやベルトの組合せによって構成され、ハロゲンヒータなどの熱源を内蔵し、トナー像が転写されたシート材上のトナーを、熱と圧力によって溶解、定着させる。排紙フラッパ３０９は、揺動軸を中心に揺動可能に構成され、シート材の搬送方向を規定する。排紙フラッパ３０９が図中時計回りの方向に揺動しているときには、シート材は真直ぐに搬送され、排紙ローラ３１０によって機外へ排出される。
【００３２】
制御部２０５は、以上のような一連のシーケンスによって、片面印刷を実行するように印刷装置１００を制御する。
【００３３】
一方、シート材の両面に画像を形成する場合には、排紙フラッパ３０９が図中反時計回りの方向に揺動し、シート材は下方向に進路を変更され両面搬送部へと送り込まれる。両面搬送部は、反転フラッパ３１１、反転ローラ３１２、反転ガイド３１３および両面トレイ３１４を備える。反転フラッパ３１１は、揺動軸を中心に揺動し、シート材の搬送方向を規定する。制御部２０５は、両面印刷ジョブを処理する場合、プリンタ部２０３でシートの第１面にプリント済みのシートを、反転フラッパ３１１を図中反時計回りの方向に揺動し、反転ローラ３１２を介して、反転ガイド３１３へと送り込むよう制御する。そして、シート材後端が反転ローラ３１２に狭持された状態で反転ローラ３１２を一旦停止させ、引き続き反転フラッパ３１１が図中時計回りの方向に揺動させる。且つ、反転ローラ３１２を逆方向に回転させる。これにより、シートスイッチバックして搬送させ、シートの後端と先端が入れ替わった状態で、このシートを両面トレイ３１４へと導くよう制御する。両面トレイ３１４ではシート材を一旦積載し、その後、再給紙ローラ３１５によってシート材は再びレジストローラ３１６へと送り込まれる。このときシート材は、１面目の転写工程とは反対の面が感光ドラムと対向する側になって送られてきている。そして、先述したプロセスと同様にしてシートの第２面に対して２面目の画像を形成させる。そして、シート材の両面に画像が形成され、定着工程を経て排紙ローラ３１０を介して印刷装置１００本体内部から機外へとシートを排出させる。制御部２０５は、以上のような一連のシーケンスによって、両面印刷を実行するように印刷装置１００を制御する。
【００３４】
また、印刷装置１００は、印刷処理に要するシートを収納する給紙部を有する。給紙部には、給紙カセット３１７、３１８（例えば、それぞれ５００枚のシートを収容可能）、給紙デッキ３１９（例えば、５０００枚のシートを収納可能）、手差しトレイ３２０等がある。給紙カセット３１７、３１８、給紙デッキ３１９は、サイズや材質の異なる各種シートを、給紙部ごとに区別してセットできる。また、手差しトレイ３２０には、ＯＨＰシート等の特殊なシートを含む各種シートをセットすることができる。給紙カセット３１７、３１８、給紙デッキ３１９、手差しトレイ３２０には、それぞれに給紙ローラが設けられており、給紙ローラによってシートは１枚単位で連続的に給送される。
【００３５】
次に、図３に示すシート処理装置２００ついて説明する。
【００３６】
本実施形態の印刷システム１０００におけるシート処理装置２００は、上流の装置から下流の装置にシート搬送路を介してシートを搬送できるのであれば、任意の種類の装置を任意の台数だけ連結することができる。例えば、図３に示すように、印刷装置１００に近い順に、大容量スタッカ２００−３ａ、糊付け製本機２００−３ｂ、中綴じ製本機２００−３ｃの順序で連結し、これらを印刷システム１０００にてそれぞれ選択的に利用することができる。また、シート処理装置２００のそれぞれがシート排出部を備え、ユーザは、シート処理がなされたシートを、それぞれのシート処理装置のシート排出部から取出すことができる。
【００３７】
制御部２０５は、印刷装置１００に接続されたシート処理装置２００にて実行可能な種類のシート処理の候補から、ユーザが所望する種類のシート処理の実行要求を、操作部２０４を介して印刷実行要求と共に受付ける。そして、操作部２０４を介して処理対象となるジョブの印刷実行要求をユーザから受付けたことに応じて、制御部２０５は、そのジョブにて要する印刷処理をプリンタ部２０３で実行させる。そして、制御部２０５は、この印刷処理がなされたジョブのシートを、ユーザが所望するシート処理を実行可能なシート処理装置までシート搬送路を介して搬送させ、そのシート処理装置でシート処理を実行させる。
【００３８】
例えば、印刷システム１０００が図３に示すシステム構成の場合に、ユーザから印刷実行要求を受付けた処理対象のジョブが、大容量スタッカ２００−３ａによる大量積載処理を行うように指示されたジョブであるとする。このジョブを「スタッカジョブ」と呼ぶ。
【００３９】
このスタッカジョブを、図３のシステム構成にて処理する場合、制御部２０５は、印刷装置１００で印刷されたこのジョブのシートを、図３のＡ点を通過させて、大容量スタッカ２００−３ａ内部へ搬送させる。その後、制御部２０５は、このジョブの積載処理を大容量スタッカ２００−３ａで実行させる。そして、制御部２０５は、大容量スタッカ２００−３ａで積載処理がなされたこのジョブの印刷物を、他の装置（例えば後段の装置）へ搬送せずに、大容量スタッカ２００−３ａ内部の排紙先Ｘに保持させる。
【００４０】
ユーザは、この図３の排紙先Ｘにホールドされたスタッカジョブの印刷物を、排紙先Ｘの個所から直接取出すことができる。それにより、図３のシート搬送方向、最下流の排紙先Ｚまでシートを搬送して、排紙先Ｚからスタッカジョブの印刷物を取出すといった、一連の装置の動作やユーザの操作が不要になる。
【００４１】
また、図３のシステム構成にてユーザから印刷実行要求を受付けた処理対象のジョブが、糊付け製本機２００−３ｂによるシート処理（例えば、くるみ製本処理、または、天糊製本処理の何れかの糊付け製本処理）を行うように指示されたジョブであるとする。このジョブを「糊付け製本ジョブ」と呼ぶ。
【００４２】
この糊付け製本ジョブを、図３のシステム構成にて処理する場合、制御部２０５は、印刷装置１００で印刷されたシートを、図３のＡ点及びＢ点を介して糊付け製本機２００−３ｂ内部へ搬送させる。その後、制御部２０５は、このジョブの糊付け製本処理を糊付け製本機２００−３ｂで実行させる。そして、制御部２０５は、糊付け製本機２００−３ｂで糊付け製本処理がなされたこのジョブの印刷物を、他の装置（例えば後段の装置）へ搬送させずに、そのまま、糊付け製本機２００−３ｂ内部の排紙先Ｙに保持させる。
【００４３】
更に、例えば、図３のシステム構成にてユーザから印刷実行要求を受付けた処理対象のジョブが、中綴じ製本機２００−３ｃによるシート処理を行うように指示されたジョブであるとする。中綴じ製本機２００−３ｃによるシート処理には、例えば、中綴じ製本、パンチ処理、断裁処理、シフト排紙処理、折り処理等がある。ここでは、このジョブを「中綴じ製本ジョブ」と呼ぶ。
【００４４】
この中綴じ製本ジョブを、図３のシステム構成にて処理する場合、制御部２０５は、印刷装置１００で印刷されたこのジョブのシートを、Ａ点及びＢ点及びＣ点を通過させて中綴じ製本機２００−３ｃに搬送させる。その後、制御部２０５は、このジョブのシート処理を中綴じ製本機２００−３ｃで実行させる。そして、制御部２０５は、この中綴じ製本機２００−３ｃによるシート処理がなされた中綴じ製本ジョブの印刷物を、中綴じ製本装置２００−３ｃの排紙先Ｚに保持させる。
【００４５】
尚、排紙先Ｚには複数の排紙先候補がある。これは、中綴じ製本機２００−３ｃが複数種類のシート処理を実行することができ、シート処理ごとに排紙先をわける際に用いられるものである。
【００４６】
図１〜図３で説明したように、本実施形態の印刷システム１０００は、印刷装置１００に対して、複数台のシート処理装置を接続することができる。そして、これら複数台のシート処理装置は、任意の組合せで、印刷装置１００に対して接続できる。また、これら複数台のシート処理装置の接続順序も、装置同士のシート搬送路がつながる範囲内において自由に変更することができる。また、印刷装置１００に接続可能なシート処理装置の候補も複数種類存在する。
【００４７】
次に、印刷装置１００に対して接続可能なシート処理装置２００の内部構成を、図４から図６を用いて種類別に説明する。
【００４８】
まず、図４に示す断面図を用いて、シート処理装置２００に適用可能な大容量スタッカの内部構成について説明する。大容量スタッカは、上流の装置から搬送されたシートを３つの搬送パスに選択的に搬送する。１つは、サンプルトレイパスであり、１つはスタックパスであり、１つはストレートパスである。
【００４９】
大容量スタッカ内部に備えるスタックパスは、スタックトレイにシートを搬送するためのシート搬送路である。図４のスタックトレイは、伸縮可能なステイなどの上に載置される積載ユニットである。伸縮可能なステイの下には、着脱可能な台車が備えられている。この台車を用いていることで、スタックトレイに積載されたシートをオペレータが運搬できる。
【００５０】
この大容量スタッカによりシートの積載処理を行うように設定されたジョブの実行要求を操作部２０４を介してユーザから受付けたとする。この場合、制御部２０５は、印刷装置１００にて印刷されたシートを、この大容量スタッカが備えるスタックパスに搬送し、スタックパスを介してスタックトレイへ排紙する。
【００５１】
図４に示す大容量スタッカのストレートパスは、この大容量スタッカが有するスタックトレイを用いたシートの積載処理を要さないジョブのシートを後段の装置へ搬送するためのシート搬送路である。
【００５２】
サンプルトレイパスは、サンプルトレイにシートを排出するためのシート搬送路である。これらは、出力の確認を要する作業等を行う際にスタックトレイからの出力物の取出しを簡略化する場合等に用いられる。例えば、この場合、制御部２０５は、印刷装置１００にて印刷されたシートをサンプルトレイパスへ搬送してサンプルトレイに排出させる。
【００５３】
尚、この大容量スタッカ内部のシート搬送路にはシートの搬送状況やジャムを検知する為に要する複数のシート検知センサが設けられている。
【００５４】
また、大容量スタッカは不図示のＣＰＵを備え、これら各センサからのシート検知情報を、データ通信を行うための信号線を介して制御部２０５に通知する。制御部２０５は、この大容量スタッカから通知された情報に基づき、大容量スタッカ内部のシートの搬送状況やジャムを把握する。尚、大容量スタッカと印刷装置１００の間に他のシート処理装置が接続されている場合、そのシート処理装置が備える不図示のＣＰＵが、この大容量スタッカのセンサの情報を制御部２０５に通知する。
【００５５】
次に、図５に示す断面図を用いて、糊付け製本機の内部構成について説明する。
【００５６】
糊付け製本機は、上流の装置から搬送されたシートを３つの搬送パスに選択的に搬送する。１つは表紙パスであり、１つは本身パスであり、１つはストレートパスである。また、糊付け製本機はインサータパスを有する。インサータパスは、インサータトレイに置かれたシートを、表紙パスに搬送する為のシート搬送路である。
【００５７】
図５に示す糊付け製本機のストレートパスは、この糊付け製本機による糊付け製本処理を要さないジョブのシートを後段の装置へ搬送するためのシート搬送路である。
【００５８】
また、図５に示す糊付け製本機の本身パスと表紙パスは、くるみ製本印刷物を作成する為に必要なシートを搬送するためのシート搬送路である。
【００５９】
例えば、この糊付け製本機を用いてくるみ製本印刷物を作成する場合、制御部２０５は、くるみ製本印刷物の本文用のシートに印刷されるべき本文用の画像データをプリンタ部２０３により印刷させる。１冊分のくるみ製本印刷物を作成する際には、この本文用のシートの１冊分のシート束が１枚の表紙でくるまれる。くるみ製本における、この本文用のシート束を「本身」と呼ぶ。
【００６０】
制御部２０５は、本身となる、印刷装置１００で印刷されたシートを、図５に示す本身パスへ搬送するように制御する。そして、制御部２０５は、くるみ製本処理を行う場合、印刷装置１００にて印刷された本身を、表紙パスを介して搬送された表紙用のシートでくるむ処理を実行する。
【００６１】
例えば、制御部２０５は、上流側の装置から搬送された本身となるシートを順次、図５の本身パスを介してスタック部でスタックさせる。本文データが印刷されたシートがスタック部に１冊に相当する枚数分スタックされると、制御部２０５は、表紙パスを介して、そのジョブにて要する表紙用の１枚のシートを搬送させる。制御部２０５は、この本身に相当する１セット分のシート束の背表紙部分に糊付け処理を行うように図５の糊付け部を制御する。その後、この本身の背表紙部分と表紙の中央部とを糊付け部で接合させるように制御部２０５は制御する。表紙に本身を接合する際には、本身が装置下方に対して押し込まれるように搬送される。これにより、本身が１枚の表紙でくるまれるように表紙の折り畳み処理がなされる。その後、この１セット分のシート束は、ガイドに添って図５の回転台の上に積載される。
【００６２】
この１セット分のシート束が図５の回転台にセットされた後に、制御部２０５は、このシート束の断裁処理を図５のカッタ部で実行させる。この際、この１セット分のシート束における背表紙部分に該当する端部以外の３つの端部を断裁する三方断裁処理をカッタ部で実行することができる。
【００６３】
その後、制御部２０５は、この三方断裁処理済みのシート束を、幅寄せ部を用いてバスケットの方向に押し出し、バスケットに収納させる。
【００６４】
次に、図６に示す断面図を用いて、中綴じ製本機の内部構成について説明する。
【００６５】
中綴じ製本機は、印刷装置１００からのシートに対してステイプル処理、断裁処理、パンチ処理、折り処理、シフト排紙処理、中綴じ製本処理等を選択的に実行する各種ユニットを備える。また、この中綴じ製本機は、後段の装置へのシート搬送機能の役目を果たすストレートパスを持たない。このため、印刷装置１００に複数台のシート処理装置を接続する場合には、図３に示すように、この中綴じ製本機は最後尾に接続される。
【００６６】
また、中綴じ製本機は、図６に示すように、装置外部にサンプルトレイ、スタックトレイを有し、装置内部にブックレットトレイを有す。
【００６７】
制御部２０５は、この中綴じ製本機にてステイプルするように指示を受けた場合、印刷装置１００で印刷されたシートを、中綴じ製本機内部の処理トレイに順次スタックさせる。一束分のシートが処理トレイにスタックされたら、制御部２０５は、ステープラにてステイプルを行わせる。その後、制御部２０５は、このステイプルされたシート束を、この処理トレイから図５のスタックトレイへ排出させる。
【００６８】
また、制御部２０５は、中綴じ製本機にてＺ折りを行うように指示を受けたジョブを実行する場合、印刷装置１００で印刷されたシートに対してＺ折り部により、Ｚ字状に折り処理を実行する。そして、制御部２０５は、折り処理されたシートを、中綴じ製本機内を通過させて、スタックトレイ及びサンプルトレイ等の排出トレイに排紙するよう制御する。
【００６９】
また、制御部２０５は、中綴じ製本機にてパンチ処理設定を行うように指示を受けた場合、印刷装置１００で印刷されたシートに対してパンチャによるパンチ処理を実行する。そして、制御部２０５は、中綴じ製本機内を通過させて、スタックトレイ及びサンプルトレイ等の排出トレイに排紙するよう制御する。
【００７０】
また、制御部２０５は、中綴じ製本機にて中綴じ製本処理を行うように指示を受けたジョブを実行する場合、サドルステッチャ部によって、１セット分の複数枚のシートからなるシート束の中央部分に二箇所綴じを行わせる。その後、制御部２０５は、このシート束の中央部分をローラに噛ませることにより、シートの中央部分を基準とした二つ折りを行わせる。これにより、パンフレットのようなブックレットが作成できる。このように、サドルステッチャ部で中綴じ製本処理が施されたシート束は、ブックレットトレイに搬送される。
【００７１】
また、中綴じ製本処理を行うように指示を受けたジョブに対して、断裁処理を行うように指示を受付けた場合には、制御部２０５は、中綴じ製本されたシート束をブックレットトレイからトリマへ搬送させる。その後、制御部２０５は、トリマに搬送されたシート束をカッタ部によって断裁させ、このシート束をブックレットホールド部に保持させる。この図６の中綴じ製本機でも、中綴じ製本されたシート束の三方断裁が実行できるように構成されている。
【００７２】
尚、中綴じ製本機がトリマを持たない場合には、サドルステッチャ部で製本されたシート束は、ブックレットトレイから取り出すことができる。
【００７３】
また、中綴じ製本機は、図６のインサートトレイにセットされたシート（例えば予め印刷済みのカバーシート）を印刷装置１００から搬送される（印刷装置１００で印刷された）シートに添付することも出来るように構成されている。
【００７４】
次に、図７を用いて、操作部２０４の構成を説明する。
【００７５】
操作部２０４は、タッチパネル部４０１と、キー入力部４０２とを備える。タッチパネル部４０１は、ＬＣＤ（Ｌｉｑｕｉｄ  Ｃｒｙｓｔａｌ  Ｄｉｓｐｌａｙ：液晶表示部）とその上に貼られた透明電極からなり、ユーザから指示を受付けるための各種設定画面を表示する。このタッチパネル部４０１は、各種画面を表示する機能とユーザからの指示を受付ける指示入力機能を兼ね備える。キー入力部４０２は、電源キー５０１やスタートキー５０３や、ストップキー５０２やユーザモードキー５０５、テンキー５０６を備える。スタートキー５０３は、コピージョブや、送信ジョブの実行を印刷装置１００に開始させる場合に用いられる。テンキー５０６は、印刷部数等の数値入力の設定を行う場合に用いられる。
【００７６】
制御部２０５は、このタッチパネル部４０１に表示される各種画面を介して受付けたユーザ指示やキー入力部４０２を介して受付けたユーザ指示に基いた各種処理を行うように印刷システム１０００を制御する。
【００７７】
図８は、印刷装置１００により印刷されたシートに対して実行すべきシート処理の種類をユーザに選択させるための設定画面の表示例を示す図である。制御部２０５は、タッチパネル部４０１に表示される画面上の図７に示すシート処理設定のキー６０９がユーザにより押されると、この図８の画面をタッチパネル部４０１に表示させる。この図８の画面は、印刷システム１０００に含まれるシート処理装置２００を用いて実行可能なシート処理の種類をユーザが選択できるように構成された設定画面である。制御部２０５は、この図８の画面を介して、処理対象となるジョブにて実行すべきシート処理の設定をユーザから受付け、その設定に従ったシート処理をシート処理装置２００で実行させる。
【００７８】
図９に示す画面は、印刷装置１００にシート処理装置２００が接続されるケースにて、どのような種類のシート処理装置をどのような接続順序で何台接続するのか等を特定するための情報をユーザが登録できるように構成された設定画面である。制御部２０５は、ユーザモードキー５０５が押された場合に、この図９に示す画面をタッチパネル部４０１に表示できるように制御する。
【００７９】
例えば、印刷システム１０００を図３に示すようなシステム構成にする場合、図９に示すように、大容量スタッカ、糊付け製本機、中綴じ製本機の３台のシート処理装置を大容量スタッカから順番に印刷装置１００に接続する旨を示す登録情報を設定する。制御部２０５は、この図９の画面を介してユーザにより設定されたシート処理装置２００に係る情報をシステム構成情報としてＲＡＭ２０８に保持させ、適宜読み出して参照する。これにより、制御部２０５は、印刷装置１００に対してどのようなシート処理装置をどのような接続順序で何台接続するのか等を確認する。
【００８０】
尚、この図９の画面において、ストレートパスを持たない中綴じ製本機を複数台のシート処理装置の途中に接続するような設定がユーザにより行われたとする。この場合、制御部２０５は、その設定を無効とする旨を通知する為のエラー表示をタッチパネル部４０１に行わせる。又、図９に示すように、制御部２０５は、このような設定を行うこと無しに中綴じ製本機は最後尾に接続するようにユーザに通知するガイダンス情報を表示させる。
【００８１】
本実施形態では、印刷システム１０００に適用されるユーザインタフェース部の１例として印刷装置１００に具備される操作部２０４を例示しているが、これ以外でも良い。例えば、ＰＣ１０３やＰＣ１０４等の外部装置に具備されるユーザインタフェース部からの指示に基いた処理を印刷システム１０００で実行できるように構成されても良い。このように、外部装置から印刷システム１０００を遠隔操作する場合、その装置の表示部に図１０に示すような印刷システム１０００に関する設定画面を表示させる。この１例としてＰＣ１０４を用いて説明する。図１０は、ＰＣ１０４が備えるディスプレイに表示される画面の例である。
【００８２】
ＰＣ１０４が備えるＣＰＵは、ユーザから印刷要求を受付けた場合に、図１０に示すような画面をディスプレイに表示させ、この画面を介して印刷処理条件の設定をＰＣ１０４のユーザから受付ける。例えば、ＰＣ１０４から、印刷実行要求を行う対象である印刷ジョブに対してシート処理装置２００で行わせるシート処理の種類を、ＰＣ１０４のＣＰＵは設定欄１７０２を介してユーザから受付ける。そして、図１０のＯＫキーが押されたことによって印刷実行要求を受付けた場合、ＰＣ１０４が備えるＣＰＵは、この画面を介して受付けた印刷処理条件と印刷されるべき画像データとを関連付ける。そして、１つのジョブとして印刷システム１０００に対してネットワーク１０１経由で送信するよう制御する。
【００８３】
一方、印刷システム１０００にて、制御部２０５は、このジョブの印刷実行要求を外部Ｉ／Ｆ２０２を介して受付けると、このＰＣ１０４からのジョブをこのＰＣ１０４からの印刷処理条件に基いて処理するように印刷システム１０００を制御する。
【００８４】
このように、印刷システム１０００のユーザインタフェースとして種々のユニットが提供できる。
【００８５】
次に、本実施形態の制御部の一例に該当する制御部２０５が印刷システム１０００のために実行する各種制御に関して、以下に説明する。
【００８６】
なお、印刷システム１０００は、複数のジョブのデータを記憶可能なＨＤＤ２０９のデータの印刷処理を実行可能なプリンタ部２０３を有する印刷装置１００を具備する。また、印刷システム１０００は、印刷装置１００と複数台のシート処理装置２００が接続できるように構成されている。また、印刷装置１００に接続可能なこれら複数台のシート処理装置２００はそれぞれ、プリンタ部２０３で印刷がなされたジョブのシート（印刷物又は印刷媒体とも呼ぶ）に対するシート処理（フィニッシング又は後処理とも呼ぶ）を実行可能に構成されている。また、これらのシート処理装置２００は、各装置毎に、自装置でシート処理を施した印刷物をオペレータが取出すことができるように構成されている。そして、本実施形態の印刷システム１０００は、プリンタ部２０３からこれら複数台のシート処理装置２００に対して、プリンタ部２０３により印刷がなされたジョブのシートを、選択的に供給できるように構成されている。
【００８７】
また、この印刷システム１０００は、試し印刷機能（試しコピー機能とも呼ぶ）を有する。また、印刷システム１０００は、この試し印刷機能とは区別された確認プリント機能を有する。制御部２０５は、これらの２つの機能の動作を、処理対象となる各ジョブ毎にユーザインタフェース部（ＵＩ部）からのオペレータ指示に基いて選択的に実行できるように印刷システム１０００を制御する。
【００８８】
尚、本実施形態の印刷システム１０００はこれら２つの機能の両方を具備する構成であるが、確認プリント機能に関する構成のみを具備する構成でも本実施形態には適用できる。
【００８９】
まず、試し印刷機能による動作について説明する。
【００９０】
例えば、図７の表示をタッチパネル部４０１に実行させた状態において、オペレータが処理対象のジョブの為の印刷部数としてテンキー５０６を用いて「５０」部を設定したとする。且つ、フィニシング（シート処理や後処理と同義）の設定として、図８の表示のキー７０１を押下することで「ステイプル」を設定したとする。即ち、このジョブは、「５０部数分の印刷を要し、且つステイプル処理を要するジョブ」である。このように、処理対象となるジョブが「複数部数分の印刷を要し、且つフィニッシング処理を要するジョブ」であるとする。この場合、制御部２０５は、このジョブの為に試しコピー動作を実行する事を許可し、図１１Ａの画面を介して試しコピー動作の実行可否をオペレータが決定可能に操作部２０４を制御する。
【００９１】
制御部２０５は、図１１Ａに示すように、上述の２つの設定項目がオペレータにより設定済みである事が表示内容に反映させた表示内容となるようにタッチパネル部４０１を制御する。なおかつ、図１１Ａに示すように、制御部２０５は、このジョブのために試しコピー（試し印刷）をオペレータが指示できるように構成された「試しコピー」ボタン（ソフトキー）をタッチパネル部４０１に有効表示させる。そして、この有効表示状態の試しコピーボタンがオペレータにより押下されると、その情報は操作部２０４から制御部２０５に通知される。これにより、制御部２０５は、このジョブの為にオペレータから試しコピー動作の実行要求を受付たと判断し、このジョブは、試しコピー動作を要するジョブとして取り扱う。
【００９２】
なお、処理対象のジョブが「複数部数分の印刷を要し、且つフィニッシング処理の実行を要するジョブ」には該当しないジョブである場合、制御部２０５は、このジョブの為に試しコピー動作を印刷システム１０００に実行させる事を禁止する。この場合、制御部２０５は、タッチパネル部４０１に「試しコピー」ボタンを有効表示させる事を禁止する。このケースの場合、「試しコピー」ボタンを網掛け表示、又はグレーアウト表示する。或いは、このボタンの表示自体を禁止する（非表示となるよう制御する）。これにより、制御部２０５は、このジョブのために試しコピー動作の実行要求をオペレータから受付ることを禁止する。
【００９３】
また、処理対象のジョブが「複数部数分の印刷を要し、且つフィニッシング処理の実行を要するジョブ」であっても、そのジョブが印刷動作中のジョブに該当するとする。この場合、制御部２０５は、そのジョブの為の試しコピー動作の実行要求をオペレータから受付る事を禁止し、このジョブのために試しコピー動作を印刷システム１０００が実行することを禁止する。一方、このジョブが印刷動作中のジョブには該当しないとする。この場合、制御部２０５は、そのジョブの為の試しコピー動作の実行要求をオペレータから受付る事を許可し、このジョブのために試しコピー動作を印刷システム１０００が実行することを許可する。このように、試しコピー動作の実行要求の受付を許可するタイミングは、そのジョブの印刷動作が開始される前のタイミングであり、そのジョブの印刷データがＨＤＤ２０９に記憶される前のタイミングである。
【００９４】
次に、この印刷システム１０００が具備する試しコピー機能に係る制御の詳細を以下に説明する。
【００９５】
［印刷システム１０００が具備する試しコピー機能に係る制御］
図１２Ａは、制御部２０５が実行する試しコピー機能の制御シーケンスを、Ｔ０を基点とするタイミングチャートで例示した図である。
【００９６】
まず、制御部２０５が、タッチパネル部４０１に表示させた図１１Ａの「試しコピー」ボタンがオペレータにより押下されたとする。これを受け制御部２０５は、図１１Ｂに示す表示を、タッチパネル部４０１に実行させる。
【００９７】
この図１１Ｂの表示は、試しコピーの実行要求がなされたジョブの試しコピー動作として如何なる種類の試しコピーを印刷システム１０００に実行させるかをオペレータ自身が指示出来るようにする為の表示である。
【００９８】
例えば、オペレータが、図１１Ｂの表示画面の「全ページ」ボタンを押下したうえで図１１ＢのＯＫボタンを押下したとする。すると、このオペレータ操作に応答し、制御部２０５は、タッチパネル部４０１の表示内容を、図１１Ｃの表示画面に遷移させる。この図１１Ｃの表示画面では、この処理対象のジョブの為に試しコピー動作を実行する事が確定済の状態を示している。この状態で、スタートキー５０３がオペレータにより押下されたとする。これを受け、制御部２０５は、そのジョブの試しコピー実行要求の受付がオペレータによりなされたと判断する。そして、制御部２０５は、このジョブの為の試しコピー動作を印刷システム１０００にて開始させる。
【００９９】
このケースの場合、上述のオペレータの設定に基き、このジョブの試しコピー動作として、制御部２０５は、このジョブの印刷データの全頁を１回分、印刷装置１００に印刷させる。その後、制御部２０５は、この全頁分の印刷が実行された１セット分の印刷束に対してステイプル処理をシート処理装置２００で実行させる。尚、本実施形態の印刷システム１０００では、このステイプル処理は中綴じ製本機により実行される。
【０１００】
もしオペレータが、図１１Ｂの表示画面の「指定ページ」ボタンを押下し、図１１Ｂの表示における開始ページ入力欄と終了ページ入力欄とを具備する「指定頁の範囲の設定欄」を介してオペレータが、任意の頁を指定したとする。その後、図１１ＢのＯＫボタンを押下したとする。その後、スタートキー５０３がオペレータにより押下されたとする。これを受け、制御部２０５は、このジョブの試しコピー実行要求の受付がオペレータによりなされたと判断する。これにより、制御部２０５は、このジョブの為の試しコピー動作を印刷システム１０００にて開始させる。
【０１０１】
このケースの場合、このジョブの試しコピー動作としてこのジョブの印刷データの全頁を１回分印刷装置１００により実行することを、制御部２０５は禁止する。この場合、制御部２０５は、図１１Ｂの表示の指定頁の範囲の設定欄を介してオペレータが設定した頁に相当する印刷データのみを印刷装置１００で印刷させる。尚、このジョブは、ステイプル処理の実行要求が処理条件として設定されているジョブである。しかし、この試しコピー動作では、全頁分の印刷は禁止したので、制御部２０５は、１セット分の印刷束は作成させない。この場合、その指定頁の印刷がなされた試しコピー用の印刷物に対してはステイプル処理の実行を禁止するように制御部２０５は印刷システム１０００を制御する。
【０１０２】
このように、本実施形態では、試しコピー動作にて複数種類の試しコピー動作を実行可能に構成している。
【０１０３】
なお、スタートキー５０３によりこのジョブの為の試しコピー動作の実行要求を受け付けた時点が図１２ＡのＴ０の時点に相当する。また、このジョブの試しコピー動作が終了した時点が図１２ＡのＴ１の時点に相当する。また、この試しコピー動作を印刷装置１００が実行している期間が図１２ＡのＴ０の時点から図１２ＡのＴ１の時点までの期間に相当し、この試しコピー動作が図１２Ａの［工程１］に相当する。また、図１２ＡのＴ１の時点から図１２ＡのＴ２の時点までの期間は、制御部２０５が、この試しコピー動作を実行したジョブの本番用の印刷動作に係る指示の入力をオペレータから待機する期間に相当する。例えば、制御部２０５は、図１２ＡのＴ０の時点から印刷システム１０００にて開始させた試しコピー動作が完了した事に応じて、図１１Ｄに例示の表示をタッチパネル部４０１に実行させる。また、制御部２０５は、図１２Ａの［工程１］にて試しコピー動作を完遂させたジョブの処置として以下の何れかの指示を、図１１Ｄに例示する表示を介してオペレータから択一的に受付可能に制御する。
【０１０４】
（指示１）
この指示１は、印刷条件の変更を行わずにこのジョブ（即ち、図１２Ａの［工程１］にて試しコピー動作がなされたジョブ）の本番用の印刷動作を印刷システム１０００に開始させるための指示である。制御部２０５は、図１１Ｄの表示の「プリント開始」キーがオペレータにより押下されることで、この指示１がなされたと判断する。この指示１を受付けた場合、制御部２０５は、試しコピーを行う前に、設定された印刷処理条件の変更を行わずにそのまま、このジョブの為の本番用の印刷動作を印刷システム１０００にて開始させる。例えば、オペレータが図１２ＡのＴ０の時点の直前に設定したこのジョブの為の印刷条件に従った処理を、このジョブの本番用の印刷動作にて実行させるように制御部２０５は印刷システム１０００を制御する。なお、図１２Ａの［工程１］にて試しコピー動作を実行した際に、制御部２０５は、そのジョブの印刷データを全頁ＨＤＤ２０９に記憶させる。そして、制御部２０５は、このジョブの本番用の印刷動作が完了するまで、その印刷データをＨＤＤ２０９に保持させておく。そこで本実施形態ではこのように試しコピー動作が実行されたジョブの本番用の印刷動作を図１２Ａの［工程３］にて実行する場合、制御部２０５は次のような処理を実行する。即ち、図１２Ａの［工程１］の段階においてＨＤＤ２０９に既に保持済みのこのジョブの印刷データを用いた印刷動作を印刷装置１００で実行させる。
【０１０５】
（指示２）
この指示２は、試しコピーが実行されたジョブの本番用の印刷動作を開始することをキャンセル（中止）させる指示である。制御部２０５は、図１１Ｄの表示の「中止」キーがオペレータにより押下されたことで、この指示２がなされたと判断する。そして、この指示２を受付けた場合、制御部２０５は、このジョブの為の本番用の印刷動作を印刷システム１０００にて開始させる事を禁止し、このジョブの本番用の印刷動作の実行はキャンセルさせる。また、この指示２によりキャンセルを行う場合、図１２Ａの［工程１］にてＨＤＤ２０９に保持済みのこのジョブの印刷データを全頁ＨＤＤ２０９から消去するように制御する。
【０１０６】
（指示３）
この指示３は、このジョブの本番用の印刷動作の開始に先立ってこのジョブの印刷処理条件を変更するための指示である。制御部２０５は、図１１Ｄの表示の「設定変更」キーがオペレータにより押下されることで、この指示３がなされたと判断する。そして、この指示３を受付けた場合、制御部２０５は、このジョブの為の本番用の印刷動作を印刷システム１０００で開始させるに先立って、オペレータによりこのジョブの処理条件の変更を操作部２０４で実行可能に制御する。例えば、この図１１Ｄの「設定変更」キーが押下されると、制御部２０５は、このジョブの本番用の印刷動作は開始すること無しに、図１１Ｅの表示をタッチパネル部４０１に実行させる。そして、制御部２０５は、図１２ＡのＴ０の時点の直前にオペレータから受付たこのジョブの為の本番用の印刷処理条件の変更を、この図１１Ｅの表示を介してオペレータから受付ける。例えば図１１Ｅの表示を介して、制御部２０５は、印刷部数の設定変更や、フィニッシングの設定変更や、綴じ代の設定変更や、片面印刷から両面印刷への設定変更や、両面印刷から片面印刷への設定変更等を受付可能に操作部２０４を制御する。その後、図１１Ｅの表示にて設定変更が完了し図１１Ｅの「閉じる」キーが押下されると、制御部２０５は、図１１Ｄの表示に戻るようタッチパネル部４０１を制御する。そして、図１１Ｄの表示にて「プリント開始」キーが押下されたとする。すると、これを受け、制御部２０５は、図１１Ｅの表示を介してオペレータから受付けた設定変更後の印刷処理条件に従った印刷動作をこのジョブの本番用の印刷動作として実行するように印刷システム１０００を制御する。
【０１０７】
なお、図１２ＡのＴ１の時点からＴ２の時点までの期間にて印刷システム１０００にて実行対象となる動作が、図１２Ａの［工程２］に対応する。そして、図１２ＡのＴ２の時点から開始させる［工程３］は、上記（指示２）又は（指示３）がオペレータによりなされた場合に印刷システム１０００が行う動作に相当する。つまり、制御部２０５は、図１２Ａの［工程１］にて試しコピー動作が実行されたジョブの本番用の印刷動作を、図１２ＡのＴ２の時点からこの［工程３］にて開始させる。
【０１０８】
また、試しコピー動作を実行する場合、図１２Ａの［工程１］と図１２Ａの［工程３］との間にオペレータによる介入操作として図１２Ａの［工程２］の操作が要求される。制御部２０５は、図１２Ａの［工程２］にてオペレータからの明示的な要求が入力されない限り、図１２Ａの［工程３］の本番用の印刷動作を開始させないように制御する。そして、制御部２０５は、図１１Ｄの「プリント開始」キーが図１２Ａの［工程２］にてオペレータ入力されたことに応じて、図１２Ａの［工程３］の動作に移行させるように印刷システム１０００を制御する。
【０１０９】
この図１２Ａの［工程３］では、試しコピー動作が実行されたジョブの本番用の印刷動作として以下の動作の何れかが実行される。
【０１１０】
例えば、図１２Ａの［工程２］にて設定変更がオペレータによりなされたとする。この場合、制御部２０５は、このジョブの本印刷の印刷動作として、設定変更後の印刷条件で、且つ試しコピー実行前に受付けた印刷部数分、このジョブの印刷処理をプリンタ部２０３に実行させる。一方、図１２Ａの［工程２］にて設定変更がオペレータによりなされなかったとする。この場合、制御部２０５は、このジョブの本印刷の印刷動作として、図１２ＡのＴ０の直前に受け付けた印刷条件、即ち、試しコピー実行前に受付けた印刷条件のままで、このジョブの印刷処理をプリンタ部２０３に実行させる。但し、試しコピーにて「全頁」指定が指定されたジョブに関しては、本番用の印刷動作における印刷部数の合計が試しコピー前に受付けたトータルの印刷部数から１部減算した印刷部数となるように制御部２０５により制御される。
【０１１１】
なお、本実施形態では、試しコピーが行われるジョブの試しコピー用の印刷物の出力先と同一の出力先へこのジョブの本番用の印刷物を出力することができるように、制御部２０５は印刷システム１０００を制御する。
【０１１２】
例えば、印刷システム１０００が、図３に示すシステム構成であるとする。そして、図３に示す中綴じ製本機２００−３ｃによるフィニシング処理（シート処理）として「中綴じ製本処理」が指定されたジョブの為の試しコピー動作の実行要求を、オペレータから受付たとする。この場合、制御部２０５は、このジョブの印刷データの印刷を、このジョブにて要する印刷媒体に対してプリンタ部２０３により実行させることで、このジョブの試しコピー用の印刷物を得る。そして、制御部２０５は、この印刷済の印刷媒体に対する中綴じ製本処理を図３の中綴じ製本機２００−３ｃに実行させる。そして、制御部２０５は、この印刷物を図３の中綴じ製本機２００−３ｃの３つの出力先Ｚのうちの装置下方の１番下に位置する出力先へ出力させる。尚、この試しコピー用の印刷物は、１セット（即ち、１部数分の印刷束）分、印刷システム１０００にて作成される。制御部２０５は、このような一連の試しコピー動作を、図１２Ａの［工程１］にて印刷システム１０００で実行させる。その後、制御部２０５は、このジョブの本番用の印刷物の作成のために、このジョブの印刷データの印刷を、このジョブにて要する印刷媒体に対してプリンタ部２０３により実行させる。そして、制御部２０５は、この印刷済の印刷媒体に対してオペレータが要求したフィニシング処理に相当する中綴じ製本処理を図３の中綴じ製本機２００−３ｃに実行させる。そして、制御部２０５は、この本番用の印刷物を、このジョブの試しコピー用の印刷物の出力先と同一の出力先（即ち、図３の中綴じ製本機２００−３ｃの３つの出力先Ｚのうちの装置下方の１番下に位置する出力先）へ出力させる。この本番用の印刷物を、オペレータが図１２ＡのＴ０の直前に設定したトータルの印刷部数よりも１部数分減算した値に相当する印刷部数分、作成させるように制御部２０５は印刷システム１０００を制御する。
【０１１３】
このように、本実施形態にて制御部２０５は、試しコピーが行われるジョブの試しコピー用の印刷物と同一の出力先へそのジョブの本番用の印刷物を出力する印刷動作を、図１２Ａの［工程３］にて、印刷システム１０００により実行可能にする。
【０１１４】
なお、後述する確認プリント機能の実行要求をオペレータから受付ることを許可する条件や、その要求を受付けるタイミングは、この試しコピー機能のケースとは異なるように構成されている。また、印刷物の出力先に関する制御も、後述する確認プリント機能とこの試しコピー機能とでは異なるように構成されている。
【０１１５】
このように、本実施形態の印刷システム１０００は、試しコピー機能と後述する確認プリント機能とでそれぞれ区別した制御が実行されるように構成されている。そして、この後述する確認プリント機能を実行する場合、制御部２０５は、上述した試しコピー機能とは異なる（区別した）制御を行う。
【０１１６】
なお、この試しコピー機能は、オフィス環境でもニーズとして要望されうる機能と考える。たとえば、ユーザが所望の出力形態でもって処理対象のジョブの印刷物を作成したいのであるが、その為に、意図しない出力や失敗は防止したい、と考えたとする。そこで、好適には、そのジョブの正式な本番用の印刷物の作成開始前に事前に出力形態を確認し、修正が必要ならば、そのジョブの印刷処理条件を変更してから正式な本番用の印刷物を作成したい。このようなニーズは、ＰＯＤのような印刷環境のみならず、オフィス環境でも、要望されうると考える。
【０１１７】
しかし、ＰＯＤ環境などの印刷環境にて要求されるデジタルプリンティングシステムなどでは、このような試しコピー機能にて対処可能なニーズだけを考慮していればよいというわけにはいかないと考える。
【０１１８】
例えば、上述したオフィス環境などの印刷環境では、自分のジョブ１つだけを考慮していれば良いケースが多く、このケースでは、試しコピー機能でも十分役目を果たす。一方、ＰＯＤのような印刷環境では、１つのジョブのことばかりを気にしているのではなく、印刷システムが受付ける複数の印刷ジョブの全体の生産性や、これら複数の印刷ジョブの各々の品位が重要視されうる。
【０１１９】
たとえば、ＰＯＤのような印刷環境では、印刷物の作成を要求する依頼者は顧客であり、一方、印刷システムを操作するオペレータは、印刷業者にて従事する作業者である。このような印刷環境では、より多くの顧客から印刷物の作成依頼を受注し、短期間で且つ短納期で、それらのジョブを処理したいという要望が想定されうる。そして、このような状況に対処するためにも、印刷システムにて、顧客が満足する印刷物を、可能な限り大量に、効率よく且つ短期間で、作成できるようにすることが今後要求されうる。
【０１２０】
そこで、本実施形態では、後述する確認プリント機能に関する各種構成を印刷システム１０００が具備する。これにより、例えば、印刷物の品位に係る確認作業をオペレータが行っている期間中でも、印刷システム１０００による印刷動作を無駄に停止させること無しに連続運転をさせ続けることができる。このように、印刷システム１０００の稼働率が無駄に低下しないようにすることができ、複数のジョブを絶え間なく処理できるように印刷システム１０００は構成されている。
【０１２１】
次に、この確認プリント機能に関する制御について以下に説明する。 
［印刷システム１０００が具備する確認プリント機能に係る制御］
本実施形態に係る確認プリント機能は、処理対象のジョブの印刷動作を印刷システム１０００にて開始させた時点からこのジョブの印刷動作が終了する時点迄の期間中に、そのジョブの確認用の印刷物を印刷システム１０００に作成させる機能である。
【０１２２】
例えば、処理対象のジョブの為に、操作部２０４を介して、印刷実行要求をオペレータから受付たとする。この印刷実行要求に応答し、制御部２０５は、このジョブの印刷動作を印刷システム１０００により開始させる。その後、制御部２０５は、この印刷動作を実際に印刷システム１０００にて実行させている最中に、この印刷実行中のジョブの為の確認プリント動作の実行要求をオペレータから受付ることができるように、操作部２０４を制御する。そして、このジョブの印刷動作をプリンタ部２０３により実行させている最中にこのジョブの為の確認プリント要求をオペレータから受付たとする。この場合、制御部２０５は、この確認プリント要求がオペレータによりなされた事に応答して、プリンタ部２０３による印刷実行中のこのジョブの印刷動作を中断させる。そして、この確認プリント動作の対象となるジョブの印刷動作が印刷システム１０００にて中断された直後に、制御部２０５は、このジョブの確認プリント動作を印刷システム１０００に実行させる。尚、この確認プリント動作では、この確認プリント要求がなされたジョブの確認用の印刷物が印刷システム１０００により作成される。また、この確認プリント動作を行う場合、制御部２０５は、この印刷動作が中断されたジョブ自身の印刷データをＨＤＤ２０９から読み出して印刷装置１００により印刷処理を実行させる。そして、この確認プリント動作を完遂させた直後に、制御部２０５は、印刷中断状態のこのジョブの印刷動作を自動的に再開（継続）させるように、印刷システム１０００を制御する。
【０１２３】
尚、確認プリント動作の実行要求に応じて処理が中断される印刷動作に相当し、且つこの確認プリント動作の終了に応じて自動的に処理が印刷システム１０００で再開される印刷動作の事を、この確認プリント動作が実行されたジョブの本番用の印刷動作と称す。或いは、確認プリント要求がなされたジョブの印刷動作と称す。また、この確認プリントの対象となるジョブの印刷動作にて作成対象となる印刷物の事を、確認プリント動作の対象のジョブの本番用の印刷物と称す。或いは、確認プリント要求がなされたジョブの印刷物と称す。これに対して、確認プリント動作により作成対象となる印刷物の事は、確認プリント要求がなされたジョブの確認用の印刷物と称す。
【０１２４】
また、本実施形態では、確認プリント動作として第１タイプの確認プリント動作と第２タイプの確認プリント動作とをオペレータからの指示に基いて選択的に印刷システム１０００にて実行できるように、制御部２０５が印刷システム１０００を制御する。
【０１２５】
この第１タイプの確認プリント動作は、確認プリント要求がなされたジョブの本番用の印刷動作で利用する印刷データの全頁分の印刷データを１回分（即ち、１セット分）印刷システム１０００で印刷させる動作である。
【０１２６】
一方、この第２タイプの確認プリント動作は、確認プリント要求がなされたジョブの印刷データの１頁分の印刷のみを印刷システム１０００で実行させる動作である。尚、この第２タイプの確認プリント動作では、確認プリント要求がオペレータにより操作部２０４を介して入力された時点において、そのとき印刷を行っている頁を印刷させるように、制御部２０５は印刷システム１０００を制御する。
【０１２７】
例えば、１００ページ分の文書データからなるジョブの印刷動作を印刷システム１０００に開始させているとする。そして、現在、２５ページ目の印刷をプリンタ部２０３により実行させているタイミングで、このジョブの確認プリント要求が操作部２０４を介してオペレータから入力されたとする。且つ、その際、１ページ分のみの確認プリント要求がなされたとする。この場合、制御部２０５は、その確認プリント要求がなされた時点で印刷中の頁に該当する２５頁目の印刷データのみの印刷を確認プリント動作として実行させるように印刷システム１０００を制御する。尚、本実施形態にて、印刷システム１０００は、プリンタ部２０３に対して、頁単位で給紙コマンドを発行するように構成されている。そこで、この第２タイプの確認プリント動作では、確認プリント要求が入力された際に給紙コマンドが発行されている頁と同じ頁を印刷するように、制御部２０５は印刷システム１０００を制御する。このように本実施形態では、確認プリント要求が入力された時点で印刷中の頁と同じ頁のみを印刷させる第２タイプの確認プリント動作を印刷システム１０００にて実行可能に制御部２０５が制御する。
【０１２８】
なお、本実施形態に係る確認プリント動作により作成して出力させた確認用の印刷物の結果は、印刷システム１０００のオペレータにより確認される。そして本実施形態に係る印刷システム１０００は、この確認用の印刷物の出力結果を確認したオペレータからの要求に応答し、少なくとも以下に示す３つの処理を印刷システム１０００にて選択的に実行可能に構成されている。
【０１２９】
［１．  確認プリントにより出力された確認用の印刷物の結果を見たオペレータからの要求に応じて制御部２０５が印刷システム１０００に実行させる処理の１例（その１）〜本番用の印刷をキャンセル（中止）する］
例えば、確認プリント動作対象のジョブの確認用の印刷物を目視した結果、所望とする出力体裁ではないとオペレータが判断したとする。この場合に、この確認プリント動作の実行直後に自動的に印刷システム１０００にて再開されているそのジョブの本番用の印刷動作を、制御部２０５は、このオペレータからの要求に基いて中止（キャンセル）するように、印刷システム１０００を制御する。これにより、そのジョブの処理自体を強制終了させる。なお、制御部２０５は、このオペレータからの要求を、後述する図１４Ｆの画面２４００Ｆのキー２４０１Ｆを介して受付ける。
【０１３０】
［２．  確認プリントにより出力された確認用の印刷物の結果を見たオペレータからの要求に応じて制御部２０５が印刷システム１０００に実行させる処理の１例（その２）〜確認プリントの対象の本番用の印刷ジョブ固有の印刷処理条件の変更を行う］
確認用の印刷物を目視した結果、所望とする出力体裁ではないとオペレータが判断したとする。この場合に、この確認プリント動作の実行直後に印刷システム１０００にて自動的に再開されているそのジョブの本番用の印刷動作を、制御部２０５は、オペレータからの要求に応じて一時停止するように印刷システム１０００を制御する。そして、その一時停止期間中に、制御部２０５は、そのジョブの出力体裁を変更する設定をオペレータから操作部２０４を介して受付ける。例えば、その本番用のジョブの印刷動作にて要する印刷媒体の種類に関する変更設定や、印刷時の濃度の設定変更等を受付ける。又、印刷部数の増減に関する設定変更や、ステイプル等の後処理に関する設定変更も、設定変更対象の１例として受付可能にする。このような、そのジョブ固有の印刷処理条件の設定変更をオペレータから受け付け可能に制御部２０５は操作部２０４を制御する。その後、オペレータからの要求に基いて、設定変更後の印刷処理条件でもって、その本番用の印刷物の作成及び出力を最初からやり直すようにように制御部２０５は印刷システム１０００を制御する。このように、その確認プリント対象のジョブ固有の設定をオペレータにより変更可能にする。なお、制御部２０５は、このオペレータからの一時停止要求を、後述する図１４Ｄの画面２４００Ｄのキー２４０１Ｄを介して受付ける。また、制御部２０５は、このオペレータからの設定変更を、後述する図１３Ｆの画面２３００Ａまたは図１４Ｃの画面２４００Ｃなどを介して受付ける。
【０１３１】
［３．  確認プリントにより出力された確認用の印刷物の結果を見たオペレータからの要求に応じて制御部２０５が印刷システム１０００に実行させる処理の１例（その３）〜確認プリント対象の本番用の印刷ジョブ以外のジョブも含む、複数の印刷ジョブに共通して影響のある印刷処理条件の変更を行う］
このケースは、確認用の印刷物を目視した結果、そのジョブに限らず、その他のジョブにも影響のある、印刷システム１０００の機器固有の調整値の変更が必要とオペレータが判断した場合に適用されるケースである。例えば、確認プリントの出力結果を確認した結果、印刷装置１００を含む印刷システム１０００の機器固有の調整値（パラメータ）を修正する必要があるとオペレータが判断した場合等が、これに該当する。尚、この機器固有のパラメータとは、例えば、プリンタ部２０３の定着部の温度や、印刷媒体の搬送スピード等、印刷システム１０００の印刷プロセスに直接関係する機器固有のパラメータや、機器の基準値とすべき印刷濃度の値などである。本実施形態では、この機器固有のパラメータとして、少なくとも以下に示す４つの何れかのパラメータが、これに含まれる。
【０１３２】
（１）  印刷媒体に対する印字位置のクリープ（ずれ）補正量の調整
（２）  自動階調補正
（３）  濃度補正
（４）  文字／背景のコントラスト調整
このような調整値が変更された場合、印刷装置１００を含む印刷システム１０００にて出力対象となる印刷ジョブの印刷出力結果にもこの調整値の変更結果が反映されるように制御部２０５は印刷システム１０００を制御する。つまり、これら機器固有の調整値（パラメータ）自体も、処理対象となるジョブの印刷処理に影響の有る条件値である。本実施形態では、このような機器固有の調整値（パラメータ）も、処理対象となる印刷ジョブに関する印刷処理条件の１例として包含される。
【０１３３】
又、本実施形態では、上述したような調整値以外にも、印刷出力結果に変化を与える要素がある事を想定している。例えば、印刷装置１００のスキャナ部２０１が具備するフィーダや、プリンタ部２０３のワイヤや、印刷媒体を搬送する為の各種ローラといった、部材は、その利用頻度や利用期間に応じて、汚れ等が生じえる。このような場合は、このような部材のクリーニングを行うことで、より高品位な出力結果が得られる。そこで、本実施形態では、確認プリントの実行後に、オペレータからの要求に基き、以下に示す３つのうちの少なくとも何れかの処置を印刷システム１０００で実行できるように制御部２０５が印刷システム１０００を制御する。
【０１３４】
（１）  フィーダのクリーニング
（２）  ワイヤのクリーニング
（３）  ローラのクリーニング
このような各種部材のクリーニングを印刷システム１０００の各種関係ユニットにより実行させたとする。この場合も、印刷装置１００を含む印刷システム１０００にて出力対象となる印刷ジョブの印刷出力結果に変化が生じる。このような印刷システム１０００が具備する部材のクリーニング処理も、処理対象となるジョブの印刷処理に影響の有る処理である。故に、このような、印刷システム１０００が具備する部材のクリーニング処理を実行することも、処理対象となる印刷ジョブに関する印刷処理条件を変更することの１例として包含される。
【０１３５】
そして、制御部２０５は、上述したような印刷システム１０００の機器固有の処理条件（パラメータ）の変更を、上述した確認プリント動作の実行後に、オペレータ操作に応じて、印刷システム１０００に実行させる。その後、制御部２０５は、この変更済の機器固有のパラメータに従った印刷プロセスでもって、この確認プリントが実行されたジョブを処理できるように印刷システム１０００を制御する。尚且つ、このジョブのみならず、他の印刷待ち行列のジョブ等、このジョブ以外のジョブについても、変更済の機器固有のパラメータに従った印刷プロセスでもって処理するように、制御部２０５は印刷システム１０００を制御する。
【０１３６】
このように、確認プリント実行後に複数のジョブの印刷処理条件に影響のある機器固有の処理条件をオペレータ要求に基き変更した上で、これら複数のジョブを印刷システム１０００で連続的に処理できるように制御部２０５は印刷システム１０００を制御する。この点も上述した試しコピー機能とは異なる点である。
【０１３７】
例えば、制御部２０５が、印刷システム１０００にて試しコピー動作を実行させたとする。この場合、制御部２０５は「この試しコピー動作が実行対象のジョブの印刷動作に関係し、且つこのジョブとは異なる他のジョブの印刷動作には関係しない印刷処理条件」を、操作部２０４を介して受付けたオペレータからの指示に従い変更できるように制御する。一方、制御部２０５が、この確認プリント動作を印刷システム１０００で実行させたとする。この場合、制御部２０５は「この確認プリント動作が実行対象のジョブの印刷動作に関係し、且つこのジョブとは異なる他のジョブの印刷動作にも関係する印刷処理条件」を操作部２０４を介して受付けたオペレータからの指示に従い変更できるように制御する。なお、制御部２０５は、後述する図１４Ｃの画面２４００Ｃなどを介して確認プリント実行後の設定変更をオペレータから受付ける。
【０１３８】
次に、この確認プリントに係る構成について、図１２Ｂ〜図１４Ｈ等を用いて更に説明する。
【０１３９】
例えば、まず、制御部２０５が、図７の表示を操作部２０４に実行させたとする。なお、この表示処理は後述する図１６のステップＳ１０１の処理に相当する。そして、この図７の表示を介して、制御部２０５が、処理対象のジョブの一連の印刷条件をオペレータから受付けたとする。なお、この印刷条件を受付ける処理は後述する図１６のステップＳ１０２の処理に相当する。また、ここでは、このジョブをジョブＸと称す。また、このジョブＸは、合計１０頁からなる一連の原稿をスキャナ部２０１で読取り、この読み取った原稿の印刷データを、ＨＤＤ２０９を介してプリンタ部２０３で印刷させるジョブとする。
【０１４０】
また、この図７の表示を介して、オペレータによりこのジョブＸの印刷条件として以下に例示の各処理条件が設定されたとする。
【０１４１】
（１）  印刷に要する印刷媒体の設定として、「用紙サイズがＡ３サイズで、且つ用紙の種類が厚紙」
（２）  印刷倍率は１００％
（３）  フィニシングの設定としてステイプル処理
（４）  トータルの印刷部数として「１００部」
以上の（１）〜（４）の各種処理条件のパラメータが、図７の表示を実行させた操作部２０４を介してオペレータにより設定されたとする。この場合、制御部２０５は、このオペレータの設定内容を反映するように操作部２０４を制御する。例えば、操作部２０４のタッチパネル部４０１の表示内容を、図７の表示内容から、図１３Ａに示す表示内容に更新させるように、タッチパネル部４０１を制御する。
【０１４２】
尚、図１３Ａに示す設定条件をみても分るように、このジョブＸは、「印刷部数分の印刷を要し、且つフィニシングの実行を要するジョブ」に該当する。この場合、制御部２０５は、先程と同様に、このジョブＸの為の試しコピー動作の実行指示をオペレータから受付ける事を許可する。そして、制御部２０５は、このジョブＸの為の試しコピー実行指示をオペレータが入力するために使用するキーとして、図１３Ａに示す画面のように、「試しコピー」キーを有効表示させる。この図１３Ａの「試しコピー」キーが押下された場合、制御部２０５は、図１１Ｂの表示をタッチパネル部４０１に実行させる。そして、制御部２０５は、この図１１Ｂの表示を介してジョブＸの為の試しコピー動作に係る設定をオペレータから受付ける。これにより、制御部２０５は、このジョブＸにおいても、図１２Ａを用いた説明と同様に、試しコピー動作を印刷システム１０００により実行可能にする。そして、制御部２０５は、ジョブＸの試しコピー動作を実行させたうえで、このジョブＸの本番用の印刷動作を実行可能に印刷システム１０００を制御する。
【０１４３】
次に、このジョブＸの本番用の印刷動作を開始する場合について説明する。ここで、例えば、上述した図１３Ａの表示をタッチパネル部４０１により実行させた状態において、オペレータがスタートキー５０３を押下したとする。これにより、制御部２０５は、ジョブＸの印刷動作の実行要求をオペレータから操作部２０４を介して受付けたと判断する。なお、この印刷実行要求（印刷開始要求）を受付けたか否かの判断は後述する図１６のステップＳ１０３の処理に相当する。また、この印刷動作は、確認プリント動作の実行対象となるジョブＸの本番用の印刷動作に相当する。また、このジョブＸの本番用の印刷動作が開始されるタイミングは、図１２ＢのＴ０の時点に相当する。
【０１４４】
このように、図１３Ａの画面をタッチパネル部４０１により表示させている状態にてスタートキー５０３が押下されたとする。そして、このスタートキー５０３が押下された時点にて、このジョブＸ以外に印刷要求が入力済の他のジョブがＨＤＤ２０９内に存在しないとする。この条件に合致する場合、制御部２０５は、このオペレータからのジョブＸの印刷実行要求に応答し、ジョブＸの一連の印刷動作を印刷システム１０００により開始させる。そして、このジョブＸの一連の印刷動作として、制御部２０５は、以下に示す複数の動作を実行するように印刷システム１０００を制御する。
【０１４５】
まず、上述したように、スタートキー５０３を介してジョブＸの印刷実行要求をオペレータから受付けたことに応じ、制御部２０５は、この１０頁分の原稿からなるジョブＸの原稿の読取動作をスキャナ部２０１により先頭頁から順次実行させる。そして、この読取動作を印刷システム１０００で開始させるのと同時に、このジョブＸの進捗状況（処理状況）をオペレータに確認させるための表示をタッチパネル部４０１に実行させる。この１例として、制御部２０５は、図１３Ｂに示す画面の表示をタッチパネル部４０１に実行させる。制御部２０５は、ジョブＸの印刷実行要求をオペレータから受付たタイミングでこの画面２３００Ａをポップアップ表示するようにタッチパネル部４０１を制御する。なお、この画面２３００Ａをポップアップ表示する処理は、後述する図１６のステップＳ１０４の処理に対応する。また、この画面２３００Ａは、印刷動作が開始されるジョブの処理状況等の進捗状況をリアルタイムにオペレータに通知出来るように構成されたジョブ処理状況画面である。尚、このジョブ処理状況の画面２３００Ａは、図１６に示す「印刷状況画面」に相当する。
【０１４６】
また、制御部２０５は、このジョブＸの一連の印刷動作を完遂する為に必要な動作（例えばジョブＸの読取動作、記憶動作、印刷動作、フィニシング動作等）を実行させるべき各ユニットから、このジョブＸに係るステータス情報を取得する。そして、制御部２０５は、この画面２３００Ａの表示内容がこのステータス情報を反映した表示内容となるように、タッチパネル部４０１を制御する。
【０１４７】
また、このジョブＸの一連の印刷動作を行う場合、上述したように、制御部２０５は、この１０頁分の原稿からなるジョブＸのスキャナ部２０１による読取動作を、先頭頁から順番に実行させる。そして制御部２０５は、この読取対象のジョブＸの印刷データを順次、ＨＤＤ２０９に記憶させる。なお、この記憶処理は、後述する図２６のステップＳ１０５に対応する。この段階において、ジョブＸの１頁目の印刷データのＨＤＤ２０９への蓄積が完了していないとする。たとえば、ＨＤＤ２０９からのデータ蓄積情報の通知を制御部２０５がまだ受信していないとする。この場合、制御部２０５は、ジョブＸの処理状況を示す画面２３００Ａの表示内容を図１３Ｂに示す表示内容となるようにタッチパネル部４０１を制御する。
【０１４８】
この図１３Ｂに示す画面の表示内容には、ジョブＸの印刷データのＨＤＤ２０９への読込中である事をオペレータに確認させる為の表示として「受付け番号０００１のジョブ（この例では、ジョブＸ）は読込中です」というメッセージが含まれる。また、この図１３Ｂに示す画面は、このジョブＸは１００部数分の印刷を要するジョブであるが、まだ、１部数分の印刷も行っておらず、且つ１枚も印刷していない事をオペレータが確認できるように構成されている。
【０１４９】
尚、図１３Ａ〜図１４Ｈや図１５に例示する画面一番下の表示欄２３００は、オペレータに通知すべき優先度の高いステータス情報が存在する場合に、そのステータス情報を表示できるように構成さているステータス表示部である。例えば、図１３Ａの段階では、ジョブＸの実際の処理はまだ開始していない。この場合、図１３Ａに示すように、制御部２０５は、表示欄２３００にはステータス情報を表示させないようにタッチパネル部４０１を制御する。一方、図１３Ｂの状態では、ＨＤＤ２０９へのジョブＸの読込動作中である。この場合、制御部２０５は、このジョブＸの処理状況を示す情報を表示欄２３００においても表示するように、タッチパネル部４０１を制御する。
【０１５０】
次に、図１３Ｂをタッチパネル部４０１に表示させた段階から、その後、ジョブＸの進捗状況に変化が生じたとする。例えば、このジョブＸの１頁目の印刷データは少なくともスキャナ部２０１からＨＤＤ２０９へ転送されたとする。そして、この情報をＨＤＤ２０９から制御部２０５が受取ったとする。すると、これに応答し、制御部２０５は、このＨＤＤ２０９に蓄積されたジョブＸの１頁目の印刷データの印刷をプリンタ部２０３により開始させる。この際、制御部２０５は、このジョブＸの１頁目の印刷動作に並行して、このジョブＸの後続頁の印刷データをＨＤＤ２０９へ記憶するための記憶動作も印刷システム１０００に実行させる。
【０１５１】
そして更に、制御部２０５は、このジョブＸの進捗状況の変化に対応するように、このジョブＸの処理状況を示すジョブ状況の画面２３００Ａの表示内容を図１３Ｂの内容から図１３Ｃに示す内容に更新するように、タッチパネル部４０１を制御する。
【０１５２】
この図１３Ｃに示す表示は、ジョブＸの印刷データのＨＤＤ２０９への記憶動作と同時に、ジョブＸの印刷データの印刷動作を実行している事をオペレータが確認できるように表示内容が更新されている。その１例として「受付け番号０００１のジョブ（この例では、ジョブＸ）は読込＋プリント中です」というメッセージを表示させている。また、図１３Ｃの画面は、このジョブＸが１００部数分の印刷を要するジョブであり、現在１部目の印刷（１セット目の印刷）の１枚目を印刷中である事をオペレータが確認できるように構成されている。尚、この画面２３００Ａのポップアップ表示が消去された場合でも、この情報をオペレータに通知できるように、図１３Ｃに示すように、制御部２０５は、この情報と同等の情報を表示欄２３００にも表示させる。
【０１５３】
この図１３Ｃをタッチパネル部４０１に表示させた段階は、ジョブＸの印刷動作をプリンタ部２０３により開始させ、現在このジョブＸの印刷動作が実行中の段階に該当する。即ち、このジョブＸは現在、プリンタ部２０３による印刷動作の実行中のジョブに該当する。この場合、制御部２０５は、このジョブＸの確認用の印刷物を印刷システム１０００にて出力させる為の確認プリント要求をオペレータから受付ける事を許可する。このように、ジョブＸが現在印刷実行中である事を条件に、制御部２０５は、このジョブＸの為の確認プリント要求をオペレータから受付可能にタッチパネル部４０１を制御する。
【０１５４】
例えば、図１３Ｃに示すように、画面２３００Ａのキー２３０１Ａを有効表示状態となるように制御部２０５はタッチパネル部４０１を制御する。そして、制御部２０５は、この有効表示状態のキー２３０１Ａを介して、現在印刷動作中のジョブに該当するジョブＸの確認プリント要求をオペレータから受付る。
【０１５５】
尚、このジョブＸがプリンタ部２０３により現在印刷実行中では無いとする。この場合、制御部２０５は、ジョブＸの為の確認プリント要求をオペレータから受付ける事は禁止する。
【０１５６】
例えば、図１３Ｂの段階では、ジョブＸのＨＤＤ２０９への記憶動作自体は開始されたが、まだジョブＸの印刷データのプリントは開始していない状況である。この場合、制御部２０５は、図１３Ｂの段階にてこのジョブＸの為の確認プリント要求を受付ける事は禁止する。この場合、制御部２０５は、図１３Ｂに示すように、キー２３０１Ａをオペレータが押下出来ないように、キー２３０１Ａを無効表示状態となるようタッチパネル部４０１を制御する。このように、制御部２０５は、印刷システム１０００にて処理対象のジョブが現在プリント中のジョブには該当しない場合、このジョブの確認プリント要求をオペレータから受付る事は禁止するように制御する。尚、このキー２３０１Ａの表示を無効化する方法として、図１３Ｂのようにグレーアウト表示を行う構成でも良いし、網掛け表示や非表示等の他の無効化表示を行う構成でも良い。
【０１５７】
次に、図１３Ｃの表示段階からその後更に、ジョブＸの進捗状況に変化が生じたとする。例えば、この１０頁の原稿からなるジョブＸの全頁をスキャナ部２０１からＨＤＤ２０９へ転送したとする。例えば、このジョブＸのＨＤＤ２０９への記憶動作に関して、１０ページ分全て完了したとする。そして、現在、ＨＤＤ２０９からこのジョブＸの印刷データを、このジョブＸにて要するトータル１００部数分の印刷完遂目指して、印刷実行中であるとする。このような状況である事を特定する為の各種情報を、制御部２０５は、操作部２０４やスキャナ部２０１やＨＤＤ２０９やプリンタ部２０３から、取得する。このように処理状況が変化した場合も、制御部２０５は、この取得した情報に基いた表示内容となるように画面２３００Ａの表示内容を更新するようにタッチパネル部４０１を制御する。
【０１５８】
例えば、制御部２０５は、このジョブＸの進捗状況の変化に対応するように、このジョブＸの処理状況を示す画面２３００Ａの表示内容が図１３Ｄに示す表示内容となるように、タッチパネル部４０１を制御する。
【０１５９】
この図１３Ｄに示す表示は、ジョブＸの印刷データのＨＤＤ２０９への記憶動作は完了し、現在ジョブＸの印刷データの印刷動作を実行している事をオペレータに確認できるように構成された表示である。例えば図１３Ｄの画面では、「受付け番号０００１のジョブ（この例では、ジョブＸ）はプリント中です」というメッセージを表示させている。また、この図１３Ｄの画面では、このジョブＸは合計１００部数分の印刷を要するジョブであり、そのうち現在、３部目の印刷（３セット目の印刷）の１０枚目を印刷中である事をオペレータに通知している。尚、図１３Ｄの表示段階も、図１３Ｃの表示段階と同様、ジョブＸの印刷実行中の段階に該当する。この場合も、図１３Ｄの表示に示すように、制御部２０５は、画面２３００Ａの「確認プリント」のキー２３０１Ａが有効表示状態となるようにタッチパネル部４０１を制御する。このように、印刷実行要求がなされた処理対象のジョブが現在印刷実行中のジョブに該当する場合、制御部２０５は、そのジョブの為の確認プリント要求をオペレータから受付ける事は許可するように（有効となるように）制御する。尚、この画面２３００Ａのポップアップ表示が消去された場合でも、オペレータにこのジョブの処理状況がわかるようにこのジョブのステータス情報を表示欄２３００にも表示させるように、制御部２０５はタッチパネル部４０１を制御する。
【０１６０】
このように、制御部２０５は、印刷実行要求が行われたジョブの画面２３００Ａの表示内容を、そのジョブの印刷システム１０００における処理状況に連動してリアルタイムに更新するように、タッチパネル部４０１を制御する。この１例として図１３Ａ〜図１３Ｄの一連の表示遷移の制御例のように、制御部２０５は、ジョブＸの印刷システム１０００における進捗状況に応じて、ジョブＸの処理状況を示す画面２３００Ａの表示内容を順次更新するようにタッチパネル部４０１を制御する。また、制御部２０５は、タッチパネル部４０１の下方部に設けた表示欄２３００の表示内容も、この処理対象のジョブの処理状況に連動した表示内容となるようにタッチパネル部４０１を制御する。
【０１６１】
また、制御部２０５は、印刷実行要求がなされた処理対象のジョブが印刷システム１０００により印刷実行中か否かに基いてそのジョブの確認プリント要求の受付可否を決定する。例えば、ジョブＸの印刷動作がプリンタ部２０３により実行中である事を条件に、制御部２０５は、図１３Ｃや図１３Ｄに示すようにキー２３０１Ａをオペレータが押下できるように操作部２０４を制御する。これにより、このキー２３０１Ａを介してジョブＸの確認プリント要求をオペレータから受付ける事を許可する。このように、印刷実行要求がなされた処理対象のジョブが現在印刷実行中のジョブに該当する場合、制御部２０５は、そのジョブの為の確認プリント要求をオペレータから受付ける事を許可するように（有効となるように）制御する。
【０１６２】
一方、このジョブＸが現在印刷実行中でない場合、図１３Ｂに示したように、制御部２０５は、キー２３０１Ａをオペレータが押下することができないように無効表示状態にし、このジョブＸの為に確認プリント要求をオペレータから受付ける事は禁止する。このように、印刷実行要求がなされた処理対象のジョブが現在印刷実行中のジョブには該当しない場合、制御部２０５は、そのジョブの為の確認プリント要求をオペレータから受付ける事は禁止するように（無効となるように）制御する。
【０１６３】
次に、例えば、図１３Ｄの表示をタッチパネル部４０１に実行させた状態にて、図１３Ｄのジョブ処理状況の画面２３００Ａにて有効表示状態のキー２３０１Ａがオペレータにより押下されたとする。この場合、制御部２０５は、このキー操作に応答して、図１３Ｅに示す表示をタッチパネル部４０１に実行させる。なお、この処理は、後述する図１６のステップＳ１０９でＹＥＳと判定し、ステップＳ１１０の処理へ進むケースに相当する。
【０１６４】
この図１３Ｅに示す画面２３００Ｂは、確認プリント動作が実行されるべきジョブのために上述の第１タイプの確認プリント動作と第２タイプの確認プリント動作のどちらを実行させるかをオペレータが決定できるように構成された表示画面である。この図１３Ｅの画面２３００Ｂは、図１６に記す「確認プリントの種類の選択画面」に相当する。
【０１６５】
この画面２３００Ｂに具備される「全ページ」キー２３０１Ｂは、確認プリント動作の実行が許可対象のジョブのために第１タイプの確認プリント動作を印刷システム１０００に実行させる指示をオペレータが入力可能に構成された表示キーである。
【０１６６】
また、画面２３００Ｂに具備される「１枚（自動）」キー２３０２Ｂは、確認プリント動作の実行が許可されているジョブのために第２タイプの確認プリント動作を印刷システム１０００に実行させる指示をオペレータが入力可能に構成された表示キーである。
【０１６７】
制御部２０５は、このキー２３０１Ｂ及びキー２３０２Ｂによる選択は択一的な選択となるように制御する。また、オペレータが２３０１Ｂを選択した場合を除き、この画面２３００Ｂのキー２３０２Ｂが選択状態となるように制御部２０５は制御する。そして、何れかの確認プリント動作がこれらのキーの何れかの選択により決定され、図１３Ｅの表示の「プリント開始」キー２３０４Ｂがオペレータにより押下された時点で、制御部２０５は、確認プリント動作の実行要求をオペレータから受付けたと判断する。一方、キー２３０４Ｂが押下されない場合、制御部２０５は、確認プリント動作の実行が許可されているジョブの為の確認プリント動作は開始しないよう制御している。
【０１６８】
例えば、現在の状況として、図１３Ｅの表示を操作部２０４により実行させた状態であり、且つ、キー２３０４Ｂがオペレータにより押下されていない状態であるとする。なお、この判断は、後述する図１６のステップＳ１１１にてＮＯと判定したケースに対応する。そして、この状況の場合、制御部２０５は、ジョブＸの確認プリント動作を開始させる事は禁止している。この状況の場合、制御部２０５は、このジョブＸの本番用の印刷動作の完遂を目指して、印刷システム１０００によるジョブＸの本番用の印刷動作を引き続き継続して実行させるように印刷システム１０００を制御する。尚且つ、この状況をリアルタイムにオペレータに通知するようにジョブＸのジョブ処理状況画面の表示内容も印刷状況に連動して更新するようタッチパネル部４０１を制御する。
【０１６９】
この点に関し、例えば、図１３Ｄの表示の段階では、１０頁分の印刷データの１００部数分の印刷を本番用の印刷動作にて要するジョブＸの３部目（３セット目）の印刷を実行中であった。その後、制御部２０５は、図１３Ｅの表示を操作部２０４により実行させる。且つ、図１３Ｅの表示のキー２３０４Ｂがオペレータにより押下されていない事を確認している。この状況下の場合、制御部２０５は、確認プリント動作の対象として許可するジョブＸの本番用の印刷動作を印刷システム１０００で継続させる。例えば、現在、制御部２０５は、ジョブＸの４部目（４セット目）の印刷をプリンタ部２０３により実行させている最中であるとする。この場合、制御部２０５は、「受付け番号０００１のジョブＸが、現在プリント中であり、且つ現在トータル１００部（１００セット）のうちの４部目（４セット目）を印刷中である事をオペレータに通知する為にタッチパネル部４０１を制御する。この１例として、制御部２０５は、画面２３００Ｂを表示させたままの状態であっても、図１３Ｅに示すように、ジョブＸの処理状況として、「０００１  コピー  プリント中です（４／１００）」というメッセージを表示欄２３００で表示するよう制御している。
【０１７０】
その後、この図１３Ｅの画面２３００Ｂの「全ページ」キー２３０１Ｂがオペレータにより押下されたうえで「プリント開始」キー２３０４Ｂがオペレータにより押下されたとする。すると、このキー操作に応答し、制御部２０５は、第１タイプの確認プリント動作の実行要求がオペレータにより入力されたと判断する。なお、この判断は、後述する図１６のステップＳ１１１においてＹＥＳと判定したケースに対応する。そして、この要求が入力されたことをうけて、制御部２０５は、印刷システム１０００により現在実行中のジョブに該当するジョブＸの本番用の印刷動作を停止（中断）させるように印刷システム１０００を制御する。そして、制御部２０５は、このジョブＸの本番用の印刷動作を中断させた直後に、このジョブＸの確認プリント動作として、第２タイプの確認プリント動作は実行させずに第１タイプのプリント動作を開始させるように印刷システム１０００を制御する。
【０１７１】
一方、この図１３Ｅの画面２３００Ｂの「１枚（自動）」キー２３０２Ｂがオペレータにより押下されたうえで「プリント開始」キー２３０４Ｂがオペレータにより押下されたとする。この場合、このキー操作に応答し、制御部２０５は、第２タイプの確認プリント動作の実行要求がオペレータにより入力されたと判断する。この場合、制御部２０５は、印刷システム１０００により現在実行中のジョブに該当するジョブＸの本番用の印刷動作を停止（中断）させる。そして、その直後に、このジョブＸの確認プリント動作として、第１タイプの確認プリント動作は実行させずに第２タイプのプリント動作を開始させるように印刷システム１０００を制御する。
【０１７２】
また、上述したように、本番用の印刷動作の代わりに印刷システム１０００にて開始させる「第１タイプの確認プリント動作」では、その本番用の印刷動作における１セット分の印刷にて印刷対象となる全ページの印刷データが全て１回分印刷さえる。例えば、この例の場合、制御部２０５は、ジョブＸの第１タイプの確認プリント動作として、ジョブＸの１０頁分の印刷データを全頁１回分印刷するように印刷システム１０００を制御する。
【０１７３】
一方、上述したように、本番用の印刷動作の代わりに印刷システム１０００に開始させる「第２タイプの確認プリント動作」では、その本番用の印刷動作における１セット分の印刷にて印刷対象となる全ページのうちの特定頁のみが１枚印刷される。本実施形態では、上述したように、確認プリント要求が入力された時点で丁度印刷中の頁に該当する頁を印刷させるように制御している。例えば、オペレータにより、画面２３００Ｂの「１枚（自動）」キー２３０２Ｂが押下されたうえで「プリント開始」キー２３０４Ｂが押下されたとする。このキー２３０４Ｂの指示が入力されたタイミングの時点にて、ジョブＸの４セット目の印刷動作として、ジョブＸの７頁目の印刷を開始するようにプリンタ部２０３に制御部２０５が指示した段階であったとする。このように、ＨＤＤ２０９からジョブＸの７頁目の印刷データを読出させ、その７頁目の印刷が対象となる１枚の印刷媒体を給紙部から給送させる為の給紙コマンドをプリンタ部２０３に発行した段階であるとする。この場合、制御部２０５は、このジョブＸの本番用の印刷動作を中断させた直後に、第２タイプの確認プリント動作として、ジョブＸの７頁目の印刷データのみを１枚の印刷媒体に印刷するように印刷システム１０００を制御する。このように、キー２３０２Ｂが押下されキー２３０４Ｂが押下された場合、制御部２０５は、その時点でそのジョブの本番用の印刷動作の何頁目の印刷を行おうとしているのかを確認する。そして、その確認した頁のみを確認プリント動作にて印刷させるように制御する。このように、第２タイプの確認プリント動作にて印刷されるページは、オペレータが確認プリント要求を入力したタイミングに基いて自動的に決定され、そのページが１枚の印刷媒体に印刷される。
【０１７４】
尚、図１３Ｅの「キャンセル」キー２３０３Ｂがオペレータにより押下されたとする。この場合、このキー操作に応答し、制御部２０５は、確認プリント動作の実行を許可するジョブの為の確認プリントに関する設定をキャンセルする。そして、この場合、画面２３００Ｂのポップアップ表示は終了し、このジョブの進捗状況を示す画面２３００Ａを再度、タッチパネル部４０１に表示するように制御部２０５は操作部２０４を制御する。例えば、このケースではジョブＸの画面２３００Ａが再度表示される。
【０１７５】
又、本実施形態では、第２タイプの確認プリント動作にて、制御部２０５自身の判断で、自動的に確認プリント対象とする印刷頁を特定し、その特定頁の印刷のみを１枚の印刷媒体に実行するように制御部２０５により制御する構成を説明した。しかし、これ以外の構成でも良い。例えば、キー２３０２Ｂがオペレータにより押下された後に、確認プリントの実行を許可するジョブの印刷データのうちの任意の頁を、オペレータ自身が１ページ特定する。そして、オペレータによる任意の頁が選択され、キー２３０４Ｂが押下された事に応答し、制御部２０５が、そのオペレータにより指定された任意の頁の印刷データを１枚の印刷媒体にプリントし、出力させるように制御する。このような構成でも良い。但し、この構成でも、このような確認プリント要求は、そのジョブが現在印刷動作中のジョブである事を条件とする。
【０１７６】
以上説明したように、オペレータが図１３Ｅの画面２３００Ｂにて、確認プリントの種類を選択すべく、キー２３０１Ｂ及びキー２３０２Ｂの何れかを指示し、更に、確認プリント要求を入力すべく、キー２３０４Ｂが指示されたとする。これにより制御部２０５は、確認プリント要求がオペレータによりなされたと判断する。なお、この処理は、後述する図１６のステップＳ１１１においてＹＥＳと判定したケースに対応する。そして、これを受け、制御部２０５は、ジョブＸの本番用の印刷動作を自動的に中断（停止）させるように印刷システム１０００を制御する。なお、この処理は、後述する図１６のステップＳ１１４の処理に対応する。そして、制御部２０５は、このジョブＸの本番用の印刷動作を中断させたうえで、このジョブＸの確認プリントとして、画面２３００Ｂにてオペレータにより選択された種類の確認プリント動作を、印刷システム１０００にて自動的に開始させるように制御する。なお、この処理は、後述する図１６のステップＳ１１５の処理に対応する。そしてその後、ジョブＸの為の確認プリント動作が印刷システム１０００にて完了（終了）したとする。すると、制御部２０５は、このジョブＸの確認プリント動作が終了した事に応じて、このジョブＸの本番用の印刷動作を自動的に再開（継続）させるように、印刷システム１０００を制御する。なお、これらの処理は、後述する図１６のステップＳ１１６からステップＳ１１７までの処理に対応する。
【０１７７】
また、このように確認プリント動作が実行されたジョブの本番用の印刷動作を印刷システム１０００で再開させるとする。この場合、制御部２０５は、この確認プリント動作の実行要求がオペレータにより入力される直前迄に既に処理済の印刷分については、この再開動作の際においては印刷しないように印刷システム１０００を制御する。そして、確認プリント動作が終了した事に応じて自動的に再開させるこの本番用の印刷動作では、確認プリント動作の実行前にそのジョブにて未処理部分（残り部分）の印刷動作のみを実行するように、制御部２０５は印刷システム１０００を制御する。
【０１７８】
例えば、上記確認プリント動作の対象のジョブＸは、本番用の印刷動作として、「１０頁からなる一連の印刷データをトータルで１００部数分（１００セット分）印刷を実行する必要があるジョブ」である。且つ、上述した例では、このジョブＸの為の確認プリント動作の実行要求が図１３Ｅのキー２３０４Ｂを用いてオペレータ入力される直前迄に、既に、ジョブＸの本番用の印刷動作として、４部目（４セット目）の７頁目の印刷までを実行済の状況である。この場合、制御部２０５は、確認プリント動作が終了した事に応じて自動的に再開させるジョブＸの本番用の印刷動作としては、以下の動作を、順次、実行するように、印刷システム１０００を制御する。
【０１７９】
（１）  ４部目（４セット目）の印刷を完了させるべく、ジョブＸの８〜１０頁目までの印刷データを、３枚の印刷用紙を用いて、１ページずつ印刷させる。
【０１８０】
（２）  ５セット目の印刷から、最終部数に該当する１００セット目の印刷までを、完了させる。
【０１８１】
即ち、ジョブＸの確認プリント動作直後に自動的に再開させるジョブＸの印刷動作では、［４セット目の残り印刷枚数３枚］と、［５セット目〜１００セット目の印刷分に該当する（１０枚×９５セット）］との合計に相当する、９５３枚分の印刷を実行させる。
【０１８２】
このように本実施形態にて、この確認プリント動作が行われる場合、制御部２０５は、以下に示す動作を順次、自動的に、実行させるように印刷システム１０００を制御する。
【０１８３】
［動作１］  まず、制御部２０５は、スタートキー５０３を用いたオペレータからの印刷実行要求の入力に応答して、処理対象となるジョブの印刷動作を印刷システム１０００に開始させる。この印刷動作は、確認プリント動作が実行される対象となるジョブの本番用の印刷動作に相当する。この印刷動作の開始のタイミングは図１２ＢのＴ０の時点に相当する。また、この［動作１］は、図１２ＢのＴ０時点からＴＸ時点直前までの期間中にて印刷システム１０００にて実行される図１２Ｂの［工程１］の動作に相当する。
【０１８４】
［動作２］  次に、制御部２０５は、キー２３０４Ｂを用いたオペレータからの確認プリント動作の実行要求の入力に応答し、この本番用の印刷動作を中断させる。そして、この本番用の印刷動作の中断直後に、制御部２０５は、そのジョブの確認プリント動作を印刷システム１０００により自動的に開始させる。この確認プリント動作では、この印刷動作が中断されたジョブの印刷データを用いた印刷処理が実行される。また、このキー２３０４Ｂの入力に先立ち、画面２３００Ｂのキー２３０１Ｂがオペレータにより入力されていたとする。この場合、制御部２０５は、この確認プリント動作にて上述の第１タイプの確認プリント動作を印刷システム１０００に実行させる。一方、このキー２３０４Ｂの入力に先立ち、画面２３００Ｂのキー２３０２Ｂがオペレータにより入力されていたとする。この場合、制御部２０５は、この確認プリント動作にて上述の第２タイプの確認プリント動作を印刷システム１０００に実行させる。この確認プリントの開始タイミングは図１２ＢのＴＸの時点に相当する。また、この［動作２］における確認プリント動作が、図１２ＢのＴＸ時点からＴＹ時点直前までの期間中にて実行される図１２Ｂの［工程２］の動作に相当する。
【０１８５】
［動作３］  次に、制御部２０５は、この確認プリント動作の終了直後に、上述の印刷中断対象のジョブの本番用の印刷動作を印刷システム１０００により自動的に再開（継続）させる。この印刷動作を再開するタイミングが図１２ＢのＴＹの時点に相当する。そして、この［動作３］は、図１２ＢのＴＹの時点から図１２Ｂの最後の直前までの期間中にて実行される図１２Ｂの［工程３］の動作に相当する。
【０１８６】
図１２Ｂの制御シーケンスを参照しても分るように、この確認プリント機能を利用する場合、印刷システム１０００の印刷動作が無駄に停止されることなく連続運転出来るように、制御部２０５は印刷システム１０００を制御する。
【０１８７】
例えば、図１２ＢのＴ０時点からＴＸ時点までの期間中において、図１２Ｂの［工程１］のように、制御部２０５は、プリンタ部２０３による印刷動作を実行できるようにする。なおかつ、図１２ＢのＴＸ時点からＴＹ時点までの期間中においても、図１２Ｂの［工程２］のように、制御部２０５は、プリンタ部２０３による印刷動作を停止させること無く持続（継続）できるように印刷システム１０００を制御する。なおかつ、図１２ＢのＴＹ時点から図１２Ｂの最後の時点までの期間中においても、図１２Ｂの［工程３］のように、制御部２０５は、プリンタ部２０３による印刷動作を停止させることなく持続（継続）できるように印刷システム１０００を制御する。
【０１８８】
このように、印刷システム１０００にて確認プリント機能に関する動作を実行させたとしても、印刷システム１０００における印刷動作を無駄に止めずに連続動作できるように構成されている。
【０１８９】
このような確認プリント機能に関する仕組みも、上述した試しコピー機能とは異なる点である。
【０１９０】
例えば、図１２Ａに示すように、試しコピー動作を実行するケースにおいては、図１２ＡのＴ１時点〜Ｔ２時点迄の期間中は、この試しコピー動作対象のジョブに係る印刷動作が停止状態となるように、制御部２０５は印刷システム１０００を制御する。一方、確認プリント動作を印刷システム１０００にて実行するケースでは、図１２Ｂに示す如く、確認プリント動作対象のジョブに係るプリンタ部２０３による印刷動作が図１２Ｂのどの期間においても継続可能に制御部２０５は印刷システム１０００を制御する。
【０１９１】
このように、本実施形態の印刷システム１０００は、試しコピー動作の実行時における印刷システム１０００の稼動率よりも高い稼働率で確認プリント動作が実行可能に、制御部２０５により制御される。
【０１９２】
なお上述したように図１２ＡのＴ１〜Ｔ２の期間中、制御部２０５は、試しコピー動作対象のジョブに関する印刷動作の実行は禁止している。しかし、この状況下においても、例えば、この試しコピー動作対象のジョブとは異なる他の印刷待ち状態のジョブの印刷データがＨＤＤ２０９に記憶されているとする。この場合、制御部２０５は、その他のジョブの印刷動作を図１２ＡのＴ１〜Ｔ２の期間中にて実行させる事を許可する。このように、試しコピー動作が実行されたジョブがオペレータの介入操作待ちの状態である事を条件に、制御部２０５は、そのジョブ以外の他のジョブの印刷動作を印刷システム１０００にて実行可能にする。
【０１９３】
これにより、試しコピー動作を印刷システム１０００にて実行させる場合であっても、印刷システム１０００の稼働率が無駄に低下しないようにする事ができるという効果が上述した効果に加えて更に得られる。且つ、複数のジョブを処理するのに必要なトータルの所要時間の短縮化という効果が可能な限り向上可能となるという更なる効果が得られる。
【０１９４】
なお、上述したように、制御部２０５は、プリンタ部２０３によるジョブＸの本番用の印刷動作の実行中にキー２３０４Ｂがオペレータから入力された事を受け、このジョブＸの本番用の印刷動作を中断させる。そして、このジョブＸの印刷動作を中断させた時点から、制御部２０５は、このジョブＸの確認プリント動作を印刷システム１０００に開始させる。そして、このジョブＸの確認プリント動作が終了したことに応じて、制御部２０５は、この時点から、この印刷中断対象のジョブＸの本番用の印刷動作を印刷装置１００により再開させる（継続）させる。このようにジョブＸの本番用の印刷動作が再び実行期間中になったら、制御部２０５は再度、このジョブＸの画面２３００Ａをタッチパネル部４０１に自動的に表示させる。
【０１９５】
また、上述したように、キー２３０４Ｂが押下された場合、自動的に、この図１３Ｅの画面２３００Ｂのポップアップ表示は終了し、ジョブＸの画面２３００Ａを再度表示するように、制御部２０５はタッチパネル部４０１を制御する。この１例として、制御部２０５は、ジョブＸの本番用の印刷動作が再開された時点から図１３Ｆに示す表示をタッチパネル部４０１に実行させる。
【０１９６】
この図１３Ｆの表示をタッチパネル部４０１により実行させている段階は、ジョブＸの確認プリント動作も終了し、現在、ジョブＸの印刷動作を再開させている段階に該当する。この段階は、図１２Ｂの［工程３］の動作を印刷システム１０００にて実行期間中の段階に該当する。
【０１９７】
上述したように、ジョブＸの確認プリント動作の終了に応じて制御部２０５がジョブＸの印刷動作を印刷システム１０００により自動的に再開させたとする。そして、印刷システム１０００にて再開させたジョブＸの本番用の印刷動作の進捗状況として現在、ジョブＸの３４部目（３４セット目）の１０枚目を印刷実行中であるとする。この場合、制御部２０５は、図１３Ｆの画面２３００Ａに示すように、受付番号０００１のジョブに該当するジョブＸの画面の表示内容もこの現在の印刷進捗状況に合致した表示内容となるようにタッチパネル部４０１を制御する。
【０１９８】
ここで、制御部２０５は、タッチパネル部４０１に再表示させたこの図１３Ｆに示す画面２３００Ａにおいても上述した「確認プリント」のキー２３０１Ａが有効表示状態となるように、タッチパネル部４０１を制御する。そして、この図１３Ｆの画面２３００Ａにて有効表示状態のキー２３０１Ａがオペレータにより押下されたとする。この場合、このキー操作に応答して、制御部２０５は、図１３Ｅに示す確認プリントの種類の選択の画面２３００Ｂを再度タッチパネル部４０１に表示させる。
【０１９９】
そして、タッチパネル部４０１に再表示させた図１３Ｅの画面２３００Ｂを介してキー２３０４Ｂが再度押下されたとする。この場合、制御部２０５は、このキー２３０４Ｂによる２回目の確認プリント要求に応答し、以下の動作を順次実行するように印刷システム１０００を制御する。
【０２００】
［動作Ａ１］  ジョブＸの１回目の確認プリント動作の終了に応じて印刷システム１０００により再開済みのこのジョブＸの本番用の印刷動作を制御部２０５は再度、中断させる。
【０２０１】
［動作Ａ２］  このジョブＸの印刷動作が中断された直後に、制御部２０５は、このジョブＸの２回目の確認プリント動作を印刷システム１０００に実行させる。なお、この２回目の確認プリント動作でも、この印刷動作が中断されたジョブＸの印刷データを用いた印刷処理が実行される。また、キー２３０４Ｂによる２回目の確認プリント要求の入力に先立ち、画面２３００Ｂのキー２３０１Ｂがオペレータにより入力されていたとする。この場合、制御部２０５は、この２回目の確認プリント動作にて上述の第１タイプの確認プリント動作を印刷システム１０００に実行させる。一方、キー２３０４Ｂによる２回目の確認プリント要求の入力に先立ち、画面２３００Ｂのキー２３０２Ｂがオペレータにより入力されていたとする。この場合、制御部２０５は、この２回目の確認プリント動作にて上述の第２タイプの確認プリント動作を印刷システム１０００に実行させる。
【０２０２】
［動作Ａ３］  このジョブＸの為の２回目の確認プリント動作が終了した直後に、制御部２０５は、このジョブＸの本番用の印刷動作を印刷システム１０００にて再度自動的に再開（継続）させる。このように確認プリント動作が２回行われたジョブＸの２回目の印刷再開動作が行われる。
【０２０３】
尚、この［動作Ａ３］にて再開対象となるジョブＸの本番用の印刷動作では、この［動作Ａ２］の開始直前までに処理した分の印刷は実行させずに、［動作Ａ２］の開始直前までの段階にて未処理であった部分に相当する印刷動作を実行させる。例えば、図１３Ｆの表示の直後にジョブＸの為の２回目の確認プリント要求がキー２３０４Ｂを介して入力されたとする。この場合には、１０頁からなる一連の印刷データをトータル１００セット分印刷するジョブに該当するジョブＸの３４セット目の１０枚目の印刷までは、既に処理済である。故にこの場合、制御部２０５は、この［動作Ａ３］として、ジョブＸの３５セット目の印刷から１００セット目の印刷までを実行させるように制御する。
【０２０４】
このように、印刷が再開されたジョブの本番用の印刷動作が未完了であり、且つ現在実行中である事を条件に、制御部２０５は、そのジョブの為の確認プリント要求を再びオペレータから受付ける事を許可するように操作部２０４を制御する。そして、この確認プリント要求が再度オペレータから要求されたとする。この場合、制御部２０５は、この確認プリント要求が再度実行されたジョブに関して、上述の一連の処理（即ち、本番用の印刷動作の中断処理、このジョブの確認プリント、このジョブの本番用の印刷動作の再開）を再び印刷システム１０００に実行させる。
【０２０５】
以上のように、本実施形態では、本番用の印刷動作が実行中であるならば、そのジョブの為の確認プリント要求を何回でも繰り返し、オペレータから受付ける事を制御部２０５は許可する。そして、制御部２０５は、確認プリント要求が入力される毎に何回でもそのジョブの確認プリント動作を実行可能に印刷システム１０００を制御する。
【０２０６】
例えば、処理対象のジョブが５０００枚もの大量枚数の印刷を要するジョブであるとする。この場合に、例えば、１０００枚目の印刷を行った時点で、そのジョブの為の１回目の確認プリントを実行する。その後、２５００枚目の印刷を行った時点で、そのジョブの為の２回目の確認プリントを実行させる。その後、更に、４０００枚目の印刷を行った時点で、そのジョブの為の３回目の確認プリントを実行させる。
【０２０７】
このように、本実施形態の印刷システム１０００は、同一ジョブでも、定期的に繰り返し確認プリント動作を実行できるように印刷システム１０００を制御することができる。これにより、例えば、大量に印刷が行われるジョブの本番用の印刷動作にて出力される印刷物の出力結果に問題がないか否かを、印刷動作は継続させたままの状態で、抜き取りチェックのようにオペレータが定期的に確認する事ができる。又、出力結果の濃度や印刷位置等の変化が、印刷を継続させている最中に生じていないか否かを、生産性を損なう事無く、定期的にオペレータがチェック可能となる。また、例えば、大量枚数の印刷を要するジョブの本番用の印刷物の出力結果に変化が生じれば、速やかに、印刷条件を変更して、その印刷動作を継続させることができる。これにより、例えば、以下に示すような問題が発生することも未然に防止することができるという効果が得られる。
【０２０８】
（１）  大量枚数の印刷を要するジョブの本番用の印刷動作を全て完了した後に、このジョブの大量の印刷結果をオペレータが全て検品した結果、印刷物の出力結果が途中から変化していることにその時点で初めてオペレータが気づくといった問題。
【０２０９】
（２）  （１）の問題が発生した事に起因して、本番用の印刷動作が全て完了した後に最初からもう一度そのジョブの本番用の印刷動作をやり直すといった問題。且つ、この問題の発生が原因で、必要以上に資源を利用したり、必要以上に作業時間が要求されるといった資源の無駄使いや無駄な作業時間の発生の問題。
【０２１０】
本実施形態では更に、確認プリント動作の実行直後にオペレータから受付を許可するオペレータ要求として、例えば以下に示す要求（１）〜（４）の少なくとも何れかを含む複数種類の要求を選択的に受付可能に制御部２０５が印刷システム１０００を制御する。
【０２１１】
［確認プリント実行直後に制御部２０５が受付を許可するオペレータ要求（１）］
この要求（１）は、確認プリント動作が実行され、且つに本番用の印刷動作が再開されたジョブの本番用の印刷動作を一時停止させるオペレータ要求である。
【０２１２】
制御部２０５は、確認プリントが済んだジョブの本番用の印刷動作が印刷システム１０００にて再開している期間中にこの要求（１）を操作部２０４を介してオペレータから受け付け可能にする。そして、この要求（１）を受付けた場合、制御部２０５は、その本番用の印刷動作を一時停止するよう印刷システム１０００を制御する。このケースの場合、このジョブの一時停止期間中に、そのジョブの出力結果、及び他の印刷待ちの後続ジョブの印刷結果に影響のある機器固有の処理条件をオペレータが変更できるように、制御部２０５は操作部２０４を制御する。そして、この処理条件の変更が済んだら、制御部２０５は、その変更後の処理条件でもって、そのジョブの本番用の印刷動作を再開するよう印刷システム１０００を制御する。そして、そのジョブの印刷動作が完了したら、制御部２０５は、その変更後の処理条件でもって、ＨＤＤ２０９に印刷データが記憶済の他の印刷待ち状態の後続ジョブの本番用の印刷動作を開始させるように、印刷システム１０００を制御する。
【０２１３】
このように制御部２０５は、１つのジョブの確認プリントが実行された後にこのジョブを含む複数のジョブの出力結果に影響がある（複数のジョブに共通する）処理パラメータに該当する、印刷システム１０００固有の処理条件に関する印刷処理条件を変更（調整）できるようにする。そして制御部２０５は、その変更後の処理条件でこれら複数のジョブの印刷動作を連続的に印刷システム１０００により実行できるようにする。
【０２１４】
この要求（１）に基いた制御に関する具体例を、上述したジョブＸを用いて説明する。
【０２１５】
例えば現在、ジョブＸの本番用の印刷動作が再開され、この印刷動作が印刷システム１０００にて実行している最中であるとする。そして、このようにジョブＸの印刷動作が再開されている最中にて、上述した確認プリント動作により出力済のこのジョブＸの確認用の印刷物の出力結果を目視で確認しているとする。そして、このジョブＸの確認用の印刷物の出力結果を目視で確認した結果、オペレータが、印刷システム１０００機器固有の処理条件を変更する必要があると判断したとする。
【０２１６】
この状況の場合、図１３Ｆに示すように、画面２３００Ａが表示されたままの状態であっても「システム状況／中止」キー２３０１が有効表示されるように、制御部２０５はタッチパネル部４０１を制御する。
【０２１７】
そして、この状況にて、このキー２３０１がオペレータにより押下されたとする。この場合、ジョブＸの本番用の印刷動作は印刷システム１０００で継続させたままの状態で、制御部２０５は、このキー２３０１の操作に応答して、図１４Ａに示す表示をタッチパネル部４０１に実行させる。
【０２１８】
この図１４Ａに示す画面２４００Ａには、以下に示す情報に基いた表示内容が表示されるように、制御部２０５はタッチパネル部４０１を制御する。
【０２１９】
（情報１）  この情報１は、印刷システム１０００のシステム構成情報である。この情報は、例えば、印刷装置１００にどのようなシート処理装置がどのような順序で何台接続されているのかをオペレータに通知するための情報である。
【０２２０】
（情報２）  この情報２は、印刷中のジョブ、及び印刷待ち状態のジョブを含む、印刷対象のデータがＨＤＤ２０９に記憶された、プリンタ部２０３で印刷すべき各ジョブの情報である。例えば、受付け番号や、受付け時刻、ジョブ名（ジョブの種類）、ユーザ名、状況等の情報が、この情報２に含まれている。
【０２２１】
これら（情報１）や（情報２）に基いて、制御部２０５は、図１４Ａに示すように、印刷システム１０００の概観図を視覚的に表現したデバイス情報を画面２４００Ａに表示させるようにタッチパネル部４０１を制御する。
【０２２２】
また、これら（情報１）や（情報２）に基いて、制御部２０５は、図１４Ａに示すように、画面２４００Ａの表示領域の上方箇所にジョブリストを表示させるようにタッチパネル部４０１を制御する。
【０２２３】
このようにジョブリストの一覧表示を実行させる場合、制御部２０５は、ＨＤＤ２０９に印刷データが記憶されたジョブでプリンタ部２０３による印刷動作を要する複数のジョブの情報をジョブ毎に区別してこのジョブリストに一覧表示させる。係る複数のジョブは、印刷中のジョブ、印刷待ち状態のジョブを含む。
【０２２４】
例えば、ここでは現在、ジョブＸの本番用の印刷動作がプリンタ部２０３により実行中である。この場合、制御部２０５は、図１４Ａに示すように、ジョブリスト上の１番上に、「（受付番号）０００１（時刻）１３：２４（ジョブ名）コピー（ユーザ名）ＣＯＰＹ  ＵＳＥＲ（状況）プリント中（待ち時間）１分未満」等のジョブＸの情報を表示させる。また、制御部２０５は、このジョブリストの２番目以降に、このジョブＸとは異なる他の印刷待ち状態のジョブとして、受付番号０００２のジョブ（以下、ジョブＹと称す）や受付番号０００３のジョブ（以下、ジョブＺと称す）の各ジョブの情報を表示させる。
【０２２５】
尚、この画面２４００Ａのジョブリストに一覧表示させるジョブの順番は、オペレータから印刷実行要求を受付けた順番と同じ順番となるように制御部２０５は制御する。即ち、印刷システム１０００による処理順番と同じ順序で各ジョブの情報をリスト表示させる。
【０２２６】
又、この画面２４００Ａのジョブリストは、オペレータがタッチパネル部４０１に対して行う操作に応答し、このジョブリストに表示されている複数のジョブの中からオペレータが所望のジョブを選択出来るように構成されている。そして、この図１４Ａに示すジョブリストにおける複数のジョブの中から何れかのジョブの表示ラインをタッチすることで、オペレータによるジョブの選択がなされたと制御部２０５は判断する。
【０２２７】
又、画面２４００Ａのジョブリストでオペレータより所望のジョブが選択された場合、選択されたジョブがどのジョブであるかを特定出来るようにする為に、選択対象のジョブの表示ラインを反転表示するよう、制御部２０５はタッチパネル部４０１を制御する。例えば、図１４Ａの表示状態は、オペレータによりジョブＸが選択された後の状態を示している。
【０２２８】
また、画面２４００Ａは更に、以下の表示構成要素が具備されるように構成されている。
【０２２９】
プリントの一時停止のキー２４０１Ａは、画面２４００Ａのジョブリストで選択されたジョブ（即ち、プリンタ部２０３による印刷動作を要し且つ現時点で印刷未完了のジョブ）の印刷動作を一時停止する指示をオペレータが入力可能にする為の表示キーである。
【０２３０】
例えば、図１４Ａの表示状態にて、キー２４０１Ａがオペレータにより押下されたとする。この場合、制御部２０５は、プリンタ部２０３により現在プリント動作中のジョブＸの印刷動作を一時的に停止させる。
【０２３１】
尚、印刷動作が一時的に停止されたジョブは、後でオペレータからの指示により、一時停止状態が解除され、印刷動作が再開できるように、制御部２０５は印刷システム１０００を制御する。
【０２３２】
又、本実施形態では、このキー２４０１Ａによりプリントの一時停止指示がオペレータから入力された場合に、画面２４００Ａのジョブリストにて表示対象の全てのジョブの印刷動作の実行開始をロックすることができる。例えば、図１４Ａの表示段階にてキー２４０１Ａが押下された場合、制御部２０５は、ジョブＸの印刷動作をストップさせる。尚且つ制御部２０５は、印刷待ち状態の他のジョブＹやＺの印刷動作を印刷システム１０００にて開始実行させる事も禁止する。このように印刷システム１０００にて印刷する必要があるジョブ全てを一時停止することができる。
【０２３３】
但し、このジョブリストでオペレータにより選択されたジョブの印刷動作のみをロック（一時停止）するように制御しても良い。例えば、図１４Ａの表示状態にて、ジョブＸが選択されたうえで、キー２４０１Ａがオペレータにより押下されたとする。この場合、制御部２０５は、このジョブＸの印刷動作のみを一時停止させ、かわりに、ジョブＹやジョブＺ等の印刷待ち状態の後続ジョブの印刷動作を印刷システム１０００により実行させるように制御しても良い。
【０２３４】
キー２４０１Ａがオペレータにより押下されていない場合、制御部２０５は画面２４００Ａの表示をタッチパネル部４０１に実行させた状態のままで、現在印刷動作が実行中のジョブ（この例ではジョブＸ）の印刷動作をプリンタ部２０３により継続させ続ける。
【０２３５】
そして、この状況の場合でも、制御部２０５は、この印刷実行中のジョブの情報をリアルタイムにオペレータに通知すべく、表示欄２３００の表示も随時、そのジョブの進捗状況に対応するよう更新させる。例えば、図１３Ｆの表示段階では、ジョブＸは１００セット分の印刷のうちの３４セット目の印刷を実行中であった。しかし、図１４Ａの表示段階では、ジョブＸの進捗は進んでいる。この段階では、例えば、ジョブＸの３８セット目の印刷をプリンタ部２０３により実行させているとする。この場合、図１４Ａに示すように、制御部２０５は現在、３８セット目の印刷を実行中である事をオペレータに通知する情報を表示欄２３００に表示させる。
【０２３６】
また、図１４Ａの画面２４００Ａのキー２４０１Ａがオペレータにより押下されたとする。この場合、このキー２４０１Ａが押下された事に応答し、制御部２０５は、図１４Ｂに例示する画面２４００Ｂをタッチパネル部４０１にポップアップ表示させる。
【０２３７】
この画面２４００Ｂは、プリント中のジョブのプリント動作を一時停止するか否かをオペレータが決定出来るように構成されたプリント一時停止確認画面である。
【０２３８】
例えば、画面２４００Ｂのキー２４０２Ｂがオペレータにより押下されたとする。この場合、制御部２０５は、現在プリント実行中のジョブＸのプリント動作は停止させることなく、この画面２４００Ｂの表示を終了させ、図１４Ａの表示に戻るようにタッチパネル部４０１を制御する。
【０２３９】
一方、この画面２４００Ｂのキー２４０１Ｂがオペレータにより押下されたとする。この場合、制御部２０５は、プリント中のジョブＸのプリント動作を停止させる。これにより、制御部２０５は、ジョブＸのプリント動作を一時停止状態にする。
【０２４０】
なお、上述したような方法で、プリンタ部２０３によるプリント動作が一時停止状態になったとする。そして、この状況下にて、操作部２０４のユーザモードキー５０５がオペレータにより押下されたとする。この場合、このキー操作に応答し、制御部２０５は、図１４Ｃに例示する表示をタッチパネル部４０１に実行させる。
【０２４１】
この画面２４００Ｃは、プリンタ部２０３による印刷対象となる１つのジョブに限らず複数のジョブの各ジョブの印刷結果に共通して影響のある処理条件をオペレータからの指示に応じて変更できるようにする為の表示画面である。また、この画面２４００Ｃは、印刷装置１００を含む印刷システム１０００が有する複数のユニットのクリーニングを印刷システム１０００に実行させる際に利用される。
【０２４２】
例えば、上述したジョブＸの本番用の印刷動作が一時停止期間中に、オペレータが画面２４００Ｃの「クリープ（ずれ）補正量の調整」キーを押下したとする。この場合、制御部２０５はこの操作に応答し、クリープ補正量調整画面（不図示）をタッチパネル部４０１に表示させる。
【０２４３】
このクリープ補正量調整画面（不図示）は、プリンタ部２０３による印刷媒体（印刷用紙）に対して印刷対象となる画像の印刷媒体上における印字位置をオペレータが微調整する指示を入力可能に構成された表示画面である。且つ、この画面（不図示）は、印字画像のずらし量（クリープ補正量）等をオペレータが明示的に入力出来るように構成された表示画面である。
【０２４４】
また、このクリープ補正量調整画面（不図示）を介して、制御部２０５は、印刷媒体に対する画像の印字位置の補正量をオペレータから受付ける。本実施形態では、この補正量は、印刷システム１０００固有の印刷処理条件に該当する。そして本実施形態では、この印刷処理条件は、プリンタ部２０３により印刷対象となる１つのジョブのみならず複数のジョブに共通するパラメータに該当する。
【０２４５】
例えば、この「クリープ補正量」が上述のクリープ補正量調整画面（不図示）を介してオペレータにより変更されたとする。その後、ジョブＸの印刷動作の再開指示が入力されたとする。このように、ジョブＸの印刷動作の一時停止状態が解除されてジョブＸの印刷動作が再開された場合、制御部２０５は、以下に例示する処理を順次実行させる。
【０２４６】
まず、制御部２０５は、ジョブＸの印刷データの印字画像の印刷媒体に対する印字位置が、上述した変更後のクリープ補正値に従った印字位置となるように、印刷装置１００による印刷処理を制御する。
【０２４７】
その後、ジョブＸに後続するジョブＹの印刷動作においても、制御部２０５は、ジョブＹの印刷データの印字画像の印刷媒体に対する印字位置が、上述の変更後のクリープ補正値に従った印字位置となるように、印刷装置１００による印刷処理を制御する。
【０２４８】
またその後、ジョブＹに後続するジョブＺの印刷動作においても、制御部２０５は、ジョブＺの印刷データの印字画像の印刷媒体に対する印字位置が、上述の変更後のクリープ補正値に従った印字位置となるように、印刷装置１００による印刷処理を制御する。
【０２４９】
なお、画面２４００Ｃを介しオペレータにより設定変更された後のクリープ補正値に従った印刷動作をジョブＸにて完了させたら、その設定変更後の補正値に従ったジョブＹの印刷動作を自動的に開始させるように、制御部２０５は印刷装置１００を制御する。そして、このジョブＹの印刷動作を完了させたら、この設定変更後の補正値に従ったジョブＺの印刷動作を自動的に開始させるように、制御部２０５は印刷装置１００を制御する。このように、処理対象の複数のジョブを全てオペレータにより設定変更後の補正値を反映した状態で順次自動的且つ連続的に処理するように、制御部２０５は印刷システム１０００を制御する。
【０２５０】
また、本実施形態の印刷システム１０００は、確認プリント実行後にオペレータによる設定変更を許可する「複数のジョブの印刷動作に関係の有る印刷処理条件」として、上述したパラメータ以外にも複数対応できるように構成されている。
【０２５１】
例えば、ジョブＸの本番用の印刷動作が一時停止期間中に、オペレータが画面２４００Ｃの「濃度補正」キーを押下したとする。この場合、制御部２０５は、この操作に応答し、濃度補正画面（不図示）をタッチパネル部４０１に表示させる。
【０２５２】
この濃度補正画面（不図示）は、プリンタ部２０３による印刷媒体（印刷用紙）に対して印刷対象となる画像の印刷濃度をオペレータが微調整する指示を入力可能に構成された表示画面である。また、この画面（不図示）は、印字画像の濃度等をオペレータが明示的に入力出来るように構成された表示画面である。
【０２５３】
そして、この濃度補正画面（不図示）にて、既に実行済のジョブＸの確認プリント動作時におけるジョブＸの印刷データの印刷媒体に対する画像の印字濃度よりも濃くする濃度設定変更がオペレータによりなされたとする。その後、ジョブＸの印刷動作の再開指示が入力されたとする。このように、ジョブＸの印刷動作の一時停止状態が解除され、ジョブＸの印刷動作が再開される場合、例えば、制御部２０５は、以下に例示するジョブ処理を順次実行させる。
【０２５４】
まず制御部２０５は、ジョブＸの印刷データの印字画像の印刷媒体に対する印字濃度が上述の変更後の濃度値に従った印字濃度となるように、印刷装置１００による印刷処理を制御する。
【０２５５】
その後、ジョブＸに後続するジョブＹの印刷動作においても、制御部２０５は、ジョブＹの印刷データの印字画像の印刷媒体に対する印字濃度もその変更後の濃度値に従った印字濃度となるように、印刷装置１００による印刷処理を制御する。
【０２５６】
その後、ジョブＹに後続するジョブＺの印刷動作においても、制御部２０５は、ジョブＺの印刷データの印字画像の印刷媒体に対する印字濃度もその変更後の濃度値に従った印字濃度となるように、印刷装置１００による印刷処理を制御する。
【０２５７】
このように図１４Ｃの画面２４００Ｃを介して、オペレータにより印刷濃度が設定変更された場合も、制御部２０５は、先程と同様に複数のジョブを処理する。即ち、ジョブＸ、Ｙ、Ｚを含む印刷対象となる複数のジョブを全て、オペレータにより設定変更後の印刷濃度に従って順次自動的且つ連続的に処理するように、制御部２０５は印刷システム１０００を制御する。
【０２５８】
また、上述した「クリープ補正値」や「濃度補正値」などの処理条件以外にも、複数のジョブの印刷動作にも関係する印刷処理条件が存在する。例えば、「自動階調補正に関する印刷処理条件」や「文字／背景のコントラスト調整に係る処理条件」等がこれに該当する。これらの印刷処理条件の変更も画面２４００Ｃの「自動階調補正」キーや「文字／背景のコントラスト調整」キー等に対するオペレータ操作に応答し、タッチパネル部４０１に表示される不図示の画面を介してオペレータにより変更可能に制御部２０５が制御する。
【０２５９】
又、本実施形態では更に、この画面２４００Ｃを介して、以下に例示するクリーニング処理を印刷システム１０００に実行させる為の指示をオペレータから制御部２０５は受付けることができる。
【０２６０】
（フィーダのクリーニング処理）  この処理は、スキャナ部２０１に具備される自動原稿搬送装置（ＡＤＦ）３０１の原稿搬送ユニットのクリーニング処理を実行する為の処理である。この処理を行う場合の具体例を以下に説明する。
【０２６１】
例えば、ジョブＸの本番用の印刷動作が一時停止中の期間中においてこの画面２４００Ｃの「フィーダのクリーニング」キーがオペレータにより押下されたとする。この場合、制御部２０５は、このキー操作に応答し、フィーダのクリーニング処理をＡＤＦ３０１に開始させる指示をオペレータが入力するためのフィーダクリーニング実行画面（不図示）を、タッチパネル部４０１に表示させる。
【０２６２】
このフィーダクリーニング実行画面（不図示）は、「フィーダに白紙を１０枚位セットして「開始」キーを押して下さい」等のオペレータに対するガイダンスメッセージを示すように構成された表示画面である。また、この画面（不図示）は、フィーダのクリーニング処理をＡＤＦ３０１に実行させる為の「開始」キーが具備されている。
【０２６３】
そして例えば、オペレータが、このガイダンスに従い、汚れ除去用の白紙をＡＤＦ３０１の原稿トレイにセットしたうえで、この開始キー（不図示）を押下したとする。この場合、このキー操作に応答し、制御部２０５は、この白紙原稿の給送動作をＡＤＦ３０１に開始させる。この場合、ＡＤＦ３０１では、原稿搬送ローラによりこの白紙が連続して搬送される。これにより、このＡＤＦ３０１の原稿搬送ローラに付着した鉛筆の粉等の汚れが原稿搬送ローラから除去されてこの白紙へと付着する。このように汚れ除去用の白紙原稿を特定枚数連続給送することで、原稿搬送ローラの汚れが除去される。
【０２６４】
尚、本実施形態では、このようなフィーダのクリーニング処理を印刷システム１０００に実行させるための処理も、印刷システム１０００機器固有の印刷処理条件を変更する処理に含まれる。
【０２６５】
また、このフィーダのクリーニング処理が行われた後に、制御部２０５は、ジョブＸの印刷動作を再開させ、このジョブＸおよび後続のジョブＹやジョブＺを含む複数のジョブを順次連続して処理できるように、印刷システム１０００を制御する。
【０２６６】
また、本実施形態にて制御部２０５は、以下に例示するクリーニング処理を印刷システム１０００に実行させる為の指示をこの画面２４００Ｃを介してオペレータから受付けることができる。
【０２６７】
（ワイヤのクリーニング処理）  この処理は、プリンタ部２０３内部に具備するワイヤユニット（不図示）のクリーニング処理を実行する為の処理である。この処理が行われる場合の具体例を以下に示す。
【０２６８】
例えば、ジョブＸの本番用の印刷動作が一時停止中期間中にて、画面２４００Ｃの「ワイヤのクリーニング」キーがオペレータにより押下されたとする。この場合、制御部２０５は、このクリーニング処理をプリンタ部２０３に開始させる指示をオペレータが入力するためのワイヤクリーニング実行画面（不図示）をタッチパネル部４０１に表示させる。
【０２６９】
このワイヤクリーニング実行画面（不図示）は、プリンタ部２０３内部のワイヤニットのクリーニング処理をプリンタ部２０３に実行させる為の「開始」キー（不図示）が具備される。
【０２７０】
そして、オペレータがその開始キー（不図示）を押下したとする。これに応答し、制御部２０５は、プリンタ部２０３内部のワイヤユニット（不図示）のクリーニング処理をプリンタ部２０３に実行させる。
【０２７１】
本実施形態では、この「プリンタ部２０３内部のワイヤユニット（不図示）のクリーニング処理を実行するための処理」も、「印刷動作に関係のある印刷処理条件を変更する処理」に含まれる。
【０２７２】
また、プリンタ部２０３内部のワイヤユニットのクリーニング処理が行われた後、制御部２０５はジョブＸの印刷動作を再開させ、ジョブＸ及び後続のジョブＹやジョブＺを含む複数のジョブを順次連続して処理できるように、印刷システム１０００を制御する。
【０２７３】
尚、上述したクリーニング処理の他にも、プリンタ部２０３の印刷用紙を搬送するための搬送ローラのクリーニング処理を実行する為の項目もある。例えば、画面２４００Ｃの「ローラのクリーニング」キーが押下された場合に、制御部２０５は、プリンタ部２０３内部の搬送ローラのクリーニング処理をプリンタ部２０３に実行させる。なお、本実施形態では、このクリーニング処理を実行するための処理も、印刷動作に関係のある印刷処理条件を変更する処理に含まれる。また、プリンタ部２０３内部の搬送ローラのクリーニング処理が行われた後、制御部２０５は、ジョブＸの印刷動作を再開させ、ジョブＸ及び後続のジョブＹやジョブＺを含む複数のジョブを順次連続して処理できるように、印刷システム１０００を制御する。
【０２７４】
なお、本実施形態では、例えば、ジョブＸの印刷動作が一時停止期間中に、この画面２４００Ｃを介して受付けたオペレータからの指示により、上述したような印刷処理条件の変更が完了したとする。その後、「システム状況／中止」キーがオペレータにより押下されたとする。この場合に、制御部２０５は、ジョブＸの本番用の印刷動作の一時停止状態は維持したままで、図１４Ｄに例示する表示をタッチパネル部４０１に実行させる。
【０２７５】
図１４Ｄに示すように、制御部２０５は、表示欄２３００にはジョブＸのプリント動作が一時停止中である旨を表示させた状態で、画面２４００Ｄをタッチパネル部４０１にポップアップ表示させる。
【０２７６】
この画面２４００Ｄは、印刷システム１０００における印刷動作の一時停止状態を解除し、印刷動作をプリンタ部２０３により再開させるか否かをオペレータが決定出来るように構成された表示画面である。
【０２７７】
例えば、この画面２４００Ｄのキー２４０２Ｄがオペレータにより押下されたとする。この場合、制御部２０５は、現在のプリント動作の一時停止状態は維持したままで、プリンタ部２０３によるプリント動作も再開させずに、画面２４００Ｄの表示を終了させる。そしてこの場合、例えば、画面２４００Ａの表示を再度タッチパネル部４０１に実行させる。但し、この画面２４００Ａでは、ジョブＸがプリント動作一時停止中である事をジョブリスト上で示すように、制御部２０５はタッチパネル部４０１を制御する。
【０２７８】
一方、この画面２４００Ｄのキー２４０１Ｄがオペレータにより押下されたとする。この場合、制御部２０５は、印刷システム１０００における印刷動作の一時停止状態を解除し、プリンタ部２０３によるプリント動作を再開させる。これにより、制御部２０５は、ジョブＸの本番用の印刷動作を印刷システム１０００で再開させる。
【０２７９】
もし、この画面２４００Ｄのキー２４０１Ｄに対するオペレータからの指示入力に先立ち、画面２４００Ｃを介して、上述したように、ジョブＸに限らず複数のジョブの印刷動作に共通して関係する印刷処理条件の変更がなされていたとする。この場合、制御部２０５はまず、キー２４０１Ｄの入力に応答し、ジョブＸの本番用の印刷動作を再開させる。この際、このキー２４０１Ｄの入力に先立って受付けた設定変更後の印刷処理条件に従った印刷動作を実行させる。その後、このジョブＸの印刷が全て完了した事に応じ、制御部２０５は、ジョブＹの印刷動作を印刷システム１０００にて実行させる。但し、このジョブＹの印刷動作においても、制御部２０５は、その設定変更後の印刷処理条件に従った印刷動作を実行させる。その後、ジョブＹの印刷が全て完了した事に応じ、制御部２０５は、ジョブＺの印刷動作を印刷システム１０００にて実行させる。但し、このジョブＺの印刷動作においても、制御部２０５は、その設定変更後の印刷処理条件に従った印刷動作を実行させる。
【０２８０】
尚、画面２４００Ｃを用いて例示した設定変更の対象となる各種印刷処理条件は、全て、例示的なものである。
【０２８１】
以上の説明のように、確認プリント動作により出力された確認用の印刷物の出力結果をオペレータが確認した後に、その確認プリントされたジョブだけでなく他のジョブの印刷動作にも関係のある印刷処理条件の変更を受付けることができる。そのうえで、この設定変更後の処理条件に従って、複数のジョブを印刷システム１０００にて印刷させることができる。
【０２８２】
尚、本実施形態では、確認プリント動作が実行されたジョブ固有の印刷処理条件のみを変更する事も出来るように構成されている。
【０２８３】
例えば図１３Ｆで説明したように、確認プリント実行後にジョブＸの本番用の印刷動作が再開され、この印刷動作が印刷システム１０００にて実行させ続けている状態で制御部２０５は、画面２３００Ａを再度表示できるようにタッチパネル部４０１を制御する。このように、本番用の印刷動作が印刷実行中の期間ならば繰り返し表示可能な画面２３００Ａには、プリント濃度を選択する為の表示キーが具備されている。
【０２８４】
ここで、例えば、ジョブＸの本番用の印刷動作が再開され、この印刷動作が実行期間中に、再表示されたこの図１３Ｆに示す画面２３００Ａのプリント濃度調整キーがオペレータにより押下されたとする。
【０２８５】
このように、ジョブＸの印刷動作の再開動作中にジョブＸのための印刷濃度変更の要求が行われたとする。この場合、ジョブＸの本番用の印刷動作を停止させることなく、このジョブＸの一連の印刷工程の途中から印刷濃度を変更してこのジョブＸの本番用の印刷動作を継続し続けるように、制御部２０５は印刷システム１０００を制御する。例えば、プリント濃度調整キーが押下された直後に給紙部から給紙される印刷媒体に対するジョブＸの画像の印刷を行う時点から、制御部２０５は、その変更後の印刷濃度でジョブＸの印刷画像を印刷媒体に印刷するように印刷システム１０００を制御する。
【０２８６】
このように、制御部２０５は、画面２３００Ａを介して受付けた印刷濃度の変更指示に従い、ジョブＸの本番用の印刷動作における一連の印刷工程の途中から印刷濃度を自動的に変更するよう制御する。
【０２８７】
なお、ジョブＸの本番用の印刷動作が終了したら、制御部２０５は自動的にジョブＹの印刷動作をプリンタ部２０３により開始させる。但し、このケースの場合では、ジョブＹの印刷動作は、そのジョブＹの為にオペレータが設定した印刷濃度に基いた印刷処理を実行するように制御部２０５は印刷システム１０００を制御する。
【０２８８】
また、このジョブＹの本番用の印刷動作が終了したら、制御部２０５は、自動的にジョブＺの印刷動作をプリンタ部２０３により開始させる。但し、この場合でも、制御部２０５は、そのジョブＺの印刷動作においてはそのジョブＺの為にオペレータが設定した印刷濃度に基いた印刷処理を実行するように印刷システム１０００を制御する。
【０２８９】
以上説明したように、確認プリント動作が実行されたジョブには関係するが、そのジョブ以外のジョブには関係の無い、そのジョブ固有の印刷処理条件の変更も行うことができる。そして、そのジョブの印刷処理条件のみ設定変更して印刷動作を実行させ、後続ジョブの印刷動作ではこの設定変更によらずに各ジョブ固有の印刷条件で順次自動的に処理できるように、制御部２０５は印刷システム１０００を制御する。
【０２９０】
また、本実施形態の印刷システム１０００は、この要求（１）以外にも、例えば以下の要求にも対処可能に構成されている。
【０２９１】
［確認プリント実行直後に制御部２０５が受付けを許可するオペレータ要求（２）］
この要求（２）は、確認プリント動作が実行され、且つ本番用の印刷動作が再開されたジョブの本番用の印刷動作を中止（キャンセル）させるためのオペレータ要求である。
【０２９２】
この要求（２）がなされた場合、制御部２０５は、その確認プリント動作が実行直後に本番用の印刷動作が開始されたジョブの本番用の印刷動作を直ちに中止させる。
【０２９３】
この要求（２）の具体例を以下に説明する。
【０２９４】
例えば現在、確認プリント動作が終了し、本番用の印刷動作が再開されたジョブＸの本番用の印刷動作が印刷システム１０００にて実行期間中であるとする。そして、この状況下において、画面２４００ＡのジョブリストでジョブＸに相当する受付番号０００１のジョブがオペレータにより選択されたとする。この場合、制御部２０５は、このジョブの情報を表示する表示ラインを図１４Ａに示すように反転表示させる。そして、このジョブＸがこのジョブリストで選択されたうえで、画面２４００Ａの中止キー２４０３Ａがオペレータにより押下されたとする。この場合、制御部２０５は、このキー操作に応答し、図１４Ｆに示す表示をタッチパネル部４０１に実行させる。
【０２９５】
中止キー２４０３Ａが押下された場合、図１４Ｆに示すように、制御部２０５は、表示欄２３００にはジョブＸがプリント実行中である旨を表示させた状態のままで、画面２４００Ｆをタッチパネル部４０１にポップアップ表示させる。
【０２９６】
この画面２４００Ｆは、現在プリント実行中のジョブ（この例ではジョブＸ）のプリント動作をキャンセルするか否かをオペレータが決定出来るように構成された表示画面である。
【０２９７】
例えば、この画面２４００Ｆのキー２４０２Ｆがオペレータにより押下されたとする。この場合、制御部２０５は、現在プリント動作が実行中のジョブＸのプリント動作は維持した状態のままで画面２４００Ｄの表示を終了させる。そして、制御部２０５は、画面２４００Ａの表示を再度タッチパネル部４０１により実行させる。
【０２９８】
一方、この画面２４００Ｆのキー２４０１Ｆがオペレータにより押下されたとする。この場合、制御部２０５は、現在プリント動作が実行中のジョブＸの印刷動作を中止するよう印刷システム１０００を制御する。例えばこの際、このジョブの中止処理として、制御部２０５は、以下に例示する処理の全てを実行するように印刷システム１０００を制御する。
【０２９９】
（中止処理１）  まず、制御部２０５は、ジョブＸの印刷動作をストップするように印刷装置１００を制御する。
【０３００】
（中止処理２）  制御部２０５は、ジョブＸの１０ページ分の印刷データをＨＤＤ２０９から消去するよう印刷装置１００を制御する。
【０３０１】
（中止処理３）  制御部２０５は、画面２４００ＡのジョブリストからジョブＸのジョブ情報を削除するように、タッチパネル部４０１を制御する。
【０３０２】
このように、ジョブＸの為の処理を中止する為の指示がキー２４０１Ｆを用いて入力された場合に、これら（中止処理１）〜（中止処理３）が含まれる中止処理（キャンセル処理）を行うように制御部２０５は印刷システム１０００を制御する。また、このキー２４０１Ｆがオペレータにより押下された場合、制御部２０５は更に、以下の制御も実行する。
【０３０３】
（制御１）  ジョブＸの上述したキャンセル処理が行われた直後に、ジョブＹの印刷動作を自動的にプリンタ部２０３により開始させるように制御部２０５は印刷装置１００を制御する。また、このジョブＹの印刷動作が開始された事をジョブリストに反映表示させるようにシステム構成情報の画面２４００Ａの表示内容を更新するように、制御部２０５はタッチパネル部４０１を制御する。例えば、この場合、画面２４００Ａの表示内容が、図１４Ａの表示内容から図１４Ｈに示す表示内容となるように制御部２０５はタッチパネル部４０１を制御する。
（制御２）その後、ジョブＹの印刷動作が完了したら、ジョブＺの印刷動作を自動的にプリンタ部２０３により開始させるように制御部２０５は印刷装置１００を制御する。また、ジョブＹの印刷動作が完了しジョブＺの印刷動作が開始された事をジョブリストにて反映表示させるように画面２４００Ａの表示内容を更新するように、制御部２０５はタッチパネル部４０１を制御する。
【０３０４】
例えば、ジョブＸの本番用の印刷動作が中止されたとする。この場合、例えば、あらためて、図７の表示や図１３Ａの表示の段階に戻って、最初から、このジョブＸの為の印刷条件を設定することもできる。そしてその後、この変更後の印刷処理条件に従った印刷動作を要するジョブとして改めてこのジョブＸを投入し、印刷動作を行わせる事もできる。
【０３０５】
但し、この場合、このあらためて投入しなおしたジョブＸをジョブＹやジョブＺの処理の後に処理するように、制御部２０５は印刷システム１０００を制御する。
【０３０６】
また、本実施形態の印刷システム１０００は、この要求（２）以外の以下の要求にも対処可能に構成されている。
【０３０７】
［確認プリント実行直後に制御部２０５が受付を許可するオペレータ要求（３）］
この要求（３）は、確認プリント動作が実行され、且つ本番用の印刷動作が再開されたジョブの本番用の印刷動作に関する詳細情報をタッチパネル部４０１に表示させる為のオペレータ要求である。
【０３０８】
この要求（３）の具体例を以下に説明する。
【０３０９】
例えば、ジョブＸの本番用の印刷動作が再開されてこの印刷動作が実行期間中であるとする。この状況下にて、画面２４００ＡのジョブリストでジョブＸが選択されたうえで、同画面２４００Ａのキー２４０２Ａがオペレータにより押下されたとする。この場合、制御部２０５は、このキー操作に応答して、図１４Ｅに示す表示を、タッチパネル部４０１に実行させる。
【０３１０】
この図１４Ｅに例示の画面２４００Ｅは、画面２４００Ａのジョブリストにてオペレータにより選択されたジョブの詳細な情報をオペレータが確認できるように構成された表示画面である。この図１４Ｅの例では、ジョブＸの確認用の印刷物を出力する確認プリント動作の完了に応じて、自動的に印刷動作が再開されたジョブＸの本番用の印刷動作の実行中に、ジョブＸの詳細なジョブ情報を制御部２０５がタッチパネル部４０１に表示させた例である。尚、この画面２４００Ｅの「閉じる」キーが押下された場合、制御部２０５は、図１４Ａの表示に戻るように制御する。但し、この画面２４００Ａは、現在ジョブＸがプリント動作実行中である事をジョブリスト上にて反映済の表示内容となるように、制御部２０５により、タッチパネル部４０１を制御する。
【０３１１】
このように、本実施形態では、確認プリント実行後で且つ確認プリント対象のジョブの本番用の印刷動作の実行中に、そのジョブの詳細な情報の表示を操作部２０４により実行可能に構成されている。
【０３１２】
また、本実施形態の印刷システム１０００は、この要求（３）以外にも以下の要求にも対処可能に構成されている。
【０３１３】
［確認プリント実行直後に制御部２０５が受付けを許可するオペレータ要求（４）］
この要求（４）は、確認プリント動作が実行され、且つ本番用の印刷動作が再開されたジョブの本番用の印刷動作の実行中に再度、そのジョブの確認プリントを実行させる為のオペレータ要求である。
【０３１４】
この要求（４）の具体例は、図１３Ｆを用いて詳述済みのためここでは省略する。
【０３１５】
以上の図１４Ａ〜図１４Ｆ及び図１４Ｈを用いて例示したように、制御部２０５は、確認プリント動作を印刷システム１０００で実行させた直後に、上述の４種類のオペレータからの要求を操作部２０４を介して選択的に受付可能にする。これにより、制御部２０５は、確認プリント動作が終了したジョブの本番用の印刷動作が再開期間中に上述の４種類のオペレータからの要求を操作部２０４を介して選択的に受付可能にする。そして、これらの何れかの要求を受け付けたら制御部２０５は、その受付けた要求に応じた処理や動作を実行するように印刷装置１００を含む本実施形態の印刷システム１０００を制御する。
【０３１６】
また、図１３Ｆを用いて上述したように、制御部２０５は、現在印刷実行中のジョブに該当するジョブについては、その印刷動作が印刷システム１０００にて終了しない限り、何度でも繰り返し、確認プリント要求をオペレータから受付ける事を許可する。ただし、制御部２０５は、現在印刷実行中のジョブに該当しないジョブに対する確認プリント要求をオペレータから受付ける事は禁止する。
【０３１７】
例えば、制御部２０５が現在、ジョブＸの本番用の印刷動作を印刷システム１０００にて継続させ続けている最中に、キー２３０１からの指示により図１４Ａの画面２４００Ａをタッチパネル部４０１に表示させたとする。
【０３１８】
そして、このジョブＸの本番用の印刷動作を実行中の状況下にて、この画面２４００Ａのジョブリストで、このジョブＸに相当する受付番号０００１のジョブがオペレータにより選択されたとする。この場合、制御部２０５は、ジョブリスト上のこのジョブの情報を表示する表示ラインを、図１４Ａのように反転表示させる。
【０３１９】
このように、印刷実行中の受付番号０００１のジョブ、即ち、ジョブＸが画面２４００Ａでオペレータにより選択されたとする。この場合、図１４Ａに示すように、制御部２０５は、画面２４００Ａにおけるキー２４０４Ａを有効表示状態となるようタッチパネル部４０１を制御する。そして、例えば、このキー２４０４Ａが押下された場合、図１３Ｅの画面２３００Ｂを再度表示するよう制御部２０５はタッチパネル部４０１を制御する。そしてキー２３０４Ｂにより再度、ジョブＸの為に確認プリント要求が入力されると、この場合でも制御部２０５は上述のように、ジョブＸの本番用の印刷動作を再度中断させた後に、ジョブＸの２回目の確認プリントを印刷システム１０００に実行させる。このように、画面２４００Ａからも確認プリント要求をオペレータから受付ることができる。これにより、図１３Ｆで説明したように、再表示される画面２３００Ａを利用しない方法で、同一ジョブにて複数回確認プリント動作が実行できる。
【０３２０】
例えば、画面２４００Ａのジョブリストにて現在印刷実行中のジョブには該当しないジョブが選択されたとする。例えば、受付番号０００２のジョブＹが画面２４００Ａのジョブリストにてオペレータにより選択されたとする。このように、印刷待ち状態のジョブが画面２４００Ａで選択された場合、制御部２０５は、画面２４００Ａのキー２４０４Ａを無効表示状態となるようにタッチパネル部４０１を制御する。例えば、図１４Ｇに示すように、ジョブＹが選択された場合、キー２４０４Ａの表示をグレーアウト表示するように制御部２０５はタッチパネル部４０１を制御する。このように、制御部２０５は、現在印刷動作中のジョブ以外のジョブが操作部２０４を介してオペレータにより選択された場合に、その選択されたジョブの為の確認プリント要求をオペレータから受付ける事は禁止するように操作部２０４を制御する。これにより、ジョブＸの印刷動作を中断させてジョブＹやジョブＺの印刷物を出力させる確認プリント動作が実行されないように、制御部２０５は印刷システム１０００を制御する。
【０３２１】
以上、図１４Ａ〜図１４Ｈ等を用いて説明したように、本実施形態の印刷システム１０００の確認プリント機能に関する構成によれば、次のような効果がある。即ち、確認プリント機能により出力させる確認用の印刷物でもって、印刷システム１０００にて現在印刷中のジョブの印刷確認をオペレータにより迅速に目視確認できる。そして図３に示す如く複数台のシート処理装置を印刷装置１００に接続したことで印刷システム１０００内部のシート搬送路が長くなっても、現在如何なるジョブの如何なる画像を印刷しているのかをオペレータは迅速且つ容易に判断することができる。又、現在印刷中のジョブの印刷物の出力先が大容量スタッカや糊付け製本機等のシート処理装置内部に具備される出力先であっても、如何なるジョブの如何なる画像を現在印刷しているのかを、オペレータは迅速且つ容易に判断することができる。しかも、オペレータがこの確認用の印刷物を確認している最中にも、滞りなく印刷動作を印刷システム１０００で継続させ続けることが出来る。このように、印刷システム１０００の高い稼働率が無駄に低下することなく持続させ続ける事が可能となる。
【０３２２】
また、図１４Ｃを用いて説明したように、確認プリント動作の実行対象のジョブと後続ジョブとを含む複数の印刷ジョブに関係のある印刷処理条件を変更後にこれら複数のジョブを完了できるように、制御部２０５は印刷システム１０００を制御する。これにより、１個のジョブずつ個別に処理条件を変更せずとも、複数のジョブのどのジョブも全て印刷結果の品位を無駄に低下させない印刷環境が構築可能となるという効果が得られる。また、印刷システム１０００は、図１４Ｆ等で説明したように、確認プリントの結果に不備がある場合には速やかにジョブＸの本番用の印刷動作をキャンセル可能に構成されている。これにより、確認プリント動作によって得られる効果として、その確認プリント動作の対象のジョブ固有の効果も享受可能となる。このように、極力高い生産性でもって複数のジョブを処理する事が重要視されうる印刷環境であっても、可能な限り無駄な出力は控える事が可能となるという効果が得られる。
【０３２３】
なお、図１２Ｂの［工程１］にて本番用のプリント動作を実行している期間中に、制御部２０５は、図１３Ｂ〜図１３Ｄ等で示したように、キー２３０１Ａが表示可能に構成された画面２３００Ａの表示をタッチパネル部４０１に実行させる。
【０３２４】
そして、この処理対象のジョブが印刷実行期間中にタッチパネル部４０１にて図１３Ｃや図１３Ｄの画面２３００Ａのように、有効表示状態のキー２３０１Ａがオペレータにより押下されたとする。後述する図１６のステップＳ１０９の判断では、この有効表示状態のキー２３０１Ａがオペレータにより押下された否かに基いて確認プリント要求をオペレータから受付けたか否かの判断を制御部２０５が行う。
【０３２５】
そして、キー２３０１Ａが押下されたと判断した場合、制御部２０５は、図１３Ｅに示すように、確認プリントの種類の選択の画面２３００Ｂの表示をタッチパネル部４０１に実行させる。これは、制御部２０５が、図１６のステップＳ１０９においてＹＥＳと判定し、処理をステップＳ１１０に進めた場合に相当する。
【０３２６】
そして、画面２３００Ｂをタッチパネル部４０１に表示させた時点では未だ、図１２Ｂの［工程１］の段階、即ち、確認プリント動作対象のジョブの本番用の印刷動作が継続中の状態である。
【０３２７】
そして、画面２３００Ｂにてオペレータによりキー２３０１Ｂ及びキー２３０２Ｂの何れかが押下されたうえキー２３０４Ｂが押下されたとする。これは、制御部２０５が、図１６のステップＳ１１１にてＹＥＳと判定した場合に相当する。
【０３２８】
そして、上述したように、制御部２０５は、このオペレータによるキー２３０４Ｂの押下による確認プリント開始指示を受付けた事に応じて、確認プリントが実行されるべきジョブについて印刷システム１０００が現在実行中の本番用の印刷動作を中断させる。そして制御部２０５は、この本番用の印刷動作の中断処理が完了したことに応じて、キー２３０１Ｂ及びキー２３０２Ｂのうちのオペレータが指定した方に対応するタイプの確認プリントを自動的に印刷システム１０００にて開始させる。
【０３２９】
本実施形態では、この本番用の印刷動作を中断する際に、例えば以下に示す制御を上述した本番用の印刷動作の中断処理として実行するように制御部２０５が印刷システム１０００を制御する。
【０３３０】
例えば、確認プリント開始指示の入力時点にて既に、印刷システム１０００の給紙部から本番用の印刷動作に要する印刷物の給紙を開始してしまっているとする。この場合、制御部２０５は、これらの、既に給紙開始済の本番用の印刷物に対しては全て、プリンタ部２０３による印刷を実行するように制御する。且つ、制御部２０５は、これら印刷済のジョブの本番用の印刷物の全てを、このジョブの本番用の最終成果物を保持するのに利用するシート処理装置の出力先（排紙先）へ排出させ、出力先にて保持させる。
【０３３１】
このように、確認プリント要求がオペレータから入力された時点で既に本番用の印刷物の給紙が印刷システム１０００にて開始済の場合には、制御部２０５は、上述したような中断処理を実行させる。
【０３３２】
但し、制御部２０５は、確認プリント要求が入力された時点で既に給送開始済の本番用の印刷物の全てが、本番用の印刷物の出力先に全て排出完了しない場合でも、このジョブの確認用の印刷媒体を印刷システム１０００の給紙部から給送する事は、許可する。
【０３３３】
これにより、例えば、図３に示すように印刷システム１０００における印刷媒体の搬送経路がある程度長い場合でも、確認プリントの実行タイミングが遅延しないようにすることが可能となる。
【０３３４】
このように、本実施形態の印刷システム１０００は、確認プリント要求が入力された時点で既に給紙済みの本番用の印刷物の全てが印刷システム１０００の出力先へ排出完了しないうちに、確認プリントを開始することができるように構成されている。これにより、確認プリントの開始タイミングに遅延が生じる等のトラブルが原因で、確認用の印刷物の出力が済むまでの時間が遅延する等のトラブルが発生するのを未然に抑えることができる。また、係るトラブルが原因で確認用の印刷物のオペレータによる目視確認や本番用の印刷動作の再開開始のタイミングが遅延し、ジョブの生産性のみならず後続ジョブを含む複数ジョブ全体の生産性にも影響が生じる等のトラブル発生も未然に抑える事ができる。
【０３３５】
このように、確認プリント開始指示が入力した時点で既に本番用の印刷物の給紙が開始してしまっている場合でも、それら全ての印刷物を出力先へ排出していなくても、確認用の印刷物は給送部から給送可能に制御部２０５は印刷システム１０００を制御する。
【０３３６】
例えば、この具体例として、図３のシステム構成を例にとる。ここでは、処理対象のジョブが、本番用の印刷動作にて本番用の印刷物を図３の中綴じ製本機２００−３ｃの出力先Ｚに排出すべきジョブであるとする。そしてここでは、確認プリント開始指示が入力された時点で既に、給紙デッキ３１９からこのジョブの本番用の印刷物の給送が開始された直後の状況であるとする。
【０３３７】
この場合、例えば、制御部２０５は、既に給送開始済の本番用の印刷物が図３のＡ点を通過した事を確認したうえで、このジョブの確認用の印刷物を給紙デッキ３１９から取出し給送処理を開始させるように印刷装置１００を制御する。このように、制御部２０５は、本番用の印刷物が図３のＡ点を通過した事を条件として、この印刷物が排紙先（出力先）Ｚへ排出完了したか否かに関係なく、この確認用の印刷物の給送処理を開始させる。
【０３３８】
このように、制御部２０５は、本番用の印刷動作の中断後に、可能な限り速やかに、確認プリント動作を印刷システム１０００にて開始可能にする。これにより、制御部２０５は、確認プリント動作の開始が無駄に遅延する事無く（滞ることなく）、確認プリント動作を印刷システム１０００にて実行可能にする。
【０３３９】
尚、本実施形態では、この上述した構成の動作と同様の動作を、確認プリント実行後に本番用の印刷動作を再開させる場合でも実行可能に印刷システム１０００は構成されている。
【０３４０】
例えば、図３を引き続き用いて説明すると、制御部２０５は、確認用の印刷物が図３のＡ点を通過した事を確認したうえで、このジョブの本番用の印刷物を給紙デッキ３１９から取出し給送処理を開始させるように印刷装置１００を制御する。このように、制御部２０５は、確認プリント実行対象のジョブの確認用の印刷物が図３のＡ点を通過した事を条件として、その印刷物が排紙先（出力先）へ排出完了したか否かに関係なく、このジョブの本番用の印刷動作に要する印刷物の給送処理を開始させる。
【０３４１】
また、上述したように、キー２３０４Ｂを用いたオペレータからの確認プリント開始要求に基き、制御部２０５は、図１２ＢのＴＸの時点から確認プリント動作を印刷システム１０００に開始させる。そして、この確認プリントが済んだ時点、即ち、図１２ＢのＴＹの時点から、この確認プリントが行われたジョブの本番用の印刷動作を印刷システム１０００で自動的に再開させる。なお、この再開処理が図１２Ｂの［工程３］に相当する。
【０３４２】
このジョブの本番用の印刷動作の再開処理では、図１２Ｂの［工程２］の直前までの期間において未処理分の印刷のみを実行するように制御部２０５は印刷システム１０００を制御する。
【０３４３】
又、この再開処理を行うにあたり、制御部２０５は、画面２３００Ａの表示処理に必要な情報として制御部２０５が利用する処理対象のジョブの処理状況（進捗状況）を示す情報を、この再開処理を行う際にも必要な情報として利用する。このように、制御部２０５は、処理対象のジョブの本番用の印刷動作が印刷システム１０００にて全て完了するまでの期間中は少なくとも、ＨＤＤ２０９にこの情報を保持させておくように制御する。
【０３４４】
又、本番用の印刷動作が再開された場合、制御部２０５は、そのジョブの画面２３００Ａを自動的にタッチパネル部４０１に再表示させる。例えば、制御部２０５は、図１２Ｂの［工程３］にて本番用の印刷動作の再開動作期間中に、このジョブの画面２３００Ａを再度タッチパネル部４０１に表示可能にする。そしてこのように現在のタイミングがあるジョブの本番用の印刷動作が開始された直後の時点からそのジョブの本番用の印刷動作が終了する直前の時点までの期間中に含まれているとする。この場合、制御部２０５は、タッチパネル部４０１に再度表示されたキー２３０１Ａを用いてオペレータから確認プリント要求が再入力される毎に、その１つのジョブのために確認プリント動作を複数回繰り返し実行可能に印刷システム１０００を制御する。
【０３４５】
尚、図１２ＢのＴＹの時点から印刷システム１０００に再開させた本番用の印刷動作の実行期間中に、制御部２０５は、上述のオペレータ要求（１）〜（４）の要求を選択的にオペレータから操作部２０４を介して受付ける。これにより、その受付けた要求に応じた処理を印刷システム１０００に実行させることができる。
【０３４６】
また、本実施形態にて、図１２ＢのＴＹの時点から再開させたジョブの本番用の印刷動作を継続させたままの状態で、上述したような印刷システム１０００の機器固有の設定変更をオペレータが実行できるように制御部２０５は印刷システム１０００を制御する。例えば、図１２Ｂの［工程３］において本番用の印刷動作が再開されている最中に、図１４Ｃの画面２４００Ｃを用いて印刷システム１０００の機器固有の設定変更要求を受付ける。この場合、制御部２０５は、この要求を受付けた時点から、このジョブの印刷動作の処理条件を自動的に変更するように制御部２０５は印刷システム１０００を制御する。更に、このジョブの後に処理すべき後続ジョブの印刷動作を実行する際にも、この画面２４００Ｃを介してオペレータから受付けた設定変更後の印刷処理条件でこれらの後続ジョブを処理しつづけるように、制御部２０５は印刷システム１０００を制御する。
【０３４７】
例えば、確認プリントを定期的に同一ジョブにて繰り返し実行してみた結果、徐々に印刷結果の濃度が薄くなっている状況が発生したとする。この場合でも、例えば、この画面２４００Ｃを介して濃度を濃くする為の設定変更をオペレータが行えば、この印刷実行中のジョブは勿論のこと、後続ジョブの印刷結果も、適正な印字濃度の出力結果が得られる。
【０３４８】
なお、本実施形態では、印刷システム１０００が確認プリント動作を行う場合に、その確認プリント動作により得られる確認用の印刷物が本番用の印刷物に混ざらないように制御部２０５が印刷システム１０００を制御する構成を更に具備する。例えば、制御部２０５は、この確認用の印刷物を、その本番用の印刷物とは異なる別の場所に出力するように印刷システム１０００を制御する。またこの場合、更に制御部２０５は、確認用の印刷物が何処に出力されたかをオペレータにが確認できるように印刷システム１０００を制御する。
【０３４９】
この構成に関する具体的な構成例については、図１６〜図２３Ｅを用いて後述する。
【０３５０】
そして、上述した確認プリント機能に係る構成に加え、更にこの構成を具備することで、次のようなことが言える。即ち「印刷システム１０００が連続的に印刷動作を行っている合間に確認用のプリントを実行して欲しい」等のニーズに対処可能に構成した場合でも以下に例示する新たな問題が発生するといったトラブルも生じることなく、上述の各種効果を得る事ができる。
【０３５１】
（１）  例えば、印刷システム１０００で連続的な印刷動作を行っている合間に確認用のプリントを実行できるように印刷システム１０００を構築した結果、商品としての本番用の印刷物の中に確認用の印刷物が紛れ込んでしまうといった問題。
【０３５２】
（２）  このような問題発生に起因し、作業者が確認用の印刷物を大量の印刷束の中から捜し出すといった、作業者への負担増加や作業効率の低下といった問題。
【０３５３】
（３）  その結果、システム全体の作業効率が低下し、高い生産性が維持できなくなるといった問題。
【０３５４】
本実施形態の印刷システム１０００は、これらの各種問題も起こる事無く、確認プリント機能により得られる上述の効果が得られるように構成されている。この具体的な構成に関して、図１６〜図２３Ｅを用いて以下に説明する。
【０３５５】
なお、図１６〜図１９に示すフローチャートは、制御部２０５により実行される確認プリント動作に係る上述の制御に対応する処理も含まれたフローチャートである。
【０３５６】
まず図１６のフローチャートから説明する。
【０３５７】
この図１６のステップＳ１０１にて、制御部２０５は、印刷装置１００の電源投入後、図７に示すような印刷システム１０００の基本画面を操作部２０４のタッチパネル部４０１に表示させる。
【０３５８】
次に、図１６のステップＳ１０２にて制御部２０５は、操作部２０４を介してオペレータによるキー操作に応答して各種の印刷条件の設定をオペレータから受付ける。
【０３５９】
次に、図１６のステップＳ１０３にて制御部２０５は、処理対象のジョブの印刷開始要求がなされたか否かをスタートキー５０３がオペレータにより押下された否かに基いて判断する。
【０３６０】
例えば、処理対象のジョブの為に各種一連の印刷処理条件がオペレータにより操作部２０４を介してなされたうえで、オペレータがスタートキー５０３を押したとする。この場合、制御部２０５は、この印刷開始要求（スタートキー入力）を検知し、ステップＳ１０３にてＹＥＳという判定を行う。これにより、制御部２０５は、処理をステップＳ１０３からステップＳ１０４へ進める。
【０３６１】
ステップＳ１０４にて制御部２０５は、この印刷開始要求がなされたジョブの処理条件（進捗状況）を示す表示として、図１３Ｂ等で示したジョブ処理状況画面（印刷状況画面）２３００Ａをポップアップ表示するようにタッチパネル部４０１を制御する。
【０３６２】
また、制御部２０５は、ステップＳ１０４の処理を実行するのと同時に（並行して）、ステップＳ１０５の処理も実行するように印刷装置１００を制御する。
【０３６３】
例えば、このジョブが、スキャナ部２０１による原稿読取動作を要するジョブであるとする。この場合、ステップＳ１０５にて制御部２０５は、スキャナ部２０１によりこのジョブの読取動作を開始させる。また、制御部２０５は、この読取対象のジョブの印刷データを、先頭頁から順次、ＨＤＤ２０９へ記憶させる。なお、この記憶動作は、このジョブの最終頁の印刷データがＨＤＤ２０９へ記憶させるまで実行される。このような、印刷開始要求がなされたジョブの印刷データをＨＤＤ２０９に記憶する動作をステップＳ１０５にて実行するように、制御部２０５は印刷システム１０００を制御する。
【０３６４】
なお、印刷開始要求がなされた処理対象のジョブが、印刷装置１００が具備するボックス機能のジョブであるならば、制御部２０５は、ステップＳ１０５の処理を行わずに、ステップＳ１０６の処理へ移行する。
【０３６５】
このボックス機能は、操作部２０４を介してオペレータから印刷開始要求を受付ける前に、スキャナ部２０１又は外部Ｉ／Ｆ２０２を介して印刷対象のデータの全ページをＨＤＤ２０９に保持させておく機能である。そして、このＨＤＤ２０９に予め記憶済みの印刷データをその後、操作部２０４からの印刷開始要求がオペレータ入力されたことに応じて印刷することができる機能である。
【０３６６】
このように、印刷開始要求がなされたジョブがこのボックス機能のジョブのように予めＨＤＤ２０９に印刷データが記憶済みのジョブである場合、制御部２０５はステップＳ１０５の処理をスキップしてステップＳ１０４からステップＳ１０６の処理へ移行する。
【０３６７】
このように、本実施形態では、コピー機能のジョブに限らず、ボックス機能のジョブでも適用可能に印刷システム１０００は構成されており、外部装置からの印刷ジョブでも同様に適用可能に構成されている。
【０３６８】
例えば図１０に示すような、印刷システム１０００の為のプリンタドライバ画面を表示可能な外部装置のＵＩ部を介して印刷開始要求がオペレータから入力されたとする。そして、この外部装置からの印刷ジョブを印刷システム１０００が受付けたとする。このような外部印刷ジョブでも本実施形態は適用可能である。
【０３６９】
図１６の説明に戻る。ステップＳ１０６にて制御部２０５は、ステップＳ１０３にて印刷開始要求がなされたジョブの印刷データをＨＤＤ２０９を介してプリンタ部２０３で印刷させる。ステップＳ１０６にて制御部２０５は、ステップＳ１０２でオペレータから受付けたこのジョブの一連の印刷処理条件に従った印刷動作を実行するように印刷システム１０００を制御する。
【０３７０】
尚、ステップＳ１０６にて実行対象の「印刷動作」は、「本番用の印刷動作」に相当する。
【０３７１】
又、制御部２０５は、この本番用の印刷動作が印刷システム１０００にて全て完了するまでの期間中は、このジョブの印刷データを全ページＨＤＤ２０９に保持させたままの状態となるようにＨＤＤ２０９を制御する。また制御部２０５は、ＨＤＤ２０９に保持させるジョブの印刷データを、ステップＳ１０６の処理に限らず、後述するステップＳ１１５の処理やステップＳ１１７の処理においても利用可能にＨＤＤ２０９を制御する。
【０３７２】
また更に、制御部２０５は、ステップＳ１０６の処理を実行させつつも、ステップＳ１０４にて上述したこのジョブの為の画面２３００Ａのポップアップ表示は維持したままの状態となるようにタッチパネル部４０１を制御する。
【０３７３】
但し、画面２３００Ａの表示内容は図１３Ｂ〜図１３Ｄで説明したように、この処理対象のジョブの印刷システム１０００における実際の処理状況（進捗状況）をリアルタイムに反映した表示内容となるように、制御部２０５はタッチパネル部４０１を制御する。
【０３７４】
ステップＳ１０７で制御部２０５は、ステップＳ１０６で開始されたジョブの本番用の印刷動作が印刷システム１０００で完了したか否かを、このジョブの処理に必要な各ユニット（例えばプリンタ部２０３やシート処理装置２００）からの情報に基き判断する。
【０３７５】
そして、このジョブの本番用の印刷動作が全て完了したことをステップＳ１０７にて判断した場合、制御部２０５はステップＳ１０７からステップＳ１０８へ処理を進める。
【０３７６】
図１６のＳ１０８にて制御部２０５は、ステップＳ１０４の段階から既に実行状態にあるこのジョブの画面２３００Ａのポップアップ表示を終了させる（ポップアップ画面を消去する）ようにタッチパネル部４０１を制御する。
【０３７７】
このように、本番用の印刷動作が完了した事に応じて、この画面２３００Ａの表示を自動的に終了するように制御部２０５はタッチパネル部４０１を制御する。また、画面２３００Ａの「閉じる」キーがオペレータにより押下された場合も、画面２３００Ａの表示を終了するように制御部２０５はタッチパネル部４０１を制御する。ステップＳ１０８の処理が行われた後は、ステップＳ１０１の処理へと戻る。
【０３７８】
一方、処理対象のジョブの本番用の印刷動作が印刷システム１０００にて完了していないと判断した場合、制御部２０５はステップＳ１０７からステップＳ１０９へ処理を進める。
【０３７９】
ステップＳ１０９にて制御部２０５は、現在実行中のジョブの本番用の印刷動作をプリンタ部２０３により継続させたままの状態で、そのジョブの確認用の印刷物を出力する為の確認プリント要求がオペレータによりなされか否かを判断する。
【０３８０】
ステップＳ１０９の判断は、ステップＳ１０４の段階から既にタッチパネル部４０１に表示中のこのジョブの画面２３００Ａにおける「確認プリント」のキー２３０１Ａがオペレータにより押下されたか否かに基いて、行われる。
【０３８１】
そして、このキー２３０１Ａに対するオペレータの操作状況に基き、確認プリント要求がオペレータによりなされていないと判断した場合、制御部２０５はステップＳ１０９からステップＳ１０７へ処理を戻す。
【０３８２】
一方、キー２３０１Ａが押下されたことで確認プリント要求がオペレータによりなされたと判断した場合、制御部２０５は、ステップＳ１０９からステップＳ１１０へ処理を移す。
【０３８３】
ステップＳ１１０にて制御部２０５は、図１３Ｅで示したように、確認プリントの種類に関する画面２３００Ｂの表示をタッチパネル部４０１に実行させる。
【０３８４】
尚、制御部２０５は、現在実行中のこのジョブの本番用の印刷動作はプリンタ部２０３により継続させたままの状態で、この図１３Ｅに示す画面２３００Ｂをタッチパネル部４０１に表示させる。
【０３８５】
そして、制御部２０５は、このジョブの本番用の印刷動作は継続させたままの状態で、このジョブの確認プリント開始指示がオペレータによりなされか否かを、ステップＳ１１１にて判断する。
【０３８６】
このステップＳ１１１における判断は、この図１３Ｅに示す画面２３００Ｂのキー２３０４Ｂがオペレータにより押下されたか否かに基いて、行われる。
【０３８７】
そして、このキー２３０４Ｂを用いて確認プリントの開始指示がオペレータによりなされていないことをステップＳ１１１で判断したとする。この場合、ステップＳ１１１から処理を進めずに、制御部２０５は、この画面２３００Ｂを用いて確認プリントの種類がオペレータにより選択されるのを待つ。尚、この状況では、現在実行中のこのジョブの本番用の印刷動作はプリンタ部２０３により継続させ続けるように制御部２０５は印刷システム１０００を制御する。
【０３８８】
一方、この画面２３００Ｂにてキー２３０１Ｂとキー２３０２Ｂの何れかを用いて第１タイプか第２タイプの何れかの確認プリント動作の種類がオペレータにより選択され、キー２３０４Ｂがオペレータにより押下されたとする。すると、制御部２０５は、このキー２３０４Ｂによる確認プリントの開始指示がオペレータ入力されたことを受けて、ステップＳ１１１からステップＳ１１２へ処理を進める。
【０３８９】
このステップＳ１１２にて制御部２０５は、例えば以下の確認１、２を行う。
【０３９０】
［確認１］  ＨＤＤ２０９に登録済の印刷システム１０００のシステム構成情報を確認する。
【０３９１】
このシステム構成情報は、図９の画面を介してオペレータにより登録されたシート処理装置２００に関する情報が含まれる。即ち、このシステム構成情報には、「どのような種類のシート処理が実行できるのか、どのような種類のシート処理装置が何台印刷装置１００に接続されているのか」などを制御部２０５が判断するための情報が含まれる。また、「どのような種類のシート処理装置がどのような接続順序で印刷装置１００に対して何台連結接続されているのか」などを制御部２０５が判断するための情報が、このシステム構成情報に含まれる。
【０３９２】
この［確認１］により、印刷システム１０００のシステム構成を把握したうえで、制御部２０５は、以下に例示の［確認２］を行う。
【０３９３】
［確認２］  この確認プリント要求がなされたジョブの本番用の印刷物の出力先は、印刷システム１０００における複数の出力先の候補のうちのどの出力先（排紙先）であるかを確認する。例えば、印刷システム１０００が図３に示すシステム構成である場合、このジョブの本番用の印刷物の排紙先は図３に示す排紙先Ｘ、Ｙ、Ｚのどの排紙先であるかを、制御部２０５がこの［確認２］にて確認する。尚、この本番用の出力先の確認を制御部２０５が行うにあたり、このジョブの本番用の印刷動作の為にオペレータがステップＳ１０２にて設定した一連の印刷処理条件のデータを利用する。
【０３９４】
また本実施形態では、オペレータが処理対象のジョブに対して設定したフィニッシングの種類（シート処理の種類）に基いて、そのジョブの印刷物の排紙先を制御部２０５が決定することもできる。その場合、本番用の印刷動作にて要するフィニシングの種類に応じて制御部２０５が決定した出力先をステップＳ１１２にて制御部２０５が確認する。
【０３９５】
また本実施形態では、図１３Ａ〜図１３Ｄに示す表示のように、本番用の印刷動作に要する印刷物の出力先をオペレータがステップＳ１０２にて明示的に指定できるように制御部２０５はタッチパネル部４０１を制御する。そこでこのように、オペレータにより明示的に設定された出力先をステップＳ１１２にて制御部２０５が確認することもできる。
【０３９６】
以上のような方法で、制御部２０５は、確認プリントが行われるジョブの本番用の印刷動作にて必要な出力先を、この［確認２］にて判別する。
【０３９７】
そして、上述したこれら［確認１］と［確認２］を含むステップＳ１１２における確認が済んだら、制御部２０５は、ステップＳ１１２からステップＳ１１３へ処理を進める。
【０３９８】
ステップＳ１１３にて制御部２０５は、ステップＳ１１２にて確認済のシステム構成情報と上述した本番用の印刷物の出力先の確認結果を示す情報とに基き、上述の確認プリント要求がなされたジョブの確認用の印刷物の出力先を決定する。このようにステップＳ１１３にて制御部２０５は、確認プリント動作にて印刷対象となるシートを印刷システム１０００のどの出力先に出力するかを決定する。
【０３９９】
なお、ステップＳ１１３にて更に制御部２０５は、この確認プリントが行われるジョブの確認用の印刷物を印刷システム１０００のどこに出力するのかをオペレータが確認できるように構成された表示をタッチパネル部４０１に実行させる。このように、制御部２０５は、ステップＳ１１３における決定結果をオペレータにフォードバックするための報知処理をタッチパネル部４０１に実行させる。
【０４００】
ステップＳ１１３に関する処理の詳細については後述する。
【０４０１】
そして、ステップＳ１１３の処理を経て、制御部２０５は、ステップＳ１１４の処理へ移行する。
【０４０２】
ステップＳ１１４にて制御部２０５は、上述の確認プリント要求がなされた対象のジョブの本番用の印刷動作を中断させる。この本番用の印刷動作はステップＳ１０６の段階から既に印刷システム１０００にて実行中の印刷動作である。制御部２０５は、この本番用の印刷動作を中断するように印刷システム１０００を制御する。
【０４０３】
そして、この本番用の印刷動作を中断（一時停止）させた直後に、このジョブの確認用の印刷物を出力する為の確認プリント動作を自動的に開始させるように、制御部２０５は印刷システム１０００を制御する。この処理は図１６のステップＳ１１５の処理に相当する。
【０４０４】
尚、ステップＳ１１５で実行される確認プリント動作では、ステップＳ１１３で制御部２０５が決定した出力先に対してこの確認プリント動作にてプリンタ部２０３により印刷された印刷物が出力されるように、制御部２０５は印刷システム１０００を制御する。
【０４０５】
又、ステップＳ１１５で実行される確認プリント動作で要する印刷媒体（印刷用紙やシートとも呼ぶ）には、このジョブの本番用の印刷動作で印刷対象となる印刷データと同一の印刷データが印刷されるように、制御部２０５は印刷システム１０００を制御する。
【０４０６】
その為に、制御部２０５は上述したように、ステップＳ１０５の処理によりＨＤＤ２０９に既に保持済のこのジョブの本番用の印刷動作に要する印刷データをステップＳ１１５においても利用するように、印刷装置１００を制御する。
【０４０７】
又、ステップＳ１１５にて実行される確認プリント動作では、この本番用の印刷動作に要する印刷データのうちの全ページ分の印刷が実行できる。このケースは、キー２３０１Ｂが選択されたことに応じて上述の第１タイプの確認プリント動作を印刷システム１０００に実行させるように制御部２０５が制御するケースに相当する。
【０４０８】
また、ステップＳ１１５にて実行される確認プリント動作では、この本番用の印刷動作に要する印刷データのうちの１ページ分の印刷を実行することも出来る。このケースは、、キー２３０２Ｂが選択されたことに応じて上述の第２タイプの確認プリント動作を印刷システム１０００に実行させるように制御部２０５が制御するケースに相当する。
【０４０９】
このように、ステップＳ１１５にて制御部２０５は、上述の第１タイプの確認プリント動作と第２タイプの確認プリント動作のうち、オペレータから指定された動作を印刷システム１０００に実行させる。
【０４１０】
その後、制御部２０５は、ステップＳ１１５を経て、ステップＳ１１６の処理を行う。
【０４１１】
ステップＳ１１６にて制御部２０５は、ステップＳ１１５にて開始させたジョブの確認プリント動作が完了したか否かを、印刷システム１０００内部のシート搬送路上に複数配設した各種検知センサからの情報等を基に判断する。
【０４１２】
そして、上述の確認プリント動作が完了していないことをステップＳ１１６にて判断した場合、制御部２０５は、次の工程へ移行せずに、その確認プリント動作の完了を待機する。
【０４１３】
一方、上述の確認プリント動作が完了したことをステップＳ１１６の処理にて判断した場合、制御部２０５はステップＳ１１６からステップＳ１１７へ処理を進める。
【０４１４】
ステップＳ１１７にて制御部２０５は、上述の確認プリント動作が実行されたジョブの本番用の印刷動作を再度この時点から実行（継続）させるように印刷システム１０００を制御する。
【０４１５】
ステップＳ１１７にて再実行の対象となるこのジョブの本番用の印刷動作では、ステップＳ１１４におけるこのジョブの印刷動作の中断直前までに処理済の分については印刷を行わないように、制御部２０５は印刷システム１０００を制御する。
【０４１６】
そして、ステップＳ１１７では、ステップＳ１１４の段階にて未処理であった残り分の印刷についてのみを実行するように、制御部２０５は印刷システム１０００を制御する。
【０４１７】
ステップＳ１１７で本番用の印刷動作を再実行させるに際し、制御部２０５は上述の如く、ステップＳ１０５等により既にＨＤＤ２０９に保持済のジョブの本番用の印刷動作に要する印刷データをステップＳ１１７でも利用するように印刷装置１００を制御する。
【０４１８】
以上のステップＳ１１７の処理を経て、制御部２０５は、ステップＳ１１７からステップＳ１０７へ処理を戻すように制御する。
【０４１９】
なお、ステップＳ１１７からステップＳ１０７へ処理を戻した場合、図１３Ｆで説明したように、この本番用の印刷動作が完了していない事を条件に、制御部２０５は、画面２３００Ａを再度表示できるようにタッチパネル部４０１を制御する。これにより、制御部２０５は、ステップＳ１０７からステップＳ１０９へ処理を再び移行できるようにし、ステップＳ１０９からステップＳ１１５の処理を再度実行できるように印刷システム１０００を制御する。
【０４２０】
このように、制御部２０５は、処理対象のジョブの本番用の印刷動作が完了していない期間中に、オペレータからの要求に応じて複数回確認プリント動作を印刷システム１０００により実行可能にする。
【０４２１】
上述したように、キー２３０４Ｂを介してオペレータから確認プリント開始要求が入力された事を受け、ステップＳ１１４で制御部２０５は自動的に（オペレータからの中断要求の入力無しに）、この確認プリントすべきジョブの本番用の印刷動作を中断させる。
【０４２２】
そして、ステップＳ１１４にてその本番用の印刷動作の中断後（一時停止後）、ステップＳ１１５にて制御部２０５は自動的に、そのジョブの確認プリント動作を印刷システム１０００により実行させる。
【０４２３】
そして、このジョブの確認プリント動作の実行直後のステップＳ１１７の時点から、制御部２０５は自動的に、その確認プリントが行われたジョブの本番用の印刷動作を印刷システム１０００により再実行（再開）させる。
【０４２４】
このように、１つのジョブの一連の印刷工程における以下の３つの処理を、確認プリントの開始要求がオペレータから入力されたことを受けて、順次自動的に実行するように制御部２０５は印刷システム１０００を制御する。
【０４２５】
・  「本番用の印刷動作の中断処理」
・  「確認プリント処理」
・  「本番用の印刷動作の再開処理」
そして本実施形態では、上述した３つの問題等のトラブルもなく確認プリントが実行できるように印刷システム１０００は構成されている。
【０４２６】
例えば、ステップＳ１１５にて確認プリント動作を行うとする。この場合に、既にステップＳ１１４にて印刷中断対象のジョブ（即ち、確認プリント要求がなされたジョブ）の本番用の印刷物を積載するのに必要な出力先に対してこのジョブの確認用の印刷物が出力されることを制御部２０５は禁止する。
【０４２７】
そしてステップＳ１１５の確認プリント動作により出力されるこのジョブの確認用の印刷物はこのジョブの本番用の印刷物の出力先とは異なる出力先へ出力されるように、制御部２０５は印刷システム１０００を制御する。
【０４２８】
そして、この確認プリントが実行された後にステップＳ１１７にて本番用の印刷動作を再実行（再開）するとする。この場合に、このステップＳ１１７にて出力させるこのジョブの本番用の印刷物がこの確認用の印刷物の出力先へ出力されることを、制御部２０５は禁止する。
【０４２９】
そして、ステップＳ１１７にて再実行させる本番用の印刷動作におけるジョブの本番用の印刷物は、ステップＳ１１４の印刷中断時点の直前までに利用中であった本番用の印刷物の出力先へ出力されるように、制御部２０５は印刷システム１０００を制御する。
【０４３０】
尚、本実施形態では上述したように、確認用の印刷物の出力先を決定する為の処理を制御部２０５がステップＳ１１３にて行う。そして制御部２０５は、ステップＳ１１３における処理の詳細を示すフローチャートの一例に相当する図１７に示すフローチャートの処理を実行する。また制御部２０５は、図１７のステップＳ３００における処理の詳細を示すフローチャートの１例に相当する図１９に示すフローチャートの処理を実行する。また、制御部２０５は、この図１７のステップＳ３０４における処理の詳細を示すフローチャートの１例に相当する図１８に示すフローチャートの処理を実行する。
【０４３１】
但し、これらのフローチャートはあくまでも例示的な説明とし、必ずしもこれに限った処理を行わなければならないという事は無い。
【０４３２】
例えば、後述する図２１、図２２を用いて例示する３つの制御例のうちの少なくとも何れかの制御が実行できるように構成されている印刷装置やシステムなどでも、本実施形態は適用可能である。
【０４３３】
又、制御部２０５は上述したように、確認プリント動作が行われるジョブの確認用の印刷物をそのジョブの本番用の印刷物の出力先とは異なるシート処理装置の出力先へ出力できるように印刷システム１０００を制御する。
【０４３４】
そして制御部２０５は、この確認プリントを行うに際し、どの出力先にジョブの確認用の印刷物が出力されるのかをオペレータが識別できるようにした表示を操作部２０４に実行させる。
【０４３５】
この１例として、図１６のステップＳ１１３にて制御部２０５は、図１５に示す表示をタッチパネル部４０１に実行させる。この図１５の画面２５００は、以下に例示するガイダンス情報が示されるように構成された表示画面である。
【０４３６】
尚、制御部２０５は、画面２３００Ｂのキー２３０４Ｂにより確認プリント開始要求がオペレータから入力された直後に、この画面２５００をタッチパネル部４０１に表示させる。
【０４３７】
［ガイダンス情報１］  印刷システム１０００が確認プリントを開始した旨をオペレータに通知する為のガイダンス情報。
【０４３８】
［ガイダンス情報２］  確認プリント対象のジョブの確認用の印刷物が、印刷システム１０００の何処に出力されるのかをオペレータに対して明示的且つ視覚的に確認させるためのガイダンス情報。
【０４３９】
なお、この［ガイダンス情報２］は、このジョブの本番用の印刷物の出力先が印刷システム１０００の何処に出力されるのもオペレータに対して明示的且つ視覚的に確認させるためのガイダンス情報でもある。
【０４４０】
また、制御部２０５は、画面２５００上に印刷システム１０００の実際の概観に相当する概観図をグラフィカルに表示するように、タッチパネル部４０１を制御する。
【０４４１】
そして画面２５００上のグラフィカルな概観図における本番用の印刷物の出力先に該当する出力先を示す個所には、色は「赤」で且つ形状は「●」で表現されるマークが付与された表示内容となるように、制御部２０５はタッチパネル部４０１を制御する。
【０４４２】
また画面２５００上のグラフィカルな概観図にて、このジョブの確認用の印刷物の出力先に該当する出力先を示す個所には、色は「青」で且つ形状は「★」で表現されたマークが付与された表示内容となるように制御部２０５はタッチパネル部４０１を制御する。
【０４４３】
画面２５００の表示をタッチパネル部４０１に実行させる場合にも、制御部２０５は、印刷装置１００のメモリに予め登録済の上述した印刷システム１０００のシステム構成情報等を利用する。
【０４４４】
この画面２５００に示すように、制御部２０５は、オペレータが本番用の印刷物の出力先と確認用の印刷物の出力先とを同時に識別できるようにした（識別可能にした）報知処理をタッチパネル部４０１に実行させる。尚、変形例として、表示出力ではなく、音声出力や印刷出力によるオペレータへの報知処理を代替案として採用しても良い。
【０４４５】
これにより、オペレータに対する操作性及び作業効率に係る効果、即ち、本実施形態に係る確認プリント機能に係る効果が更に向上可能となる。
【０４４６】
例えば、印刷システム１０００のシステム構成で説明したように、印刷装置１００に対して複数台のシート処理装置が連結接続可能なシステム構成であり、複数の出力先の候補が存在するとする。このようなシステム構成でも、確認プリント動作により作成された確認用の印刷物がどの出力先に出力されるのかをオペレータが認識するのが困難になるといった問題が発生するのを抑える事が出来る。また、このような問題が発生したことが原因で、高い生産性がより重要視されうるＰＯＤ環境のような印刷環境で作業効率や生産性にも影響が発生するといった新たなトラブルが発生することもなく、上述のように高い生産性を維持した印刷環境が構築できる。
【０４４７】
次に、この確認プリント動作により出力される確認用の印刷物の出力先を決定する為の制御処理を、図１６〜図１９のフローチャートを用いて説明する。
【０４４８】
尚、ここでは、印刷装置１００に対して複数台のシート処理装置が連結されたシステム構成であって、複数の出力先の候補が存在するものとする。
【０４４９】
そして、本実施形態では、確認用の印刷物の出力先の候補として利用が許可される対象の出力先が複数存在する場合に、以下の複数種類のモードの中から何れかのモードの動作を選択的に実行できるように制御部２０５は印刷システム１０００を制御する。
【０４５０】
［モード１］  例えば、印刷システム１０００の構成が図３で上述したように、印刷装置１００に対して複数台のシート処理装置が連結されているシステム構成であるとする。そして、このシステム構成にて、処理対象のジョブの確認用の印刷物を出力する出力先として利用が許可される出力先を具備するシート処理装置の選択候補が複数台存在するとする。このケースを以下、ケースＡと呼ぶ。
【０４５１】
このケースＡに該当する場合にモード１の動作を行う場合、制御部２０５は、確認プリントが実行されるジョブの本番用の印刷動作で利用するシート処理装置よりもシート搬送路上流側（印刷装置１００に近い方）に位置するシート処理装置を優先的に選択する。
【０４５２】
本番用の印刷動作に要するシート処理装置よりも上流側に、確認用の印刷物の出力先のシート処理装置として選択許可対象の装置が複数台存在するとする。このケースに該当する場合は、その中でも、最もシート搬送路上流側のシート処理装置（最も印刷装置１００本体に近い場所に位置する後処理装置）を優先的に選択する。
【０４５３】
この［モード１］の制御を、図２０に例示するシステム構成を例に取り、説明する。
【０４５４】
例えば、確認プリント動作が行われるジョブの本番用の印刷動作の出力先として必要なシート処理装置が、図２０のシステム構成における３番目の中綴じ製本機２００ｃであるとする。この場合、確認用の印刷物の出力先として利用が許可される対象のシート処理装置は、２番目の大容量スタッカ２００ｂと、１番目の大容量スタッカ２００ａの２つの選択候補であると制御部２０５が判断する。
【０４５５】
そして、この状況の場合においてモード１の動作を実行するとする。この場合、制御部２０５は、このジョブの確認用の印刷物の出力先として利用すべきシート処理装置として、印刷装置１００に最も近い１番目の大容量スタッカ２００ａを選択する。以上のような一連の動作並びに制御が、このモード１に相当するものである。
【０４５６】
このモード１の動作を実行可能に構成することで、印刷システム１０００により以下のような効果が図れる。
【０４５７】
例えば、操作部２０４を具備する印刷装置１００により近い位置に存在する出力先へ確認用の印刷物が出力されるので、オペレータが操作部２０４で操作してから確認用の印刷物をとりにいくまでの移動距離が少なくて済み、オペレータの作業効率が良くなる。また、印刷装置１００に近い出力先に確認用の印刷物が出力されることで、出力先までの確認用の印刷物の搬送距離も短く済む。これにより、確認プリントの出力が完了するまでの所要時間も短縮できる。またその分、確認プリントが行われた後にオペレータにより行われる上述の各種指示に対応した処理も迅速に対応できる。これにより、そのジョブおよび後続ジョブの処理を印刷システム１０００で完了するまでの時間も短くなる。このように、ＰＯＤ環境等の作業現場で従事するオペレータが印刷装置１００の操作部２０４を利用する頻度が高い状況を考慮した各種の効果が図れる。
【０４５８】
［モード２］  先程と同様、ここでは、例えば、印刷システム１０００の構成が、上述したケースＡに相当するとする。
【０４５９】
このケースＡに該当する場合にモード２を実行する場合、制御部２０５は、確認プリントが実行されるジョブの本番用の印刷動作にて利用するシート処理装置に最も近い場所に位置するシート処理装置を優先的に選択する。
【０４６０】
このモード２に関する構成を、図２０に例示するシステム構成を例に取り、説明する。
【０４６１】
例えば、確認プリント動作が行われるジョブの本番用の印刷動作の出力先に利用するシート処理装置が、図２０のシステム構成における３番目の中綴じ製本機２００ｃであるとする。この場合、確認用の印刷物の出力先として利用を許可するシート処理装置は、２番目の大容量スタッカ２００ｂと、１番目の大容量スタッカ２００ａの２つの選択候補であると制御部２０５が判断する。
【０４６２】
そして、この状況の場合においてモード２の動作を実行するとする。この場合、制御部２０５は、このジョブの確認用の印刷物の出力先として利用すべきシート処理装置として、本番用の印刷物の出力先のシート処理装置に最も近い２番目の大容量スタッカ２００ｂを選択する。以上のような一連の動作並びに制御が、このモード２に相当するものである。
【０４６３】
このモード２のメリットは、本印刷が完了し、印刷物を装置から取り出す際、本印刷の印刷物と確認プリントの印刷物が近い場所にあるので、オペレータの作業が容易である点等が挙げられる。
【０４６４】
［モード３］  先程と同様、ここでは、例えば、印刷システム１０００の構成が、上述したケースＡに相当するとする。
【０４６５】
ケースＡに該当する場合にモード３の動作を行う場合、制御部２０５は、確認プリントを実行するジョブの本番用の印刷動作に用いるシート処理装置の位置（接続順序）や印刷装置１００の位置等に関係なく決定済みの特定のシート処理装置を固定的に選択する。
【０４６６】
このモード３の制御を、図２０に例示するシステム構成を例に取り、説明する。
【０４６７】
例えば、確認プリント動作が行われるジョブの本番用の印刷動作の出力先として利用するシート処理装置が、図２０のシステム構成における３番目の中綴じ製本機２００ｃであるとする。この場合に確認用の印刷物の出力先として利用を許可するシート処理装置は、２番目の大容量スタッカ２００ｂと、１番目の大容量スタッカ２００ａの２つの選択候補があると制御部２０５が判断する。
【０４６８】
そして、この状況下にてモード３の動作を行うとする。この場合に、制御部２０５は、予め決定されている特定のシート処理装置は、１番目の大容量スタッカ２００ａであると判断する。尚、この予め決定されている特定のシート処理装置は、例えば、オペレータ自身が操作部２０４を用いて、初期設定として印刷装置１００のＨＤＤ２０９に予め登録しておいても良い。又は、制御部２０５が用いる制御プログラムの１つとして予め機器情報として登録されている構成でも良い。
【０４６９】
そして、このモード３の動作を行うとする。この場合、このジョブの本番用の印刷物の出力先のシート処理装置の位置（接続順序）に係る判別処理等を行う事無く、制御部２０５はこのジョブの確認用の印刷物の出力先として利用すべきシート処理装置として、１番目の大容量スタッカ２００ａを選択する。以上のような一連の動作並びに制御が、このモード３に相当するものである。
【０４７０】
このモード３のメリットは例えば、本番用の印刷物の出力先とは異なる出力先として常に同じ出力先に確認用の印刷物を出力することができるので、分りやすい等がある。
【０４７１】
以上のような各モードに対応する動作を、印刷システム１０００にて選択的に実現可能に制御部２０５は印刷システム１０００を制御する。
【０４７２】
尚、以上の［モード１］〜［モード３］は、ユーザメリットを考慮した上での仕組みでもあるので、あくまでも例示的な説明とし、必ずしも必須の構成要件としなくとも良い。例えば、モード１に相当する動作のみしか対応していない構成でも良い。モード２に相当する動作のみしか対応していない構成でも良い。モード３に相当する動作のみしか対応していない構成でも良い。勿論、このような、モードという概念自体が存在しない構成でも良い。又、モード１の動作とモード２の動作を選択的に実行可能に構成しても良い。又、モード２の動作とモード３の動作を選択的に実行可能に構成しても良い。又、モード１の動作とモード３の動作を選択的に実行可能に構成しても良い。このように２者択一的な構成でも良い。このように本実施形態の印刷システム１０００は種々の形態に適用できる。
【０４７３】
また本実施形態では、確認用の印刷物の出力先を特定種類のシート処理装置の特定の出力先へ出力可能にし、これに該当しない出力先へは、確認用の印刷物を出力することは禁止するように、制御部２０５が印刷システム１０００を制御する。
【０４７４】
また本実施形態では、この特定の出力先を具備する特定の種類のシート処理装置として、図４で説明した、装置筐体外部に露出したトレイを具備する大容量スタッカを利用できるように構成される。
【０４７５】
そして、本実施形態では、処理対象のジョブの本番用の印刷物は図４で例示した大容量スタッカのサンプルトレイ以外の出力先へ出力されるように、制御部２０５が印刷システム１０００を制御する。一方、このジョブの確認用の印刷物が本番用の印刷物の出力先へ出力されることは禁止し、このジョブの確認用の印刷物は図４で例示した大容量スタッカのサンプルトレイへ出力されるように、制御部２０５が印刷システム１０００を制御する。そして確認プリント実行後に再実行されるこのジョブの本番用の印刷動作で作成される本番用の印刷物は、この確認プリントの開始前に本番用の印刷動作で利用された出力先と同じ出力先へ出力されるように、制御部２０５が印刷システム１０００を制御する。
【０４７６】
このように、本実施形態では、印刷システム１０００が複数台のシート処理装置を具備するシステム構成を有していても、本番用の印刷物の出力先とは異なる出力先を確認用の印刷物の出力先として利用可能に制御部２０５が印刷システム１０００を制御する。
【０４７７】
そして処理すべきジョブの本番用の印刷動作で必要なシート処理の種類や出力先に依らず、図４で示した大容量スタッカの機外に露出した出力先に該当するサンプルトレイに確認用の印刷物を出力できるように、制御部２０５は印刷システム１０００を制御する。これにより、制御部２０５は、以下に例示する制御を行う。
【０４７８】
例えば、処理対象のジョブが、本番用の印刷物の出力先として図４の大容量スタッカ内部のスタックトレイを要するスタッカジョブであるとする。この場合でも、制御部２０５は、このジョブの確認用の印刷物をその大容量スタッカ内部のスタックトレイへ出力する事を禁止する。
【０４７９】
また、処理対象のジョブが、本番用の印刷物の出力先として図５の糊付け製本機内部に具備するバスケットを要する糊付け製本ジョブであるとする。この場合でも、制御部２０５は、このジョブの確認用の印刷物を図５の糊付け製本機内部に具備するバスケットへ出力する事を禁止する。
【０４８０】
また、処理対象のジョブが、本番用の印刷物の出力先として図６の中綴じ製本機内部に具備するブックレットホールド部を要する中綴じ製本ジョブであるとする。この場合でも、制御部２０５は、このジョブの確認用の印刷物をそのブックレットホールド部へ出力する事を禁止する。
【０４８１】
このように本実施形態では、制御部２０５が、図１２Ｂ〜図１４Ｈで上述した確認プリント動作に係る各種制御を印刷システム１０００のために実行する。そして、この確認プリントを実行する場合に、処理対象のジョブの本番用の印刷物の出力先とは異なるシート処理装置の出力先へ、そのジョブの確認用の印刷物を出力可能に制御部２０５が印刷システム１０００を制御する。
【０４８２】
これにより、例えば、ＰＯＤ環境のような印刷環境の作業現場から要望されうる以下に例示するような要望に対処可能となる。
【０４８３】
［要望］  コンパクトに構成された印刷システムで、顧客から要求されうるニーズに対処できる豊富な後処理を実行できるように構成された印刷システムで、プリンタ部２０３の高い稼働率を維持したい。特に、大量ジョブの大量ドキュメントを可能な限り同時に集中的に絶え間なく連続して印刷したい。このように、印刷システムを連続動作させ続ける事を維持しながらも、高品位な出力結果を得る為の確認プリントを実現して欲しい。
【０４８４】
しかも、このような要望に対処可能となるのみならず、この要望に応えるように構成した結果、「本番用の印刷物に確認用の印刷物が紛れ込んでしまう」等の既述で例示が如くの新規な問題が発生するといったトラブルも発生しないようにすることができる。 
また、このように、オペレータが本番用の印刷物の中から確認用の印刷物を抜き取るといった介入作業等を要求しないようにすることができるため、使い勝手のよい操作環境のもとでオペレータの作業効率が向上する。これにより、１つのジョブの処理完遂に要する時間も極力短縮可能となるのみならず、後続ジョブをも含む複数のジョブを、可能な限り高品位且つ高生産性でもって連続処理できる効果が印刷システム１０００によって更に向上可能となる。
【０４８５】
また本実施形態にて、上述した［モード１］〜［モード３］に相当する構成を具備することで、これらの効果が更に向上可能となるという効果が図れる。
【０４８６】
また、本実施形態では、上述したように、大容量スタッカが具備する装置筐体外部で且つ装置上部に具備するサンプルトレイへ、確認用の印刷物を出力可能に制御部２０５は印刷システム１０００を制御している。
【０４８７】
ここで、本番用の印刷物の出力先として利用可能な出力先として、印刷物自体が未出力の出力先が存在するとする。そして、その出力先がこの大容量スタッカのサンプルトレイ以外の出力先であるとする。
【０４８８】
このケースの具体例としては、例えば、図４に例示の大容量スタッカ内部のスタックトレイに印刷物が１枚もスタックされていない状況がこのケースに含まれる。
【０４８９】
又、図５に例示の糊付け製本機内部に具備するバスケットに印刷物が１枚もスタックされていない状況も、このケースの具体例に含まれる。
【０４９０】
又、図６の中綴じ製本機内部に具備するブックレットホールド部に印刷物が１枚もスタックされていない状況もこのケースの具体例に含まれる。
【０４９１】
このように、印刷システム１０００において印刷物自体が未出力の出力先が存在していても、その出力先は、大容量スタッカのサンプルトレイ等の装置筐体外部に露出された出力先には該当しない、装置筐体内部に具備する出力先であるとする。
【０４９２】
この場合、制御部２０５は、例えその出力先が、印刷物の出力が可能な出力先であっても、その出力先へ処理対象のジョブの確認用の印刷物を出力する事は禁止する。そして、大容量スタッカのサンプルトレイ等の装置筐体外部に露出された出力先へ、このジョブの確認用の印刷物を出力可能に制御部２０５は印刷システム１０００を制御する。
【０４９３】
このように構成することで、以下に例示する各種トラブル等の発生を未然に抑えることが可能となる。
【０４９４】
「折角、本番用の印刷物とは異なる出力先へ確認用の印刷物を出力したにも拘らず、印刷システムのシート処理装置内部の出力先に確認用の印刷物が出力されてしまうといったトラブル。またこれにより、シート処理装置のどの出力先に出力されたのかを探すべく、複数台のシート処理装置の中からオペレータがあちこち探し回るといったトラブル。また、本番用の印刷物から確認用の印刷物を抜き取る作業自体は不要だが、確認用の印刷物を捜しだす時間が必要となる分、作業ロスやダウンタイム発生の削減があまり実現できない結果となるといったトラブル。その結果、生産性や作業効率にも影響がでてしまうといったトラブル。」
また、本実施形態のように構成することで、例えば以下のような作業を不要とすることが可能となる。
【０４９５】
「大容量スタッカ内部の出力先に確認用の印刷物が出力されてしまうことが原因で、確認プリントの出力物を取出す為に毎回、この大容量スタッカのフロントカバーの開閉操作をオペレータに要求してしまうといったオペレータの介入作業。」
そして、本実施形態のように構成することで、上述したような各種問題が発生するのを抑えながら、本番用の印刷物とは異なる出力先で且つオペレータにより印刷物の存在が一目瞭然の出力先に確認用の印刷物の出力することができる。これにより、オペレータがその確認用の印刷物を迅速に発見可能となる。
【０４９６】
これにより、「複数ジョブを同時期に集中して連続処理する場合でも、可能な限り高生産性且つ高品位で、これら複数のジョブを処理できる。」という、本実施形態にて得られる効果が更に向上可能となるという効果が得られる。しかも、図１５で上述したような表示制御を実行することで、更に、この効果が向上可能となる。
【０４９７】
次に、図１７のフローチャートの処理を説明する。この図１７の処理は、図１６のステップＳ１１３の処理に含まれている処理である。
【０４９８】
先ず制御部２０５は、図１７のステップＳ３００にて、確認プリント動作の対象となる確認用の印刷物の出力先として利用可能な出力先が存在するか否かをチェックする。尚、図１７のステップＳ３００では、この出力先のことを「確認プリント先」と記している。
【０４９９】
又、図１７のステップＳ３００にて制御部２０５は、例えば、以下に例示の情報に基いて、上記判断を行う。
【０５００】
（１）  印刷システム１０００のシステム構成情報。この情報は、図９で説明したように、印刷装置１００のメモリに予め登録されたシート処理装置２００に関する情報を含む。
【０５０１】
（２）  処理対象のジョブの本番用の印刷動作にて要する後処理装置の出力先を特定する為の本番用の出力先情報。この情報も、上述したように、処理対象のジョブに対してオペレータにより設定された印刷処理条件に関する情報に基いて制御部２０５が特定する情報である。
【０５０２】
（３）  印刷システム１０００にて印刷物の出力先対象となる出力先毎の現在の状況を特定する出力先カレントステータス情報。この情報は、印刷システム１０００が具備する複数台のシート処理装置の各ユニット毎に具備する用紙有無検知センサからの各情報を制御部２０５が取得することで、特定する情報である。
【０５０３】
なお、制御部２０５は、この図１７のステップＳ３００による処理の詳細を示すフローチャートである、図１９に例示されるフローチャートの処理を実行する。
【０５０４】
図１９のステップＳ２０１にて、制御部２０５は、上述した（１）〜（３）の情報をもとに、確認プリントを出力可能で且つ本番用の印刷で使用しない出力先が印刷システム１０００に存在するか否を判断する。尚、この出力先の事を、図１９のステップＳ２０１では「排紙先」と記している。
【０５０５】
そして、制御部２０５は、確認プリントを出力可能で且つ本番用の印刷で使用しない出力先が印刷システム１０００に存在しないと判断した場合に、図１９のステップＳ２０１からステップＳ２０３へ処理を進める。
【０５０６】
この図１９のステップＳ２０３にて制御部２０５は、オペレータが確認プリント要求を指示したジョブの確認プリントの実行を禁止する。
【０５０７】
例えば、本番用の印刷動作の実行中にこのジョブの確認プリント開始要求が図１３Ｅのキー２３０４Ｂを用いてオペレータから入力されたことを、制御部２０５が図１６のステップＳ１１１にて判断したとする。しかし、図１９のステップＳ２０１にてＮＯと判定した場合、ステップＳ２０３にて制御部２０５は、このジョブの為に確認プリント動作を実行する事を禁止する。この場合、制御部２０５は、図１６のステップＳ１１５にてこのジョブの為に確認プリント動作を実行させること無しに、この確認プリント動作の実行をキャンセルする（中止する）。また、このケースの場合、図１６のステップＳ１１４とステップＳ１１５の処理は実行する事無く（スキップして）、ステップＳ１１３の処理から図１６のステップＳ１０７の処理へ戻るように制御部２０５は制御する。即ち、このケースの場合、図１６のステップＳ１１６にて開始させたこのジョブの本番用の印刷動作を図１６のステップＳ１１４にて中断すること無しにそのまま継続させ続けるように制御部２０５は印刷システム１０００を制御する。尚、このケースの場合、この確認プリントを禁止（キャンセル）した旨及びその理由をタッチパネル部４０１に表示させるように制御部２０５は制御する。このようなオペレータに対する報知処理を操作部２０４により実行する。
【０５０８】
一方、図１９のステップＳ２０１にて、確認プリントを出力可能で且つ本番用の印刷で使用しない出力先が印刷システム１０００に存在すると制御部２０５が判断したとする。
【０５０９】
この場合、制御部２０５は、ステップＳ２０２にて、このジョブの為の確認プリントを受付ける事を正式に許可し、この図１９のステップＳ２０２から図１７のステップＳ３０１へ処理を進める。
【０５１０】
この図１７のステップＳ３０１にて制御部２０５は、サンプルトレイを具備するシート処理装置が印刷システム１０００に存在するか否かを、上述したシステム構成情報等をもとに判断する。尚、この「シート処理装置」とは図１７のステップＳ３０１の「排紙装置」に対応する。
【０５１１】
このステップＳ３０１でＮＯと判定した場合、ステップＳ３０１からステップＳ３０４へ処理を進める。
【０５１２】
このステップＳ３０４にて制御部２０５は、本実施形態の印刷システム１０００が実行可能な確認用の印刷物の出力先を決定する為の複数の処理のうちの１つを実行する。この処理は、図４で例示した大容量スタッカのサンプルトレイ以外で確認用の印刷物の出力先として利用が許可される出力先の候補の中から、確認用の印刷物の出力先を決定する為の処理に相当する。これがステップＳ３０４では「排紙先選択処理２（サンプルトレイ以外に排紙）」に対応する。又、このステップＳ３０４の処理の詳細は図１８のフローチャートで後述する。なお、図１７や図１８のフローチャートの「本印刷」とは確認プリントが実行されるジョブの本番用の印刷動作に相当する。
【０５１３】
一方、図１７のステップＳ３０１でＹＥＳと判定した場合、ステップＳ３０１からステップＳ３０２へ処理を進める。このステップＳ３０２にて制御部２０５は、本番用の印刷動作にて印刷される本番用の印刷物の出力先として利用されない出力先に該当するサンプルトレイが印刷システム１０００に存在するか否を、上述したシステム構成情報等に基いて、判断する。
【０５１４】
ステップＳ３０２でＮＯと判定した場合にはステップＳ３０２からステップＳ３０４へ処理を進める。一方、ステップＳ３０２でＹＥＳと判定した場合にはステップＳ３０２からステップＳ３０３へ処理を進める。
【０５１５】
ステップＳ３０３の処理は、確認用の印刷物の出力先として利用が許可されるシート処理装置が印刷システム１０００内に複数台存在するケースにおいて実行される処理である。また、ステップＳ３０３の処理は、これら複数台のシート処理装置のそれぞれに、図４で例示したサンプルトレイがそれぞれ具備されているケースにおいて実行される処理である。このようなケースの場合に、ステップＳ３０３にて制御部２０５は、確認用の印刷物の出力先として利用を許可する選択候補の中から何れか１台のシート処理装置を、確認プリントが行われるジョブの確認用の印刷物の出力先のシート処理装置として選択する。尚、ステップＳ３０２にて制御部２０５は、上述の［モード１］〜［モード３］のうち、オペレータにより手動で（或いは、機器固有の設定値として自動で）予め印刷装置１００に対して設定されているモードに基いた処理を実行する。このように、制御部２０５は、複数の選択候補の中から特定種類のシート処理装置を１台決定する処理をステップＳ３０３にて行い、その後、ステップＳ３０３からステップＳ３０５へ処理を進める。
【０５１６】
なお、選択候補が１つしかない場合、制御部２０５は、その選択候補を、確認用の印刷物の出力先のシート処理装置として選択する。またこのケースの場合、制御部２０５は、ステップＳ３０３の処理はスキップしてステップＳ３０２からステップＳ３０５へ処理を進める。
【０５１７】
ステップＳ３０５にて制御部２０５は、ステップＳ３０３にて選択したシート処理装置が複数のサンプルトレイを具備するか否かを、上述したシステム構成情報等に基いて判断する。
【０５１８】
なお、図４で例示した大容量スタッカは、サンプルトレイが１個しかないシート処理装置に相当する。よって、印刷システム１０００が例えば図３で示したシステム構成の場合、ステップＳ３０５の判定結果はＮＯとなる。このケースの場合、制御部２０５は、この大容量スタッカのサンプルトレイを確認用の印刷物の出力先として決定し、ステップＳ３０５からステップＳ３０７へ処理を進める。
【０５１９】
また、ステップＳ３０３で選択したシート処理装置が複数のサンプルトレイを有するのであれば、処理をステップＳ３０６に進める。ステップＳ３０６では、制御部２０５は、複数のサンプルトレイのうち確認用の印刷物の出力先として用いるサンプルトレイをオペレータに選択させるための画面をタッチパネル部４０１に表示させ、オペレータからの選択操作により、１つを決定する。
【０５２０】
ステップＳ３０７で制御部２０５は、ステップＳ３０５又はＳ３０６で決定した「確認用の印刷物の出力先」がフェイスアップ／フェイスダウンの切替えが可能に構成されたシート処理装置の出力先であるか否かを、上述のシステム構成情報等に基いて判断する。
【０５２１】
この「フェイスダウン」とは、印刷対象の画像データの奇数頁に相当する印刷データの印刷媒体における印字面が下向きの状態で出力先に対して排出され、且つその状態のまま出力先にて積載保持させる動作モードに相当する。これをここでは、第１積載モードと呼ぶ。このモードを実行する場合、印刷データの印刷順序は、ＨＤＤ２０９に記憶された順序と同じ先頭ページから順番に印刷し、最後に最終ページの印刷データを印刷する。このような印刷順序でこの第１積載モードを実行するように、制御部２０５は、印刷システム１０００を制御する。
【０５２２】
一方、「フェイスアップ」とは、印刷対象の画像データの奇数頁に相当する印刷データの印刷媒体における印字面が上向きの状態で出力先に対して排出され、且つその状態のまま出力先に積載保持させる動作モードに相当する。これをここでは、第２積載モードと呼ぶ。このモードを実行する場合、印刷データの印刷順序は、ＨＤＤ２０９に記憶された順序と逆順、即ち、最終ページから順番に印刷し、最後に先頭ページの印刷データを印刷する。このような印刷順序で第２積載モードを実行するように、制御部２０５は、印刷システム１０００を制御する。
【０５２３】
そして、制御部２０５は、確認用の印刷物の出力先として決定した出力先がこれら２種類の積載モードによる積載処理に対応できるように構成された出力先であるならば、ステップＳ３０７からステップＳ３０８へ処理を進める。
【０５２４】
ステップＳ３０８では、予め設定された２つのモード（モードＡとモードＢ）のうちのどちらのモードが設定されているかを、制御部２０５により確認する。これらモードとして例えば、以下のモードを持つ。
【０５２５】
［モードＡ］  処理対象のジョブの本番用の印刷動作にて、本番用の印刷物の積載形態と同じ積載形態で、このジョブの確認用の印刷物を出力先へ出力し、積載させる。
【０５２６】
例えば、処理対象のジョブが、本番用の印刷動作にて第１積載モードによる積載形態を要するジョブであるとする。このモードＡが設定されている場合、制御部２０５は、このジョブの確認プリント動作では第１積載モードで確認用の印刷物の出力を実行する。
【０５２７】
一方、処理対象のジョブが、本番用の印刷動作にて第２積載モードによる積載形態を要するジョブであるとする。このモードＡが設定されている場合、制御部２０５は、このジョブの確認プリント動作では第２積載モードで確認用の印刷物の出力を実行する。
【０５２８】
このモードＡにより出力される確認用の印刷物は、本番用の印刷物と同じ積載形態になる。そして、確認プリントを実行する時に、印刷データの頁順序や積載形態の変更といった制御シーケンスの切換が必要ない。これにより、例えば印刷システム１０００に対する余計な負担もかけずに生産性重視が図れる。
【０５２９】
［モードＢ］  このモードＢが設定されている場合、制御部２０５は、処理対象のジョブの本番用の印刷動作にて、本番用の印刷物の積載形態に関係なく、このジョブの確認プリント動作にて、第２積載モードで確認用の印刷物の出力を実行する。
【０５３０】
このモードＢにより出力される確認用の印刷物は、確認プリントされた画像の印刷面が上を向いて出力される。よって、表裏を裏返さなくても確認プリントの印刷結果を見ることができる等の効果に役立ち、操作性重視が図れる。
【０５３１】
このようにどちらのモードにもユーザメリットがある。また、どちらのモードで動作させるかは操作部２０４によるメニュー設定でオペレータにより設定できる。
【０５３２】
次に、図１７のステップＳ３０８にて制御部２０５は、これらのモードＡとモードＢのどちらのモードが設定されているのかに基いて、上述した２つの積載モードのうちの何れかの積載モードを選択する。このように、制御部２０５は、処理対象のジョブの確認用の印刷物を第１積載モードで処理するか第２積載モードで処理するかを予め設定されている条件に基いて決定する。
【０５３３】
一方、確認用の印刷物の出力先として決定した出力先が、上述した２つの動作モードによる積載処理に未対応の出力先であるとする。この場合、制御部２０５は、ステップＳ３０７にてＮＯと判定する。そしてこの場合、制御部２０５は、上述したモードＡやモードＢの選択確認など実行すること無しに、上述したモードＡに対応する動作でもって確認用の印刷物の出力を実行するよう印刷システム１０００を制御する。
【０５３４】
その後、制御部２０５は、ステップＳ３０８又はステップＳ３０７にてＮＯと判定し、再び、図１６のメインフローチャートのステップＳ１１４へ処理を戻す。そして、制御部２０５は、この図１７のサブフローチャートの判断結果を反映した確認プリント動作を図１６のステップＳ１１５にて実行するように印刷システム１０００を制御する。
【０５３５】
次に、上述した図１７のステップＳ３０４の処理の詳細について、同処理の詳細を示す図１８のフローチャートを用いて説明する。
【０５３６】
この図１８の処理は、大容量スタッカのサンプルトレイ以外の出力先に確認プリント動作により印刷される確認用の印刷物を出力する場合に行われる。そして、この図１８の処理は、例えば、印刷システム１０００が図２０に示すシステム構成である場合で、且つ、大容量スタッカのサンプルトレイが本番用の印刷動作により使用されているケースの場合等において、行われる。
【０５３７】
まず、図１８のステップＳ４０１にて制御部２０５は、本番用の印刷動作で使用しないシート処理装置で、且つ確認用の印刷物を出力可能なシート処理装置が印刷システム１０００に存在するか調べる。例えば、図２０のシステム構成の場合にて、中綴じ製本機２００ｃを本番用の印刷動作に利用する場合、大容量スタッカ２００ａ、２００ｂは本番用の印刷動作では利用されない。しかし、これら大容量スタッカ２００ａ、２００ｂのサンプルトレイは、両方ともに既に印刷物が積載されており、利用が不可能であるとする。この場合、ステップＳ４０１ではＮＯと判定する。なおこの場合、制御部２０５は、本番用の印刷動作で利用する中綴じ製本機２００ｃをステップＳ４０３で選択する。但しこの場合でも、図６に例示した中綴じ製本機が具備する機外に露出したトレイのうち本番用の印刷動作で利用しない空きトレイに対して、この確認プリントが行われるジョブの確認用の印刷物を出力できるように印刷システム１０００を制御する。
【０５３８】
また、ステップＳ４０１にてＮＯと判定した場合、ステップＳ４０１からステップＳ４０３へ処理を進める。ステップＳ４０３にて制御部２０５は、本番用の印刷動作で使用するシート処理装置を選択する。但しこの場合でも、上述したように、本番用の印刷物に利用しない出力先が選択される。
【０５３９】
一方、ステップＳ４０１にてＹＥＳと判定した場合には、ステップＳ４０１からステップＳ４０２へ処理を進める。そして、ステップＳ４０２にて制御部２０５は、確認用の印刷物の出力に利用するシート処理装置の選択を行う。この選択方法は前述した３通り（モード１〜モード３）がある。ステップＳ４０３の処理が済んだらステップＳ４０４へ進む。
【０５４０】
ステップＳ４０４にて制御部２０５は、ステップＳ４０２又はステップＳ４０３で選択されたシート処理装置の内部と外部のそれぞれに本番用の印刷動作で使用しない出力先（トレイ）が存在するか調べる。例えば、ステップＳ４０２又はステップＳ４０３にて選択された１台のシート処理装置における内部と外部のそれぞれに、本番用の印刷物が出力されず、確認用の印刷物を出力できる出力先が複数存在するとする。この場合、制御部２０５は、ステップＳ４０４からステップＳ４０５へ移行し、ステップＳ４０５にて、このシート処理装置の外部に存在する出力先を優先的に確認用の印刷物の出力先として選択する。一方、もし、ステップＳ４０２又はステップＳ４０３にて選択された１台のシート処理装置における内部にのみ、本番用の印刷物が出力されず、確認用の印刷物を出力できる出力先の候補が存在するとする。この場合、制御部２０５は、ステップＳ４０４からステップＳ４０６へ移行し、ステップＳ４０６にて、このシート処理装置の内部に存在する出力先を確認用の印刷物の出力先として決定する。
【０５４１】
次に、ステップＳ４０７では、ステップＳ４０５又はステップＳ４０６で選択された出力先がフェイスアップ／フェイスダウンの切替えが可能かを判断する。ステップＳ４０７にてＹＥＳと判定した場合、制御部２０５はステップＳ４０７からステップＳ４０８へ処理を進める。そして、ステップＳ４０８にて制御部２０５は、上述したモードＡとモードＢのどちらのモードに基いた動作を、処理対象のジョブの確認プリント動作にて実行するかを決定する。一方、ステップＳ４０７にてＮＯと判定した場合、制御部２０５は、ステップＳ４０８の処理をスキップする。
【０５４２】
そして、制御部２０５は、図１８のフローチャートの処理が終了したら再び、図１６のメインフローチャートのステップＳ１１４の処理へと処理を戻す。そして、制御部２０５は、この図１８のサブフローチャートによるシート処理装置及び出力先の決定結果を反映した確認プリント動作を図１６のステップＳ１１５にて実行するように印刷システム１０００を制御する。
【０５４３】
以上の図１６〜図１９で例示した確認プリント動作における確認用の印刷物の出力先の決定方法は、あくまでも例示的なものとする。少なくとも、本実施形態の印刷システム１０００のように、例えば、以下に例示する［制御例１］〜［制御例３］の何れの制御が実行できるように構成されていれば、本実施形態に適用可能である。本実施形態では、制御部２０５が以下の［制御例１］〜［制御例３］の制御を実行するのためのコンピュータ読出実行可能なコンピュータプログラムを印刷装置１００のメモリから読み出して実行することで、これらの制御が印刷システム１０００にて実行される。
【０５４４】
［印刷システム１０００による確認プリント動作に係る制御に含まれる印刷物の出力先に関する制御例１］
まず、図２１を用いて、制御部２０５が実行する確認プリント動作に係る制御の１つに含まれる、印刷物の出力先に関する制御に相当する１番目の制御例を説明する。図２１は、図３に示したシステム構成における印刷物の出力先の候補を詳細に示した断面図であり、図３と図２１は同一のシステム構成である。
【０５４５】
まず、例えば、制御部２０５は、印刷装置１００のメモリに登録済の上述したシステム構成情報を確認する。その結果、印刷システム１０００は図２１に例示するシステム構成であるとする。この場合、例えば、制御部２０５は、以下に示す［確認事項１−１］と［確認事項１−２］の確認を、ＨＤＤ２０９内に登録済のシステム構成情報に基いて行う。
【０５４６】
［確認事項１−１］  印刷システム１０００が図２１に示すシステム構成の場合、プリンタ部２０３で印刷されるシートを保持できる出力先（排紙先）は合計６個である事を特定する。
【０５４７】
［確認事項１−２］  印刷システム１０００が図２１に示すシステム構成の場合、第１の出力先（以下、図２１のように出力先Ｘ１と称す）として、大容量スタッカの機内に具備するスタックトレイが存在する事を確認する。
【０５４８】
また、印刷システム１０００が図２１に示すシステム構成の場合、第２の出力先（以下、図２１のように出力先Ｘ２と称す）として、大容量スタッカの機外上部に具備するサンプルトレイが存在する事を確認する。
【０５４９】
また、印刷システム１０００が図２１に示すシステム構成の場合、第３の出力先（以下、図２１のように出力先Ｙと称す）として、糊付け製本機の機内に具備するバスケットが存在する事を確認する。
【０５５０】
また、印刷システム１０００が図２１に示すシステム構成の場合、第４の出力先（以下、図２１のように出力先Ｚ１と称す）として、中綴じ製本機の機外に具備する１番目のトレイが存在する事を確認する。
【０５５１】
また、印刷システム１０００が図２１に示すシステム構成の場合、第５の出力先（以下、図２１のように出力先Ｚ２と称す）として、中綴じ製本機の機外に具備する２番目のトレイが存在する事を確認する。
【０５５２】
また、印刷システム１０００が図２１に示すシステム構成の場合、第６の出力先（以下、図２１のように出力先Ｚ３と称す）として、中綴じ製本機の機内に具備するトレイが存在する事を確認する。
【０５５３】
このように、印刷システム１０００が図２１に示すシステム構成である場合、制御部２０５は、これら［確認事項１−１］と［確認事項１−２］に例示した確認を、上述したシステム構成情報に基いて行う。そして、この図２１に示すシステム構成において印刷システム１０００により処理すべきジョブが、例えば、以下に例示する何れかのケースに該当するジョブであるとする。
【０５５４】
［ケース１−１］  処理対象のジョブがスタッカジョブに該当し、且つそのジョブの本番用の印刷物の出力先として、図２１の出力先Ｘ１の利用を要するジョブである場合。
【０５５５】
［ケース１−２］  処理対象のジョブが糊付け製本ジョブに該当し、且つそのジョブの本番用の印刷物の出力先として、図２１の出力先Ｙの利用を要する、ジョブである場合。
【０５５６】
［ケース１−３］  処理対象のジョブが中綴じ製本機によるシート処理を要するジョブに該当し、且つそのジョブの本番用の印刷物の出力先として、図２１のＺ１〜Ｚ３の何れかの出力先の利用を要するジョブである場合。
【０５５７】
以上のように、印刷システム１０００が図２１に示すシステム構成の場合で、この印刷システム１０００により処理すべきジョブがこれら［ケース１−１］〜［ケース１−３］ノ何れかのケースに該当するとする。この場合、制御部２０５は、そのジョブのために、以下に例示する［制御１−１］と［制御１−２］を順次実行する。
【０５５８】
［制御１−１］  まず、制御部２０５は、処理すべきジョブの本番用の印刷動作を印刷システム１０００により実行中に、そのジョブの為の確認プリント要求をオペレータから受付ることができるように操作部２０４を制御する。この操作部２０４に対する制御の説明は上述した操作部２０４に対する制御と同様なので省略する。
【０５５９】
［制御１−２］  その後、処理すべきジョブの本番用の印刷実行中にそのジョブの為に確認プリント要求が操作部２０４を介してオペレータによりなされたとする。この場合、この要求に応答して、制御部２０５は、そのジョブの本番用の印刷動作を中断させ、そのジョブの確認プリントを印刷システム１０００で開始させる。
【０５６０】
そして、このジョブの確認プリント動作を実行する場合、制御部２０５は、このジョブの確認用の印刷物を図２１に示す大容量スタッカが具備する機外に露出した出力先Ｘ２へ出力するように印刷システム１０００を制御する。このように、このジョブの確認用の印刷物の出力先として出力先Ｘ２以外の出力先を利用する事を禁止するように、制御部２０５は印刷システム１０００を制御する。
【０５６１】
そして、このジョブの確認用の印刷物の出力先Ｘ２に対する出力が全て完了した事に応じて、制御部２０５は、そのジョブの本番用の印刷動作を自動的に再開させるように印刷システム１０００を制御する。また、この再開動作の際には、このジョブの確認プリント動作が開始される前に、このジョブで利用していた出力先と同じ出力先にこのジョブの本番用の印刷物を出力するように、制御部２０５は印刷システム１０００を制御する。
【０５６２】
このように、図２１に示すシステム構成で確認プリント要求がなされた場合、図１６〜図１９で例示したフローチャートの処理に従い、［制御１−１］と［制御１−２］とが含まれる一連の制御を実行できるように印刷システム１０００は構成されている。
【０５６３】
［印刷システム１０００による確認プリント動作に係る制御に含まれる印刷物の出力先に関する制御例２］
次に、図２２を用いて、制御部２０５が実行する確認プリント動作に係る制御の１つに含まれる、印刷物の出力先に関する制御に相当する２番目の制御例を説明する。図２２は、図２０に示したシステム構成における印刷物の出力先の候補を詳細に示した断面図であり、図２０と図２２は同一のシステム構成である。
【０５６４】
まず、制御部２０５は、上述したように、上述したシステム構成情報を確認する。その結果、印刷システム１０００は図２２に示すシステム構成であるとする。この場合、例えば、制御部２０５は、以下に例示する［確認事項２−１］と［確認事項２−２］の確認を、システム構成情報に基いて行う。
【０５６５】
［確認事項２−１］  印刷システム１０００が図２２に示すシステム構成の場合、プリンタ部２０３で印刷されるシートを保持できる出力先（排紙先）は合計７個である事を特定する。
【０５６６】
［確認事項２−２］  印刷システム１０００が図２２に示すシステム構成の場合、第１の出力先（以下、図２２のように出力先Ｘ１と称す）として、接続順序が１番目の大容量スタッカの機内に具備するスタックトレイが存在する事を確認する。
【０５６７】
また、印刷システム１０００が図２２に示すシステム構成の場合、第２の出力先（以下、図２２のように出力先Ｘ２と称す）として、接続順序が１番目の大容量スタッカの機外上部に具備するサンプルトレイが存在する事を確認する。
【０５６８】
また、印刷システム１０００が図２２に示すシステム構成の場合、第３の出力先（以下、図２２のように出力先Ｙ１と称す）として、接続順序が２番目の大容量スタッカの機内に具備するスタックトレイが存在する事を確認する。
【０５６９】
また、印刷システム１０００が図２２に示すシステム構成の場合、第４の出力先（以下、図２２のように出力先Ｙ２と称す）として、接続順序が２番目の大容量スタッカの機外上部に具備するサンプルトレイが存在する事を確認する。
【０５７０】
また、印刷システム１０００が図２２に示すシステム構成の場合、第５の出力先（以下、図２２のように出力先Ｚ１と称す）として、接続順序が３番目の中綴じ製本機の機外に具備する１番目のトレイが存在する事を確認する。
【０５７１】
また、印刷システム１０００が図２２に示すシステム構成の場合、第６の出力先（以下、図２２のように出力先Ｚ２と称す）として、接続順序が３番目の中綴じ製本機の機外に具備する２番目のトレイが存在する事を確認する。
【０５７２】
また、印刷システム１０００が図２２に示すシステム構成の場合、第７の出力先（以下、図２２のように出力先Ｚ３と称す）として、接続順序が３番目の中綴じ製本機の機内に具備するトレイが存在する事を確認する。
【０５７３】
このように、印刷システム１０００が図２２に示すシステム構成である場合、制御部２０５は、これらの［確認事項２−１］及び［確認事項２−２］に例示した確認を、上述のシステム構成情報に基いて行う。そして、この図２２に示すシステム構成において印刷システム１０００により処理すべきジョブが、例えば、以下に例示する何れかのケースに該当するジョブであるとする。
【０５７４】
［ケース２−１］  処理対象のジョブがスタッカジョブに該当し、且つそのジョブの本番用の印刷物の出力先として、図２２の出力先Ｘ１の利用を要するジョブである場合。
【０５７５】
［ケース２−２］  処理対象のジョブがスタッカジョブに該当し、且つそのジョブの本番用の印刷物の出力先として、図２２の出力先Ｙ１の利用を要するジョブである場合。
【０５７６】
［ケース２−３］  処理対象のジョブが中綴じ製本機によるシート処理を要するジョブに該当し、且つそのジョブの本番用の印刷物の出力先として、図２２のＺ１〜Ｚ３の何れかの出力先の利用を要するジョブである場合。
【０５７７】
以上のように、印刷システム１０００が図２２に示すシステム構成の場合で、この印刷システム１０００で処理すべきジョブが、これら［ケース２−１］〜［ケース２−３］のうちの何れかのケースに該当するとする。この場合、制御部２０５は、そのジョブのために以下に例示する［制御２−１］と［制御２−２］を順次実行する。
【０５７８】
［制御２−１］  まず、制御部２０５は、その処理すべきジョブの本番用の印刷動作を実行中に、そのジョブの為の確認プリント要求をオペレータから受付ることができるように操作部２０４を制御する。
【０５７９】
［制御２−２］  その後、そのジョブの本番用の印刷実行中にそのジョブの為に確認プリント要求が操作部２０４を介してオペレータによりなされたとする。この場合、この要求に応答し、制御部２０５は、そのジョブの本番用の印刷動作を中断させ、そのジョブの確認プリントを印刷システム１０００に開始させる。
【０５８０】
ジョブの確認プリント動作を実行する場合、制御部２０５は、このジョブの確認用の印刷物を、そのジョブの本番用の印刷物の出力先に関係なく印刷装置１００に最も近い１番目の大容量スタッカの出力先Ｘ２へ出力するように印刷システム１０００を制御する。このように、制御部２０５は、処理対象のジョブの確認用の印刷物の出力先として、処理対象のジョブの本番用の印刷物の出力先に関係なく、シート搬送方向上流側の図２２の大容量スタッカの出力先Ｘ２を利用するように印刷システム１０００を制御する。
【０５８１】
そして、このジョブの確認用の印刷物の大容量スタッカの出力先Ｘ２に対する出力が全て完了した事に応じ、制御部２０５は、そのジョブの本番用の印刷動作を自動的に再開させるように印刷システム１０００を制御する。またこの際、このジョブの確認プリント動作が開始される前にこのジョブで利用していた出力先と同じ出力先へこのジョブの本番用の印刷物を出力するように、制御部２０５は印刷システム１０００を制御する。
【０５８２】
このように、図２２に示すシステム構成にて確認プリント要求がなされた場合に、上述したフローチャートの処理に従い、これらの［制御２−１］と［制御２−２］とが含まれる一連の制御が実行できるように印刷システム１０００は構成されている。
【０５８３】
［印刷システム１０００による確認プリント動作に係る制御に含まれる印刷物の出力先に関する制御例３］
次に、上述の図２２を再び用いて、制御部２０５が実行する確認プリント動作に係る制御の１つに含まれる、印刷物の出力先に関する制御に相当する３番目の制御例を説明する。
【０５８４】
まず、例えば、制御部２０５は、上述と同様にシステム構成情報を確認する。その結果、印刷システム１０００は図２２に示すシステム構成であるとする。即ち、この制御例３では、上述した［確認事項２−１］と［確認事項２−２］の確認と同じ確認を、印刷装置１００のメモリに予め登録されている上述のシステム構成情報に基いて行う。
【０５８５】
このように、印刷システム１０００が図２２に示すシステム構成であるとする。なおかつ、このシステム構成にて印刷システム１０００により処理すべきジョブが、上述の［ケース２−１］〜［ケース２−３］のうちの何れかのケースに該当するジョブであるとする。これらの条件は上述の制御例２と同じである。しかし、この制御例３では、上述した制御例２とは異なる制御が実行される。この制御例３では、その処理すべきジョブのために、制御部２０５は、以下に例示する［制御３−１］と［制御３−２］を順次実行する。
【０５８６】
［制御３−１］  まず、制御部２０５は、その処理すべきジョブの本番用の印刷動作を実行中に、そのジョブの為の確認プリント要求をオペレータから受付ることができるように操作部２０４を制御する。この点は、上述の各制御例と同様である。
【０５８７】
［制御３−２］  その後、その処理すべきジョブの本番用の印刷実行中にそのジョブの為に確認プリント要求が操作部２０４を介してオペレータによりなされたとする。この場合、この要求に応答し、制御部２０５は、そのジョブの本番用の印刷動作を中断するように印刷システム１０００を制御する。且つ、この制御例３では更に、制御部２０５は、このジョブの本番用の印刷物の出力先が図２２のＸ１〜Ｚ３のどの出力先であるかを確認する。
【０５８８】
その結果、制御部２０５は、このジョブの本番用の印刷物の出力先が図２２の出力先Ｘ１では無く、Ｙ１又はＺ１〜Ｚ３の何れかである事を確認したとする。この場合、制御部２０５は、このジョブの確認用の印刷物を図２２の２番目の大容量スタッカの出力先Ｙ２へ出力するよう印刷システム１０００を制御する。
【０５８９】
一方、このジョブの本番用の印刷物の出力先が図２２の出力先Ｘ１であるとする。この場合、制御部２０５は、このジョブの確認用の印刷物を図２２の１番目の大容量スタッカの出力先Ｘ２へ出力するよう印刷システム１０００を制御する。
【０５９０】
このように、制御例３では、制御部２０５が、機外上部に露出した出力先（排紙部）に相当する図２２の１番目の大容量スタッカの出力先Ｘ２と、２番目の大容量スタッカの出力先Ｙ２の２つの選択候補を確認する。そして、この２つの出力先の選択候補のうち、このジョブの本番用の印刷物の出力先により近い方の出力先をこのジョブの確認用の印刷物の出力先として利用するように、制御部２０５は印刷システム１０００を制御する。
【０５９１】
その後、このジョブの確認用の印刷物の出力が全て完了した事に応じて、制御部２０５は、そのジョブの本番用の印刷動作を自動的に再開させるように印刷システム１０００を制御する。そしてこの際、このジョブの確認プリントが開始される前にこのジョブで利用していた出力先と同じ出力先へこのジョブの本番用の印刷物を出力するように、制御部２０５は印刷システム１０００を制御する。
【０５９２】
このように、図２２に示すシステム構成にて確認プリント要求がなされた場合に、図１６〜図１９で例示したフローチャートの処理に従い、［制御３−１］と［制御３−２］とが含まれる一連の制御を実行できるように印刷システム１０００は構成されている。
【０５９３】
尚、図２１の制御例１や図２２の制御例２は、図１７のフローチャート等で例示したモード１又はモード３に相当する動作を制御部２０５が印刷システム１０００に実行させる制御例に対応する。一方、図２２の制御例３は、図１７のフローチャート等で例示したモード２に相当する動作を制御部２０５が印刷システム１０００に実行させる制御例に対応する。
【０５９４】
又、図２１、図２２〜図３０を用いた３つの制御例に関し、これら３つの全ての制御を実行可能にし、これらを選択的に実行可能に本実施形態の印刷システム１０００を構成しても良い。或いは、これら３種類の制御のうちの２種類の制御のみを選択的に実行可能に印刷システム１０００を構成しても良い。或いは、これら３種類の制御例のうちの何れか１つに相当する制御のみを実行可能に印刷システム１０００を構成しても良い。このように、種々の構成が本実施形態の印刷システム１０００に適用できる
又、上述したように、本実施形態の印刷システム１０００は以下のように構成されている。即ち、オペレータが設定したフィニッシングの種類（シート処理の設定内容）と、印刷システム１０００のシステム構成に基いて、制御部２０５により、そのジョブの本番用の印刷物の出力先を自動的に決定できるように構成されている。
【０５９５】
これ以外の方法として、本番用の印刷動作にて印刷される本番用の印刷物の出力先をオペレータが明示的に指定できるように印刷システム１０００は構成されている。この点を、図２３Ａ〜図２３Ｅを用いて例示する。
【０５９６】
例えば、現在の状況が、本番用の印刷動作の開始に先立って本番用の印刷動作の為の印刷条件の設定をオペレータが操作部２０４を介して実行する段階にあるとする。例えば、上述した図１３Ａの画面の「仕上げ」キーを押下したとする。すると、これを受け、制御部２０５は、図２３Ａに示す表示をタッチパネル部４０１に実行させる。
【０５９７】
図２３Ａ〜図２３Ｅに例示する画面は、例えば、図４に示す大容量スタッカと図６に示す中綴じ製本機の２台のシート処理装置が利用できるように印刷システム１０００が構成されている場合に、制御部２０５がタッチパネル部４０１に表示させる画面である。なお、上述したように、これら図２３Ａ〜図２３Ｅに例示する画面を表示させる場合でも、制御部２０５は、上述のシステム構成情報に基いた表示内容となるようにタッチパネル部４０１を制御する。
【０５９８】
また、図２３Ａの画面の表示領域３３０３には、中綴じ製本機と大容量スタッカの２台が印刷システム１０００に存在する事を明示的且つグラフィカルに理解できるように、これらの装置の概観を示す表示を実行するように制御部２０５は制御する。
【０５９９】
また、図２３Ａのキー３３０１とキー３３０２を用いてどちらのシート処理装置を利用するかをオペレータが明示的に決定できるように、制御部２０５は操作部２０４を制御する。
【０６００】
例えば、図２３Ａの画面３３００のキー３３０１がオペレータにより押下されたとする。この場合、制御部２０５は、このジョブの本番用の印刷物の出力先として、印刷システム１０００に存在する中綴じ製本機の出力先を利用するように、印刷システム１０００を制御する。尚、この中綴じ製本機が選択された場合、中綴じ製本機により実行可能な複数種類のフィニッシングの中から本番用のジョブにて要するフィニッシングの種類を設定欄３３０４でオペレータが指定可能に制御部２０５は操作部２０４を制御する。
【０６０１】
一方、例えば、図２３Ａの画面３３００のキー３３０２がオペレータにより押下されたとする。この場合、制御部２０５は、このジョブの本番用の印刷物の出力先として、印刷システム１０００に存在する大容量スタッカを利用するように、印刷システム１０００を制御する。
【０６０２】
尚、このキー３３０２がオペレータにより押下された際は、図２３Ａの表示から図２３Ｂの表示に切り換えるように制御部２０５はタッチパネル部４０１を制御する。この図２３Ｂの画面が具備する設定欄３３０５には、スタッカの排紙先の選択欄３３０６が具備されている。
【０６０３】
そして本番用の印刷物の出力先として、大容量スタッカ内部の出力先（図４のスタックトレイ）を利用するか、大容量スタッカ外部の機外に露出した出力先（図４のサンプルトレイ）を利用するかを、選択欄３３０６を介してオペレータが決定することができる。尚、選択欄３３０６にて選択対象となる「スタック部」は図４の大容量スタッカのスタックトレイに対応する。また、選択欄３３０６にて選択対象となる「排紙トレイ」は図４の大容量スタッカのサンプルトレイに対応する。
【０６０４】
そして、この選択欄３３０６をオペレータが押下する事に応答し、制御部２０５は、この選択欄３３０６の表示形態を、図２３Ｃに例示する表示形態に変化させる。この図２３Ｃの選択欄３３０６の表示に示すように、１台の大容量スタッカにおける２つの出力先の選択肢をオペレータに提示するよう制御部２０５はタッチパネル部４０１を制御する。
【０６０５】
そして、例えば、この選択欄３３０６にて「スタック部」がオペレータにより選択されたとする。この場合、図２３Ｂに示すように、大容量スタッカ内部の出力先（スタックトレイ）が、そのジョブの本番用の印刷動作における本番用の印刷物の出力先としてオペレータにより選択されたと制御部２０５が判断する。そしてこの場合、この選択指示に従い、この大容量スタッカ内部の出力先（スタックトレイ）をそのジョブの本番用の印刷動作における本番用の印刷物の出力先として利用するように、制御部２０５は印刷システム１０００を制御する。
【０６０６】
一方、例えば、この選択欄３３０６にて「排紙トレイ」がオペレータにより選択されたとする。この場合、図２３Ｄに示すように、大容量スタッカ外部の出力先（サンプルトレイ）が、そのジョブの本番用の印刷動作における本番用の印刷物の出力先としてオペレータにより選択されたと制御部２０５が判断する。そしてこの場合、この選択指示に従い、この大容量スタッカ外部の出力先（サンプルトレイ）をそのジョブの本番用の印刷動作における本番用の印刷物の出力先として利用するように、制御部２０５は印刷システム１０００を制御する。
【０６０７】
図１７のステップＳ３０８や図１８のステップＳ４０８で例示したように、本実施形態の印刷システム１０００は、フェイスアップとフェイスダウンの何れの積載モードの動作を本番用の印刷動作で実行するかをオペレータが明示的に指定可能に構成されている。この構成に関し、図２３Ａ〜図２３Ｅを用いて説明する。
【０６０８】
例えば、上述した図２３Ａ〜図２３Ｄの各画面にはそれぞれ、「排紙面指定」キーが具備されている。このキーがオペレータにより押下されたとする。すると、制御部２０５は、このキー操作に応答し、図２３Ｅに例示する画面３３００Ｅをタッチパネル部４０１に表示させる。
【０６０９】
そして、この画面３３００Ｅの「フェースダウン」キーがオペレータにより押下された場合、このジョブの本番用の印刷動作にて上述した第１積載モードに相当する動作を実行するように、制御部２０５は印刷システム１０００を制御する。
【０６１０】
一方、この画面３３００Ｅの「フェースアップ」キーがオペレータにより押下された場合、このジョブの本番用の印刷動作にて上述した第２積載モードに相当する動作を実行するように、制御部２０５は印刷システム１０００を制御する。
【０６１１】
以上の図２３Ａ〜図２３Ｅに例示のように、処理すべきジョブの本番用の印刷動作における本番用の印刷物の出力先や排紙面をオペレータがこのジョブの印刷実行指示を入力するに先立って明示的に指定可能に印刷システム１０００は構成されている。
【０６１２】
以上、図１〜図２３Ｅを用いて説明したように、印刷システム１０００は、印刷装置１００により印刷対象の印刷物を少なくとも、複数台のシート処理装置の何れかのシート処理装置の出力先へ出力可能に構成されている。なお、本実施形態の印刷システム１０００にて利用可能な図４〜図６で例示したシート処理装置のことを、図１のシート処理装置１０７〜１１０とは区別するために、以下では、インラインフィニッシャ（インラインタイプの後処理装置）と呼ぶ。これらの装置は、種々のシート処理（後処理、フィニッシングと同義）が実行可能である。
【０６１３】
そして本実施形態において、制御部２０５は、処理対象のジョブにて要するフィニッシングの種類に応じた出力先へ処理対象のジョブの本番用の印刷物を出力可能に印刷システム１０００を制御する。
【０６１４】
このジョブの印刷実行要求の入力に先立ち操作部２０４を介してオペレータから受付けるこのジョブの印刷処理条件に基き、そのジョブの本番用の印刷物の出力先をオペレータが明示的又は間接的に指定できるように制御部２０５は操作部２０４を制御する。
【０６１５】
そして、このジョブの本番用の印刷動作の実行要求が入力されたことを受けて制御部２０５は、そのジョブの本番用の印刷動作を印刷システム１０００に開始させる。この印刷動作は、第１の印刷処理に相当する。そして、このジョブの本番用の印刷動作の実行期間中に、この印刷システム１０００による印刷処理に係る確認処理を印刷システム１０００に実行させるための特定の要求をオペレータから受付ることができるように、制御部２０５は操作部２０４を制御する。この確認処理は、本実施形態の確認プリント処理に相当し、この特定の要求は本実施形態の確認プリント要求に相当する。このように、本実施形態の確認プリント要求は、印刷システム１０００で印刷されるジョブの印刷結果をオペレータが目視で確認できるようにするための確認処理を印刷システム１０００に実行させる要求である。
【０６１６】
この確認処理を実行することで印刷システム１０００で印刷されるジョブに関し、どのような印刷データがどのような出力形態（印刷倍率や印刷レイアウトや光沢度や印刷濃度等）で印刷媒体に印刷されるのかをオペレータが容易且つ迅速に確認可能となる。
【０６１７】
尚、本実施形態では、ユーザインターフェース部の一例として、タッチパネル部４０１を具備した操作部２０４、ホストコンピュータの表示部及びマウスやキーボード等の操作デバイスを例示した。しかし、これには該当しないタイプや構成のユーザインタフェースユニットを用いても構わない。
【０６１８】
そして、このジョブの本番用の印刷動作を印刷装置１００により実行させている状態において、制御部２０５が、この特定の要求を操作部２０４を介してオペレータから受付けたとする。
【０６１９】
この場合、印刷システム１０００にて現在実行中のこのジョブの本番用の印刷動作を、オペレータからの明示的な印刷中断要求の入力無しに、この特定の要求に応答して自動的に中断（一時停止）させるように、制御部２０５は印刷システム１０００を制御する。
【０６２０】
そして、このジョブの本番用の印刷動作の中断処理が済んだら、その直後に、この特定の要求に従い、この確認処理を自動的に開始させるように、制御部２０５は印刷システム１０００を制御する。本実施形態では１例として、この確認処理として、この印刷動作が中断されたジョブの本番用の印刷動作で利用される印刷データを用いた印刷処理を制御部２０５による制御の元で、印刷装置１００により実行させる。この印刷処理は第２の印刷処理に相当する。即ち、この第２の印刷処理は、本実施形態にて確認プリント動作に相当する。
【０６２１】
そして、このジョブの確認プリント動作が完了したら、その直後に、自動的に、この印刷中断状態のジョブの本番用の印刷動作を再開させるように、制御部２０５は印刷システム１０００を制御する。
【０６２２】
このように、制御部２０５は、処理対象のジョブの本番用の印刷処理の一時停止とそのジョブの確認プリントの実行とそのジョブの本番用の印刷処理の再開という３種類の動作を順次自動的に印刷システム１０００で実行可能にする。そして、これら３種類の動作が含まれる一連の動作は、このジョブの本番用の印刷動作の実行中にキー２３０４Ｂを用いて確認プリント要求がオペレータ入力された場合に実行できるように、印刷装置１００を含む印刷システム１０００を制御部２０５が制御する。
【０６２３】
以上のように、本実施形態において、制御部２０５は、印刷装置１００による第１の印刷処理中に特定の要求を操作部２０４を介してオペレータから受付可能にする。そして、この特定の要求を受付けた場合、制御部２０５は、この第１の印刷処理を中断させる。そして、制御部２０５は、この第１の印刷処理の中断後に確認処理を印刷装置１００に実行させる。そして、この確認処理として、制御部２０５は、この第１の印刷処理を行うのに必要な印刷データを用いた第２の印刷処理を印刷装置１００に実行させる。そして、この確認処理が行われた後に、制御部２０５は、この第１の印刷処理を印刷装置１００により再開させる。
【０６２４】
そして更に、制御部２０５は、このジョブの確認プリント動作にて出力対象となる確認用の印刷物を、そのジョブの本番用の印刷動作にて要する印刷物の出力先と同じ出力先へ出力する事は禁止する。そして、このジョブの確認プリント動作にて出力対象となる確認用の印刷物を、このジョブの本番用の印刷動作にて要する印刷物の出力先とは異なるインラインフィニッシャが具備する出力先へ出力できるように、制御部２０５は印刷システム１０００を制御する。
【０６２５】
そして更に、この確認用の印刷物の出力先が印刷システム１０００に含まれる複数台のインラインフィニッシャのどのインラインフィニッシャの出力先であるかをオペレータが特定出来るように、制御部２０５は印刷システム１０００を制御する。
【０６２６】
この１例として、この確認プリント要求がなされたジョブの本番用の印刷動作にて出力対象となる本番用の印刷物を、インラインフィニッシャの装置内部（機内）に具備される出力先へ出力させるケースにおいても、制御部２０５は以下の制御を行う。
【０６２７】
例えば、このケースに該当する場合であっても、そのジョブの確認プリント動作にて出力対象の確認用の印刷物をそのインラインフィニッシャの機内に具備される出力先へ出力することを、制御部２０５は禁止する。
【０６２８】
また、このケースの場合、そのジョブの確認プリント動作にて出力対象の確認用の印刷物を、そのインラインフィニッシャ又は別のインラインフィニッシャの機外に具備される出力先へ出力できるように、制御部２０５は印刷システム１０００を制御する。
【０６２９】
また、本実施形態の印刷システム１０００にて複数台のインラインフィニッシャが印刷装置１００に接続されており、これらが利用可能な場合に、制御部２０５は以下の動作を実行するように印刷システム１０００を制御する。
【０６３０】
例えば、上述のジョブの本番用の印刷動作にて出力される本番用の印刷物を特定のインラインフィニッシャを介して後段側（シート搬送方向下流側）のインラインフィニッシャの出力先へ出力させるとする。
【０６３１】
本実施形態では、このケースに該当する場合においても、そのジョブの確認プリント動作にて出力対象の確認用の印刷物を、その後段側のインラインフィニッシャの出力先へ出力する事を制御部２０５は禁止する。
【０６３２】
またこのケースの場合、制御部２０５は、そのジョブの確認プリントにて出力対象の確認用の印刷物を、その本番用の印刷物の出力先のインラインフィニッシャよりも前段側（上流側）に位置する上述の特定のインラインフィニッシャの出力先へ出力可能にする。この特定のインラインフィニッシャとして本実施形態では大容量スタッカが利用される。
【０６３３】
また本実施形態の印刷システム１０００は、第１タイプと第２タイプのインラインフィニッシャというように、互いに異なる種類のフィニッシングが実行可能な複数台のインラインフィニッシャが利用可能に構成されている。この第１タイプのインラインフィニッシャとして本実施形態では、図４の大容量スタッカが利用される。一方、この第２タイプのインラインフィニッシャとして本実施形態では、図５の糊付け製本機や図６の中綴じ製本機が利用される。
【０６３４】
そして、このシステム構成にて、上述のジョブの本番用の印刷動作にて要する印刷物をこの第２タイプのインラインフィニッシャの出力先へ出力するように制御部２０５が印刷システム１０００を制御したとする。
【０６３５】
このケースに該当する場合においても、そのジョブの確認プリント動作にて出力対象の確認用の印刷物がこの第２タイプのインラインフィニッシャの出力先へ出力されることを、制御部２０５は禁止する。また、このケースの場合、そのジョブの確認プリントにて出力対象の確認用の印刷物を上述の第１タイプのインラインフィニッシャの出力先へ出力するように、制御部２０５は印刷システム１０００を制御する。
【０６３６】
また、本実施形態の印刷システム１０００は、第１、第２出力先を具備するこの第１タイプのインラインフィニッシャを少なくとも２台含む複数台のインラインフィニッシャを印刷装置１００に対して連結できるように構成されている。本実施形態にて、この第１出力先の１例が図４の大容量スタッカのサンプルトレイに相当し、この第２出力先の１例がこの大容量スタッカのスタックトレイに相当する。
【０６３７】
そして、このシステム構成にて、制御部２０５は、上述のジョブの本番用の印刷動作にて要する印刷物をこの第１タイプのインラインフィニッシャの第１出力先以外の出力先へ出力可能に印刷システム１０００を制御する。
【０６３８】
例えば、制御部２０５は、上述のジョブの本番用の印刷動作にて要する印刷物をこれら２台のうちの上流側の第１タイプのインラインフィニッシャの第２出力先へ出力させる。なお、このジョブの処理条件次第で、このジョブの本番用の印刷動作にて要する印刷物を下流側の第１タイプのインラインフィニッシャの第２出力先に対して出力可能に制御部２０５は制御する。但し、これらどちらケースの場合においても、その処理対象のジョブの確認用の印刷物は、この上流側の第１タイプのインラインフィニッシャの第１出力先へ出力するように、制御部２０５は印刷システム１０００を制御する。なお、この制御例は、図２１を用いた制御例１や図２２を用いた制御例２に対応する。
【０６３９】
また、本実施形態にて制御部２０５は、上述の２台のシート処理装置に存在する２つの第１出力先のうちの、上述のジョブの本番用の印刷物の出力先により近い方の出力先へこのジョブの確認用の印刷物を出力できるように印刷システム１０００を制御する。この制御例が図２２で例示した制御例３に対応する。
【０６４０】
また更に本実施形態にて制御部２０５は、フェイスダウン動作とフェイスアップ動作とを１ジョブ単位で選択可能に印刷システム１０００により実行可能にする。このフェイスダウン動作とは、上述したように、処理対象のジョブの印刷動作にて要する印刷物の奇数頁目の印刷結果が下向きの状態で、印刷物を印刷システム１０００の出力先へ出力させる動作である。一方、フェイスアップ動作とは、上述したように、処理対象のジョブの印刷動作にて要する印刷物の奇数頁目の印刷結果が、上向きの状態で印刷物を印刷システム１０００の出力先へ出力させる動作である。
【０６４１】
そして、上述の確認プリント対象となるジョブが、本番用の印刷動作にてこのフェイスダウン動作を要するジョブであるとする。この場合、制御部２０５は、そのジョブの確認用の印刷物の出力においてもこのフェイスダウン動作を実行するように印刷システム１０００を制御する。一方、上述の確認プリント対象となるジョブが、本番用の印刷動作にてフェイアップ動作を要するジョブであるとする。この場合、制御部２０５は、そのジョブの確認用の印刷物の出力においてもフェイスアップ動作を実行するように印刷システム１０００を制御する。
【０６４２】
但し、確認プリント要求がなされたジョブの本番用の印刷動作にてファイスダウン動作を要する場合であっても、そのジョブの確認プリントにおいてはファイスアップ動作を実行するように、制御部２０５が印刷システム１０００を制御する構成でも良い。
【０６４３】
このような選択的な制御が実行できるように本実施形態の印刷システム１０００は構成されている。
【０６４４】
また本実施形態にて制御部２０５は、上述したように、確認プリント要求がなされたジョブの確認用の印刷物の出力先をオペレータが特定できるようにする表示を、本実施形態の操作部２０４により実行可能にする。
【０６４５】
又上述したように、本番用の印刷動作にて要する印刷物の出力先とは異なる出力先の候補が存在しない場合、そのジョブの為に確認プリント要求を操作部２０４を介してオペレータから受け付ける事を制御部２０５は禁止する。
【０６４６】
また、上述したように、確認プリント要求を受付けた場合、制御部２０５は、その確認プリント要求がなされたジョブの印刷処理（本番用の印刷処理に相当）を印刷システム１０００にて中断させる。そして、この印刷処理の中断直後に、制御部２０５は、このジョブのための確認処理を印刷システム１０００に実行させる。本実施形態では、この確認処理として、上述したように、この印刷処理が中断されたジョブの印刷データをＨＤＤ２０９から読み出してこの印刷データを用いた確認プリント処理を実行するように、制御部２０５が印刷システム１０００を制御する。そして、この確認処理が終了直後に、制御部２０５は、この印刷中断状態のジョブの印刷処理（本番用の印刷処理に相当）を印刷システム１０００により自動的に再開（継続）させる。
【０６４７】
またこのように確認プリントを開始させるのに先立ち、そのジョブの確認プリントの印刷動作として、そのジョブの印刷データを１ページ印刷するか全頁印刷するかを操作部２０４を介してオペレータが指定できるように制御部２０５は操作部２０４を制御する。
【０６４８】
また上述したように、本実施形態の印刷システム１０００は、印刷対象のジョブの印刷実行要求をオペレータから受け付ける前に事前に、試しコピー動作を実行する為の試しコピー機能を有する。そして、本実施形態の印刷システム１０００は、この試しコピー機能とは独立した機能として上述の確認プリントを実行する為の確認プリント機能を具備する。
【０６４９】
そして上述したように、この試しコピー機能と確認プリント機能のどちらの機能の動作を実行するかを、処理対象となるジョブ毎に操作部２０４を用いてオペレータが指定できるように制御部２０５は制御する。
【０６５０】
このように本実施形態の印刷システム１０００は、確認プリント動作とは独立した動作として、印刷対象のジョブの印刷実行要求をオペレータから受け付ける前に、事前に試しコピーを実行する試しコピー動作が実行可能に構成されている。
【０６５１】
そして上述したように制御部２０５は、この試しコピー動作の実行可否と上述の確認プリント動作の実行可否とを夫々区別して決定する。
【０６５２】
例えば、処理対象のジョブが複数部数分の印刷を要し、且つソートやステイプル等のフィニッシングを要するジョブであるとする。この場合に、制御部２０５は、そのジョブの為に試しコピー動作を実行させる事を許可する。但し、この試しコピー動作の実行要求の受付けを許可するタイミングは、そのジョブの本番用の印刷動作を印刷システム１０００に開始させる前のタイミングである。これに対して、確認プリント要求の受付けを許可するタイミングは、上述したように、処理対象となるジョブの本番用の印刷動作の実行期間中のタイミングである。例えば、処理対象のジョブの本番用の印刷動作が印刷システム１０００にて実行中であるとする。この場合に、制御部２０５は、そのジョブの為の確認プリント要求を操作部２０４を介してオペレータから受付ける事を許可する。
【０６５３】
また上述したように本実施形態では、この試しコピー動作が実行されたジョブの試しコピー用の印刷物の出力先と同じ出力先へ、このジョブの本番用の印刷動作にて出力される印刷物を出力することを、制御部２０５は許可する。一方、確認プリント動作が実行されるジョブの確認用の印刷物の出力先と同じ出力先へ、そのジョブの本番用の印刷動作にて出力される印刷物を出力することは、制御部２０５は禁止する。
【０６５４】
また上述したように本実施形態にて、この試しコピー動作が実行されたとする。この場合、その試しコピー動作が実行されたジョブの印刷動作に関係し、そのジョブとは異なる他のジョブの印刷動作には関係しない印刷処理条件を操作部２０４を用いてオペレータが変更できるように、制御部２０５は操作部２０４を制御する。
【０６５５】
一方、確認プリント動作が実行されたとする。この場合、その確認プリント動作が実行されたジョブの印刷動作に関係し、且つそのジョブとは異なる他のジョブの印刷動作にも関係する印刷処理条件を操作部２０４を介してオペレータが変更できるように、制御部２０５は操作部２０４を制御する。
【０６５６】
また、制御部２０５は、この試しコピー動作が実行されたジョブであっても、確認プリント機能を利用可能にし、そのジョブの確認プリント動作を実行可能に印刷システム１０００を制御する。例えば、図１２Ａの制御により試しコピー動作を実行したジョブにおいて図１２Ｂの制御を更に実行する。これにより、制御部２０５は、本番用の印刷動作の開始に先立って試しコピーが実行済のジョブであっても、確認プリント動作を印刷システム１０００により実行可能にする。これにより、商品としての印刷物の高品位な出力を確保する仕組みを幾重にも搭載した印刷環境が実現でき、印刷システム１０００により得られる効果が更に向上可能となる。
【０６５７】
また、本実施形態にて制御部２０５は、処理対象のジョブの確認用の印刷物を、そのジョブの印刷動作にて要する印刷物の出力先とは異なるインラインフィニッシャへ出力させる。そして、この確認プリント完了後に、制御部２０５は自動的にそのジョブの本番用の印刷動作を印刷システム１０００により再開可能にする。また制御部２０５は、その印刷動作が再開されたジョブの印刷動作が印刷システム１０００にて終了する迄の期間中に、そのジョブの確認用の印刷物を出力させる確認プリント要求を操作部２０４を介してオペレータから再度受付可能にする。
【０６５８】
また、本実施形態の印刷システム１０００は、処理対象のジョブの為にオペレータが操作部２０４を介して設定した後処理の種類に基いて、制御部２０５が決定する出力先へそのジョブの印刷物を出力する出力先自動決定モードを有する。
【０６５９】
また更に、印刷システム１０００は、処理対象のジョブの為にオペレータが操作部２０４を介して明示的に指定した後処理装置の出力先へそのジョブの印刷物を出力する出力先手動決定モードも有する。
【０６６０】
そして本実施形態にて、これら２つの何れのモードを実行する場合においても、制御部２０５は、処理対象となるジョブの印刷物の出力先とは異なるインラインフィニッシャの出力先へそのジョブの確認用の印刷物を印刷システム１０００により出力可能にする。
【０６６１】
また上述したように、確認プリント要求がなされた時点にて既に、印刷システム１０００によりそのジョブの本番用の印刷動作に要する印刷物の給送が開始されているとする。この場合、その給送された印刷物がその本番用の印刷動作で利用される出力先に出力完了していなくても、そのジョブの確認プリント動作に要する確認用の印刷物（印刷前のシート）の給送を開始できるように、制御部２０５は印刷システム１０００を制御する。
【０６６２】
また本実施形態の印刷装置１００は、原稿読取部からの印刷データの印刷処理を要するジョブと、外部装置からの印刷データの印刷処理を要するジョブを含む複数種類のジョブのデータを記憶可能なＨＤＤ２０９を具備する。そして上述したように、操作部２０４やＰＣ１０４等の外部装置の表示装置やキーボードやマウスといった印刷システム１０００に適用可能な各種ＵＩ部を介して、制御部２０５は確認プリント要求を受け付ける。これにより、このような複数種類のジョブのどの種類のジョブに対しても本実施形態の確認プリント動作に関する制御が制御部２０５により実行できる。
【０６６３】
本実施形態では上述の如く、印刷装置１００による第１の印刷処理（本番用の印刷動作に相当）の実行期間中に第１の印刷処理に係る確認処理の実行要求を操作部２０４を介してオペレータから受付ることができるように制御部２０５が操作部２０４を制御する。そして、この要求を受付け場合、制御部２０５は、この第１の印刷処理を中断させる。そして、この中断直後から、この第１の印刷処理の完了に優先し、この第１の印刷処理にかわって確認処理（確認プリント動作に相当）を印刷装置１００により自動的に実行させるように、制御部２０５は印刷装置１００を制御する。そして、この確認処理として、制御部２０５は、この第１の印刷処理にて利用する印刷データをＨＤＤ２０９から読み出し、この印刷データを用いた第２の印刷処理を印刷装置１００により実行させる。そして、この確認処理が済んだ直後から、この第１の印刷処理を印刷装置１００により自動的に継続するように、制御部２０５は印刷装置１００を制御する。
【０６６４】
このように、確認処理が行われた後に、オペレータから指示を受け付けること無しに、自動的に第１の印刷処理を印刷装置１００により継続（再開）させる構成を説明した。
【０６６５】
しかし、本実施形態にて、この確認処理が行われた後にオペレータから指示を受け付けたうえで、この第１の印刷処理を印刷装置１００により継続（再開）させる構成でも良い。例えば、確認プリントが実行された直後に、自動的に本番用の印刷動作を再開させることなしに、確認プリントの実行後に操作部２０４を介してオペレータから指示を受付け、その後に、このジョブの本番用の印刷動作を再開するように構成しても良い。
【０６６６】
またこのように、確認処理の実行後にオペレータから指示を受け付けたうえで第１の印刷処理を継続させるモードと、上述したように、確認処理の実行後にオペレータから指示を受け付けること無しに自動的に第１の印刷処理を継続させるモードの２つを有する。そして、これらのどちらのモードで印刷装置１００を動作させるかを、この確認処理の実行要求をオペレータが入力するのに先立って予めオペレータが操作部２０４を介して指定可能にする。このような構成でも良い。例えば、確認プリント実行後にオペレータからの指示を受けた後に本番用の印刷動作を再開させるか、上述したように、確認プリント実行後に自動的に本番用の印刷動作を再開させるかを、オペレータが操作部２０４を介して予め指定できるように構成する。
【０６６７】
これらの具体例を以下に説明する。
【０６６８】
例えば上述したように、スタートキー５０３により印刷開始要求がなされたジョブの本番用の印刷動作の実行期間中に、オペレータがキー２３０１Ａを押下したとする。そしてこれを受け、制御部２０５が、画面２３００Ｂをタッチパネル部４０１に表示させたとする。そして、この画面２３００Ｂのキー２３０１Ｂ又はキー２３０２Ｂにより確認プリントの種類がオペレータにより選択されたとする。
【０６６９】
このように確認プリントの種類がオペレータにより選択されると、制御部２０５は、図２４に示す画面２５０１をタッチパネル部４０１にポップアップ表示させる。なお、この画面２５０１がタッチパネル部４０１に表示された段階ではまだ、このジョブの本番用の印刷動作は印刷装置１００で継続させ続けるように制御部２０５は印刷システム１０００を制御する。このように、制御部２０５は、このジョブの確認プリントを印刷システム１０００により開始させる前に、この画面２５０１をタッチパネル部４０１に表示させる。
【０６７０】
この画面２５０１は、確認プリントの開始直前に中断される本番用の印刷動作を、この確認プリントの実行直後に自動的に再開させるか、オペレータからの指示を受けた後に再開させるかを、オペレータが決定できるように構成された画面である。
【０６７１】
この画面２５０１にはデバイス情報の表示欄２５０２が具備される。この表示欄２５０２は、上述の画面２５００の機能と同様の機能を果たす。即ち、制御部２０５は、印刷システム１０００の実際のシステム構成に一致するシステム概観図を示すイメージデータをこの表示欄２５０２に表示させる。なおかつ、この表示欄２５０２のシステム概観図における本番用の印刷物の出力先に該当する出力先を示す個所には、色は「赤」で且つ形状は「●」で表現されるマークを付与するように、制御部２０５はタッチパネル部４０１を制御する。同様に、この表示欄２５０２のシステム概観図におけるこのジョブの確認用の印刷物の出力先に該当する出力先を示す個所には、色は「青」で且つ形状は「★」で表現されたマークを付与するように、制御部２０５はタッチパネル部４０１を制御する。このように、確認プリントがなされるジョブの本番用の印刷物の出力先と確認用の印刷物の出力先が、印刷システム１０００におけるどの出力先であるのかをオペレータが確認できるように構成された表示内容を、制御部２０５は表示欄２５０２にて表示させる。但し、このケースではまだ確認プリントが開始されていない状況なので、画面２５０１では「確認プリントを開始できます」というメッセージが表示される。
【０６７２】
そして、この画面２５０１に具備されるキー２５０３やキー２５０４は、確認プリントの実行後に自動的に本番用の印刷動作を再実行する事を許可するか禁止するかの選択をオペレータが実行できるようにする為の操作指示部である。また、このキー２５０３やキー２５０４は、確認プリントを開始させる為の正式な指示をオペレータが入力する為にも機能するものである。つまり、これらのキーの何れかのキーが押下された時点で、制御部２０５は、この確認プリントが行われる対象のジョブの本番用の印刷動作を中断させ、このジョブの確認プリントを開始させる。このように、このキー２５０３やキー２５０４は、複数の役目を果たすように構成されている表示キーである。
【０６７３】
ここで、例えば、この画面２５０１のキー２５０３がオペレータにより押下されたとする。これを第１ケースと呼ぶ。この第１ケースの場合、このキー２５０３の入力がなされた時点で、制御部２０５は、現在印刷続行中の上述のジョブの本番用の印刷動作を中断（停止）させる。そして本番用の印刷動作を中断したことに応じ、このジョブの確認プリント動作としてキー２３０１Ｂ、２３０２Ｂの何れかで指定されたタイプの確認プリントを自動的に印刷システム１０００に開始させるように制御部２０５が印刷システム１０００を制御する。そして、この確認プリント動作が実行されたことに応じて、制御部２０５は、このジョブの本番用の印刷動作を自動的に再開させるように、印刷システム１０００を制御する。この第１ケースの一連の制御は、上述した図１２Ｂの制御シーケンスに相当する。
【０６７４】
一方、例えば、この画面２５０１のキー２５０４がオペレータにより押下されたとする。これを第２ケースと呼ぶ。この第２ケースの場合、このキー２５０４の入力がなされた時点で、制御部２０５は、現在印刷続行中の上述のジョブの本番用の印刷動作を中断（停止）させる。そしてこの本番用の印刷動作を中断した事に応じ、このジョブの確認プリント動作としてキー２３０１Ｂ、２３０２Ｂの何れかで指定されたタイプの確認プリントを自動的に印刷システム１０００に開始させる為に制御部２０５が印刷システム１０００を制御する。ここまでは第１ケースと同じである。
【０６７５】
しかし、この第２ケースの場合、制御部２０５は、このジョブの確認プリント動作が終了しても、このジョブの本番用の印刷動作を自動的に再開させずに、この本番用の印刷動作の再開を待機させるように印刷システム１０００を制御する。
【０６７６】
そして、この第２ケースの場合、制御部２０５は、このジョブの確認プリント動作が印刷システム１０００により終了したことに応じて、図２５に示すポップアップ画面をタッチパネル部４０１に表示させる。この図２５の画面にはキー２６０１とキー２６０２とキー２６０３が具備される。
【０６７７】
このキー２６０１は、この確認プリントが行われたジョブの本番用の印刷動作を再開させずに、そのまま処理を中止する指示をオペレータが入力するための表示キーである。
【０６７８】
この指示がオペレータからキー２６０１を指示することで入力された場合、制御部２０５は、このジョブの本番用の印刷動作を再開させずに、このジョブの処理を中止する（キャンセル）するよう印刷システム１０００を制御する。なお、このジョブの処理を中止する場合、上述したように、制御部２０５は、ＨＤＤ２０９からこのジョブの印刷データを全頁消去する。このジョブ以外に印刷待ち状態の後続ジョブが存在する場合、このジョブの本番用の印刷動作を中止した直後から速やかにその後続ジョブの印刷データをＨＤＤ２０９から読み出して印刷処理を開始するように、制御部２０５は印刷システム１０００を制御する。
【０６７９】
一方、キー２６０２は、本番用の印刷動作を印刷システム１０００に再開させる指示をオペレータが入力するための表示キーである。そして、キー２６０３は、本番用の印刷動作の再開に先立って、本番用の印刷動作の印刷条件をオペレータが変更するための指示を入力するための表示キーである。
【０６８０】
ここで、オペレータがキー２６０３を指示せずにキー２６０２を指示した場合、制御部２０５は、このジョブの本番用の印刷動作の印刷処理条件を変更せずに、そのまま本番用の印刷動作を印刷システム１０００により再開させる。尚、このように、処理条件の変更無しにこのジョブの本番用の印刷動作を再開する場合は、このジョブの印刷中断前に未処理分の印刷のみを実行するように、制御部２０５は印刷システム１０００を制御する。
【０６８１】
一方、キー２６０２からの指示がオペレータによって入力されるのに先立って、キー２６０３がオペレータにより指示されたとする。この場合、制御部２０５は、図２６に示すポップアップの画面２７０１をタッチパネル部４０１に表示させる。この画面２７０１は、印刷再開が待機状態にあるこのジョブの本番用の印刷動作の印刷条件を、オペレータにより設定変更できるように構成された画面である。
【０６８２】
例えば、この画面２７０１の表示欄２７０２、及び操作部２０４が有するテンキー５０６を用いて、このジョブの本番用の印刷動作を再開する場合におけるこのジョブの印刷部数をオペレータが変更することができる。また、この画面２７０１のスライダ２７０３を用いてオペレータは、このジョブの本番用の印刷再開時における印刷濃度を変更することができる。また、この画面２７０１のキー２７０４を介してオペレータは、このジョブの本番用の印刷動作を再開する際にこのジョブの印刷物に対してシート処理装置２００により実行させるべき後処理を変更させることができる。また、この画面２７０１のキー２７０５を介してオペレータは、このジョブの本番用の印刷動作を再開する際に印刷装置１００が使用する印刷用紙を変更させることができる。その他にもキー２７０６を用いてオペレータは、綴じ代の設定を変更することができる。また、キー２７０７を用いてオペレータは、片面印刷するか両面印刷するかに関する設定を変更することができる。
【０６８３】
また、キー２７０８は、この画面２７０１のポップアップ表示を終了し、図２５の画面に戻るようにオペレータが指示するための表示キーである。
【０６８４】
尚、この画面２７０１には、現時点までにこのジョブの本番用の印刷動作がどこまで済んでいるのか、その進捗状況が表示できるように構成されている。例えば、図２６の表示例では、合計１００セットを印刷すべきジョブの本番用の印刷動作が現時点までに２０セット済んでいる旨を示すメッセージが表示されている。
【０６８５】
以上の印刷条件の設定変更が図２６の画面を介してオペレータにより行われた後、図２５の画面の表示に戻ったとする。その後、この再表示された図２５の画面のキー２６０２がオペレータにより押下されたとする。するとこれを受けて制御部２０５は、上述の印刷再開が待機状態にあるジョブの印刷動作を印刷システム１０００により再開させる。そして、この印刷動作を再開する場合に、制御部２０５は、キー２６０２の入力に先立って図２６の画面を介してオペレータから受付けた設定変更後の印刷条件でもって、このジョブの本番用の印刷動作を再開するように印刷システム１０００を制御する。
【０６８６】
なお、本実施形態では、キー２６０２の入力に先立ってオペレータからの要求に基き、上述した図１４Ａ〜図１４Ｈで説明した各種画面を表示できるように、制御部２０５はタッチパネル部４０１を制御する。そして、これらの各種画面を介して上述したような各種要求をオペレータから受付けることができる。これにより、上述した説明と同様に、このジョブ及びこのジョブ以外の後続ジョブを含む複数のジョブに係る印刷システム１０００の機器固有の印刷処理条件の変更も受付けることができる。そして、このような複数のジョブに係る印刷システム１０００の機器固有の印刷処理条件が変更された後にキー２６０２からの指示がオペレータから入力されたとする。この場合に、制御部２０５は、この変更後の処理条件で、これらの複数のジョブを順次連続的に処理するように印刷システム１０００を制御する。
【０６８７】
以上、キー２５０４からの指示により実行されるこの第２ケースにおける一連の制御に相当する制御シーケンスは図１２Ｂとは異なる。この第２ケースにおける一連の制御に相当する制御シーケンスを図２７に示す。以下に、この図２７の説明を行う。
【０６８８】
図２７のＴ０の時点からＴＸの時点までの期間における［工程１］にて行われる処理と、図１２ＢのＴ０の時点からＴＸの時点までの期間における［工程１］にて行われる処理は同じである。同様に、図２７のＴＸの時点からＴＹの時点までの期間における［工程２］にて行われる処理と、図１２ＢのＴＸの時点からＴＹの時点までの期間における［工程２］にて行われる処理も同じである。
【０６８９】
ただし、図２７のＴＸの時点において制御部２０５が受付ける指示は、キー２５０４からの指示による確認プリント要求である。よって、図２７のＴＹの直前の時点にて、このジョブの確認プリント動作が終了しても、制御部２０５は、このジョブの本番用の印刷動作を印刷システム１０００により自動的に再開させることは禁止する。そして、制御部２０５は、図２７のＴＹの時点から、このジョブの本番用の印刷再開を待機状態にする。そして、この印刷再開が待機状態の期間中に、制御部２０５は、図２５の表示や図２６の表示を介して上述したような各種指示をオペレータから受付ける。
【０６９０】
例えば、図２７の［工程２］にて確認プリントが行われたジョブの本番用の印刷動作の再開を実行せずにそのまま処理を中止する指示（図２７の指示Ａに相当）を、図２７の［工程３］にて制御部２０５は受付ける。
【０６９１】
または、図２７の［工程２］にて確認プリントが行われたジョブの本番用の印刷動作の印刷条件を変更せずに、そのまま本番用の印刷動作を再開させるための指示（図２７の指示Ｂに相当）を、図２７の［工程３］にて制御部２０５は受付ける。
【０６９２】
または、図２７の［工程２］にて確認プリントが行われたジョブの本番用の印刷動作の印刷条件を変更して、本番用の印刷動作を再開させるための指示（図２７の指示Ｃに相当）を、図２７の［工程３］にて制御部２０５は受付ける。
【０６９３】
そして、例えば、この指示Ａを図２７のＴＺの時点にて受付けた場合、図２７の（処理Ａ）に示すように、制御部２０５はこの確認プリントが行われたジョブの本番用の印刷動作を再開すること無しにそのまま中止（終了）するように制御する。
【０６９４】
一方、上述の指示Ｂを図２７のＴＺの時点にて受付けた場合、図２７の（処理Ｂ）に示すように、制御部２０５は、この確認プリントが行われたジョブの本番用の印刷動作を、印刷条件の変更を行う事無しに、そのまま再開するように制御する。但し、この図２７の（処理Ｂ）を行う場合、図２７に示すように、このジョブの本番用の印刷動作の中断時点までに未処理分の印刷のみ実行するよう制御する。
【０６９５】
また、上述の指示Ｃを図２７のＴＺの時点にて受付けた場合に、図２７の（処理Ｃ）に示すように、制御部２０５は、この確認プリント動作が行われたジョブの本番用の印刷動作を、図２６の表示を介して設定変更された処理条件で、再開するよう制御する。なお、この図２７の（処理Ｃ）を行う場合、図２７に示すように、このジョブの本番用の印刷動作の再開時にて、印刷中断前に未処理分のみ印刷することができる。また、図２６の表示を介して受付けたオペレータからの指示次第では、最初から処理をやりなおすこともできる。また、印刷部数を変更してこのジョブの本番用の印刷動作を再開することもできる。
【０６９６】
また、この図２７のＴＺの時点がキー２６０２の指示の入力タイミングである。このキー２６０２がオペレータから入力されたことに応じて制御部２０５は、このジョブの本番用の印刷再開の待機状態を解除し、上述したような各種の処理を図２７の［工程４］にて択一的に印刷システム１０００で実行させる。
【０６９７】
なお、図２７の［工程３］では、この確認プリントが行われたジョブの印刷動作の再開は待機状態である。ただし本実施形態の印刷システム１０００は、上述したように、印刷動作に係る稼働率を無駄に停止させないように構成されている。そこで、この図２７の［工程３］においても、制御部２０５は、この確認プリントが行われたジョブ以外の後続ジョブの印刷動作を印刷システム１０００により実行可能にする。この点は後述する。
【０６９８】
以上のように、確認プリントが行われるジョブの確認プリントの開始に先立ち、制御部２０５は、この確認プリントの実行後にこのジョブの本番用の印刷処理を自動的に再開することを禁止する禁止要求をキー２５０４を介してオペレータから受付可能にする。なお、この確認プリントとは、上述の第２の印刷処理に相当する。そして、この本番用の印刷処理とは上述の第１の印刷処理に相当する。
【０６９９】
そして、キー２５０４を介してこの禁止要求をオペレータから受付けた後に、制御部２０５がこのジョブの確認プリントを印刷装置１００により開始させたとする。この場合、制御部２０５は、この確認プリントの実行後にこのジョブの本番用の印刷処理を印刷装置１００により自動的に再開することを禁止する。またこの場合、制御部２０５は、このジョブの本番用の印刷処理の再開は待機状態にする。そしてその後、このジョブの印刷処理の再開を要求する指示がキー２６０２を介してオペレータから入力されたことを条件に、制御部２０５は、このジョブの本番用の印刷処理を印刷装置１００により再開させる。
【０７００】
一方、キー２５０４を介してこの禁止要求をオペレータから受付ること無しに制御部２０５が、このジョブの確認プリント処理を開始させたとする。この場合、制御部２０５は、この確認プリントの実行後にこのジョブの本番用の印刷処理を印刷装置１００により自動的に再開することを許可する。
【０７０１】
例えば本実施形態では、確認プリント対象のジョブの確認プリントの開始に先立ち、制御部２０５はこの確認プリントの実行後にこのジョブの本番用の印刷処理を自動的に再開することを許可する許可要求をキー２５０３を介してオペレータから受付可能にする。このように、確認プリント開始に先立って上述の禁止要求を受付けずにこの許可要求をキー２５０４を介してオペレータから受付けた場合、制御部２０５はこの確認プリントの実行後にこのジョブの本番用の印刷処理を印刷装置１００に自動的に再開させる。この場合、制御部２０５は、この確認プリントの実行後にキー２６０２を介して上記の指示を受付ける事無しに、この確認プリントが済み次第、このジョブの本番用の印刷処理を再開させるように印刷装置１００を制御する。
【０７０２】
以上説明したように、本実施形態の印刷システム１０００は、図２４のキー２５０３による指示に対応する確認プリント機能に関する第１の動作モードと、図２４のキー２５０４による指示に対応する確認プリント機能に関する第２の動作モードを有する。そして、制御部２０５は、これらの動作モードをオペレータからの指示により選択的に実行可能に印刷システム１０００を制御する。このような構成も本実施形態の印刷システム１０００に適用できる。
【０７０３】
これにより、上述した本実施形態の効果に加え、更に以下のニーズの両方を満足できるという更なる効果が本実施形態の印刷システム１０００により提供できる。
【０７０４】
（確認プリントに係る第１のニーズ）  印刷物の確認が済むまでそのジョブの本番用の印刷動作を待機（ロック）させたいというニーズ。
【０７０５】
（確認プリントに係る第２のニーズ）  確認プリントは行う場合でも、印刷動作は停止させずに高い生産性で印刷ジョブを処理したいというニーズ。
【０７０６】
また、これらの構成以外の構成として上述した構成を具備する構成でも本実施形態は適用出来る。
【０７０７】
例えば、これら第１、第２のどちらの動作モードで動作させる場合においても、確認プリントが行われるジョブの本番用の印刷物の出力先とは異なる出力先へ、このジョブの確認用の印刷物を出力させるように、制御部２０５は印刷システム１０００を制御する。そして、この場合も、上述した図２４の表示欄２５０２に示すように、本番用と確認用の夫々の印刷物の出力先をオペレータが特定できるようにするための情報を通知するように制御部２０５が操作部２０４を制御する。このような構成でも良い。これにより、第１の動作モードでも第２の動作モードでも、上述の各種効果が得られるという更なる効果が得られる。
【０７０８】
尚、このように確認プリント機能に関する第１、第２の動作モードを選択的に実行できる場合において、以下に示す各種動作を実行できるように制御部２０５は印刷システム１０００を制御する。
【０７０９】
例えば、印刷システム１０００が図２１に示すシステム構成の場合に、図２８に示すように、互いに利用するインラインフィニッシャが異なる４つのジョブＡ、Ｂ、Ｃ、Ｄの印刷実行要求がジョブＡから順番に連続して印刷装置１００により受付けられたとする。なお、ジョブＡとジョブＢは中綴じ製本ジョブである。ジョブＣはスタッカジョブである。ジョブＤは糊付け製本ジョブである。以下、これをケースＸと呼ぶ。
【０７１０】
そして、このケースＸの場合においてジョブＡを確認プリントするのに先立って、図２４のキー２５０３が押下された場合に、以下の制御を制御部２０５が実行するように構成しても良い。以下、図２９を用いて説明する。
【０７１１】
まず、例えばスタートキー５０３などを用いて印刷開始要求が入力されたことに応じて、図２９の（３００１）に示すように、制御部２０５はジョブＡの本番用の印刷動作を印刷装置１００により開始させる。
【０７１２】
そして、このジョブＡの印刷実行中にキー２５０３の入力を受付けたことに応じ、制御部２０５は、このジョブＡの本番用の印刷動作の中断直後に、図２９の（３００２）に示すように、ジョブＡの確認プリント動作を印刷装置１００により自動的に開始させる。
【０７１３】
そして、このジョブＡの確認プリントが終了したことに応じ、図２９の（３００３）に示すように、制御部２０５はこのジョブＡの本番用の印刷動作を印刷装置１００により自動的に再開させる。
【０７１４】
そして、このジョブＡの本番用の印刷動作が終了したことに応じ、図２９の（３００３）〜（３００６）に示すように、後続ジョブＢ、Ｃ、Ｄを、印刷実行要求が入力された順序どおりに順次処理するように制御部２０５は印刷システム１０００を制御する。
【０７１５】
即ち、このジョブＡの本番用の印刷動作が終了したことに応じ、図２９の（３００４）に示すように、制御部２０５はジョブＢの本番用の印刷動作を印刷装置１００により自動的に実行させる。
【０７１６】
その後、このジョブＢの本番用の印刷動作が終了したことに応じ、図２９の（３００５）に示すように、制御部２０５はジョブＣの本番用の印刷動作を印刷装置１００により自動的に実行させる。
【０７１７】
その後、このジョブＣの本番用の印刷動作が終了したことに応じ、図２９の（３００６）に示すように、制御部２０５はジョブＤの本番用の印刷動作を印刷装置１００により自動的に実行させる。
【０７１８】
以上のような一連の制御が上述の第１の動作モードが印刷システム１０００にて実行される場合に、制御部２０５により実行される。
【０７１９】
これに対して、上述の第２の動作モードが印刷システム１０００にて実行される場合には、以下に示す一連の制御が制御部２０５により実行される。ここでは図３０を用いて説明する。また、この一連の制御は、上述のケースＸの場合においてジョブＡを確認プリントするのに先立って、図２４のキー２５０４が押下された場合に、制御部２０５により実行される制御である。
【０７２０】
まず、例えばスタートキー５０３などを用いて印刷開始要求が入力されたことに応じて、図３０の（３１０１）に示すように、制御部２０５はジョブＡの本番用の印刷動作を印刷装置１００により開始させる。
【０７２１】
そして、ジョブＡの印刷実行中にキー２５０４の入力を受付けたことに応じ、制御部２０５は、このジョブＡの本番用の印刷動作の中断直後に、図３０の（３１０２）に示すように、このジョブＡの確認プリント動作を印刷装置１００により自動的に開始させる。
【０７２２】
そして、このジョブＡの確認プリントが終了したとする。ここで、キー２６０２によりこのジョブＡの本番用の印刷動作の再開要求が入力されていないことを制御部２０５が判断したとする。この場合、制御部２０５は、このジョブＡの本番用の印刷動作を再開させずに、後続ジョブの印刷動作を印刷装置１００により実行可能にする。但し、このジョブＡの直後に印刷実行要求を受付けたジョブＢは、ジョブＡと同じインラインフィニッシャによるフィニッシングを要する中綴じ製本ジョブである。一方、このジョブＢの直後に印刷実行要求を受付けたジョブＣは、ジョブＡとは異なるインラインフィニッシャによるフィニッシングを要するスタッカジョブである。
【０７２３】
そこで、これらの判断結果を踏まえ、これらジョブＡとジョブＢの本番用の印刷動作は後回しにし、図３０の（３１０３）に示すように、制御部２０５はジョブＣの本番用の印刷動作を印刷装置１００により自動的に実行させる。
【０７２４】
そして、このジョブＣの本番用の印刷動作が終了したとする。しかしまだ、キー２６０２によりジョブＡの本番用の印刷動作の再開要求が入力されていないことを制御部２０５が判断したとする。この場合も、制御部２０５は、ジョブＡの本番用の印刷動作の再開は待機状態のままで、後続ジョブの印刷動作を印刷装置１００により実行可能にする。ここで、制御部２０５は、このジョブＣの直後に印刷実行要求を受付けたジョブＤは、ジョブＡとは異なるインラインフィニッシャによるフィニッシングを要する糊付け製本ジョブであることを判断する。
【０７２５】
以上のような判断結果を踏まえて、制御部２０５は、ジョブＡとジョブＢの本番用の印刷動作は後回しにし、図３０の（３１０４）に示すように、制御部２０５はジョブＤの本番用の印刷動作を印刷装置１００により自動的に実行させる。
【０７２６】
そして、このジョブＤの印刷実行中にキー２６０２によりジョブＡの本番用の印刷動作の再開要求をオペレータから制御部２０５が受付けたとする。この場合、制御部２０５は、このジョブＤの本番用の印刷動作は完了させるように印刷システム１０００を制御する。
【０７２７】
そして、このジョブＤの本番用の印刷動作が終了したことに応じ、図３０の（３１０５）に示すように、制御部２０５は、ジョブＡの本番用の印刷動作を印刷装置１００により再開させる。
【０７２８】
その後、このジョブＡの本番用の印刷動作が終了したことに応じ、図３０の（３１０６）に示すように、制御部２０５は、ジョブＢの本番用の印刷動作を印刷装置１００により自動的に実行させる。
【０７２９】
以上のような一連の制御が上述の第２の動作モードが印刷システム１０００にて実行される場合に、制御部２０５により実行される。
【０７３０】
このように、第２の動作モードが行われる場合に、制御部２０５は、印刷システム１０００のシステム構成情報および各ジョブのフィニッシングの種類等に基いて、複数のジョブの実行順序を変更して処理するように印刷システム１０００を制御する。
【０７３１】
この制御部２０５による制御により、確認プリント実行後に本番用の印刷動作をオペレータからの指示無しに自動的に再開するのを禁止する場合でも、印刷システム１０００の印刷動作が無駄に停止することなく連続運転可能となる。
【０７３２】
また、図２９の制御、及び図３０の制御のどちらを実行する場合でも、制御部２０５は、ジョブＡの確認用の印刷物を、このジョブＡの本番用の印刷物の出力先に相当する図２１の中綴じ製本機の出力先（Ｚ１〜Ｚ３の何れか）へ出力することを禁止する。そして、どちらの制御を実行する場合でも、ジョブＡの確認用の印刷物を、このジョブＡの本番用の印刷物の出力先とは異なる出力先に相当する図２１の大容量スタッカのサンプルトレイＸ２へ出力するように、制御部２０５は印刷システム１０００を制御する。
【０７３３】
これにより上述の効果が更に向上可能にした印刷システムが提供できる。
【０７３４】
以上、本実施形態では、制御部２０５が、印刷装置１００による第１の印刷処理が開始された後のタイミングで、確認処理を実行させる特定の指示をオペレータから操作部２０４を介して受付可能にする。特に本実施形態にて制御部２０５は、この第１の印刷処理が印刷装置１００により実行している最中に、この特定の指示をオペレータから操作部２０４を介して受付可能にする。なお、この特定の指示は、上述の実施形態における、キー２３０４Ｂ又はキー２５０３又はキー２５０４を介してオペレータから受け付ける、確認プリントの実行要求に相当する。
【０７３５】
そして、この特定の指示を受け付けたことに応じ、制御部２０５は、この第１の印刷処理の完了に先立ってこの確認処理を印刷装置１００により実行させる。本実施形態では、この確認処理として、制御部２０５は、この第１の印刷処理にて利用される印刷データを用いた第２の印刷処理を印刷装置１００により実行させる。また、この第１の印刷処理は、上述の実施形態における、確認プリントが行われるジョブの本番用の印刷動作に相当する。一方、この第２の印刷処理は、このジョブの確認プリント動作に相当する。
【０７３６】
そして、この第２の印刷処理が印刷装置１００により行われた直後に、制御部２０５は、この第１の印刷処理を印刷装置１００により継続可能にする。
【０７３７】
これらの各種構成は、図１２Ｂ〜図１４Ｈで説明した確認プリント動作に関する上述の制御例に対応する構成である。
【０７３８】
また、この第２の印刷処理にて印刷させるページは、この特定の指示がオペレータにより入力されたタイミングに基いて自動的に決定されるように、制御部２０５が印刷装置１００を制御する。これは図１３Ｅのキー２３０２Ｂが押下された場合に実行する上述の制御例などに対応する構成である。
【０７３９】
また、制御部２０５は、この第１の印刷処理が開始されてから終了されるまでの期間中に、この特定の指示をオペレータから繰り返し受付け可能にする。これは、図１３Ｆのキー２３０１Ａで２回目の確認プリント要求が入力された場合に実行する上述の制御例に対応する構成である。
【０７４０】
また本実施形態では、この第２の印刷処理にて印刷される少なくとも１枚の第２のシートを、この第１の印刷処理にて印刷装置１００で印刷される複数の第１のシートとは異なる出力先へ出力するように、制御部２０５が印刷システム１０００を制御する。なお、この複数の第１のシートは、上述の実施形態における本番用の印刷物に相当する。一方、この１枚の第２のシートは、上述の実施形態におけるこのジョブの確認用の印刷物に相当する。
【０７４１】
そして本実施形態では、この複数の第１のシートをインラインフィニッシャの内部の出力先へ出力できるように、制御部２０５が印刷システム１０００を制御する。一方、この第２のシートはその同一のインラインフィニッシャの外部の出力先へ出力されるように、制御部２０５が印刷システム１０００を制御する。なお、この内部と外部に出力先を具備するインラインフィニッシャとして、上述の実施形態にて図４の大容量スタッカが利用される。
【０７４２】
また更なる形態として、この第１のシートを第１のインラインフィニッシャ（第１の後処理装置）を介して第２のインラインフィニッシャ（第２の後処理装置）の出力先へ出力できるように、制御部２０５が印刷システム１０００を制御する。一方、この第２のシートはその第１のインラインフィニッシャの出力先へ出力されるように、制御部２０５が印刷システム１０００を制御する。
【０７４３】
これらの構成は、図２０〜図２１等を用いて上述した制御例に対応する構成である。
【０７４４】
そして本実施形態では、この第２のシートの出力先が、オペレータが認識できるような報知情報を、制御部２０５が報知装置により報知させる。これは、図１５や図２４で説明した制御例に対応する構成である。
【０７４５】
また本実施形態では、制御部２０５が、この第２の印刷処理の後に操作部２０４を用いてオペレータからこの第１の印刷処理を継続させる要求を受け付けること無しに、この第１の印刷処理を印刷装置１００により継続させる。これは図１２Ｂ等で説明した制御例に対応する。
【０７４６】
また更なる形態として、制御部２０５は、この第２の印刷処理の後に操作部２０４を用いてオペレータからこの第１の印刷処理を継続させる要求を受け付けた後に、この第１の印刷処理を印刷装置１００により継続させる。これは図２７等で説明した制御例に対応する。そして、この第２の印刷処理が完了した時点からこの要求をオペレータから受け付ける迄の期間中に、制御部２０５は、この第１の印刷処理とは異なる他の印刷処理を印刷装置１００により実行可能にする。これは図３０等で説明した制御例に対応する。
【０７４７】
また更に、本実施形態では、制御部２０５が、この第２の印刷処理に対応する上述の確認処理の開始に先立って、第１の動作モードと第２の動作モードの何れかの動作モードを操作部２０４を介してオペレータにより選択可能にする。この第１の動作モードとは、この第２の印刷処理の後に操作部２０４を用いてオペレータからこの第１の印刷処理を継続させる要求を受け付けること無しに、この第１の印刷処理を印刷装置１００により継続させるモードである。一方、この第２の動作モードとは、この第２の印刷処理の後に操作部２０４を用いてオペレータからこの第１の印刷処理を継続させる要求を受け付けた後にこの第１の印刷処理を印刷装置１００により継続させるモードである。
【０７４８】
これらの構成は図２４等を用いて上述した制御例に対応する。
【０７４９】
また更に本実施形態では、制御部２０５が、この第１の印刷処理の開始に先立ってこの特定の指示とは異なる指示をオペレータから操作部２０４を介して受付可能にする。尚、この特定の指示とは異なる指示とは、上述の形態における、図１３Ａ等の画面の試しコピーキーを用いてオペレータから受け付ける試しコピーの実行要求に相当する。そして、この特定の指示とは異なる他の指示を受け付けたことに応じて、制御部２０５は、上述の確認処理とは異なる他の処理を印刷装置１００に実行させる。尚、この確認処理とは異なる他の処理は、図１２Ａ等で上述した試しコピー動作に相当する。そして、この確認処理（第２の印刷処理、本実施形態では、確認プリント動作に相当）は、この第１の印刷処理が開始された後に印刷条件を変更する場合に利用することができる処理である。これに対して、この確認処理とは異なる他の処理は、この第１の印刷処理が開始される前に印刷条件を変更する場合に利用することができる処理である。
【０７５０】
また、この確認処理に相当する第２の印刷処理で印刷される第２のシートは、この第１の印刷処理で印刷される複数の第１のシートの出力先へ出力すること無しに他の出力先へ出力されるように、制御部２０５が印刷システム１０００を制御する。これに対して、この確認処理とは異なる処理に相当する試しコピー動作により印刷されるシートは、この第１のシートの出力先と同じ出力先へ出力することができるように、制御部２０５は印刷システム１０００を制御する。
【０７５１】
また、この確認処理とは異なる他の処理に相当する試しコピー動作は、１つの印刷ジョブに係る印刷条件を変更する際に利用することができる処理である。これに対して、この確認処理に相当する確認プリント動作は、複数の印刷ジョブに係る印刷条件を変更する際に利用することができる処理である。
【０７５２】
そして、本実施形態では、これら上述の特定の指示と、この特定の指示とは異なる指示とを、同一のジョブにおいてオペレータが操作部２０４を介して入力することができるように制御部２０５が操作部２０４を制御する。
【０７５３】
以上の各種構成は図１２Ａ〜図１４Ｈ等で上述した試しコピーと確認プリントに関する選択的な制御例に対応する。
【０７５４】
なお、本実施形態の印刷システム１０００は、上述のように、これらの各種の構成が矛盾のない範囲で如何様にも組み合わせることができるように構成されている。
【０７５５】
［その他のしくみ］
本実施形態における図に示す機能が、外部からインストールされるプログラムによって、ホストコンピュータ（例えば、ＰＣ１０３やＰＣ１０４）により遂行されていてもよい。尚、この場合に、各画面を含む本実施形態で述べた画面と同様の画面を表示させる為のデータを外部からインストールし、ホストコンピュータの表示部に上記各種のユーザインターフェース画面を提供可能に構成する。
【０７５６】
ここで、以上のように、前述した実施形態の機能を実現するソフトウェアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。この場合、記憶媒体から読み出されたプログラムコード自体が本発明の新規な機能を実現することになり、そのプログラムコードを記憶した記憶媒体は本発明を構成することになる。従って、このようなプログラムの機能を有していれば、オブジェクトコード、インタプリタにより実行されるプログラム、ＯＳに供給するスクリプトデータ等、プログラムの形態は問わない。
【０７５７】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。この場合、記憶媒体から読出されたプログラムコード自体が前述した実施形態の機能を実現することになり、そのプログラムコードを記憶した記憶媒体は本発明を構成することになる。
【０７５８】
その他、プログラムの供給方法としては次のようなものがある、即ち、クライアントコンピュータのブラウザを用いてインターネットのホームページに接続する。そして、このホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０７５９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０７６０】
またコンピュータが読出したプログラムコードを実行することで、前述の実施形態の機能が実現されるだけでなく、そのプログラムコードの指示に基づき、コンピュータ上で稼働しているＯＳ（オペレーティングシステム）等が実際の処理の一部又は全部を行う。従って、その処理によって前述した実施形態の機能が実現される場合も含まれることは言うまでもない。
【０７６１】
さらに、記憶媒体から読み出されたプログラムコードが、コンピュータに挿入された機能拡張ボードやコンピュータに接続された機能拡張ユニットに備わるメモリに書き込まれたとする。この場合、そのプログラムコードの指示に基づき、その機能拡張ボードや機能拡張ユニットに備わるＣＰＵ等が実際の処理の一部または全部を行う。従って、その処理によって前述した実施形態の機能が実現される場合も含まれることは言うまでもない。
【０７６２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記憶媒体を該システムあるいは装置に読み出すことによって、そのシステムあるいは装置が、本発明の効果を享受することが可能となる。
【０７６３】
本発明は本実施形態に限定されるものではなく、本発明の趣旨に基づき種々の変形（各実施形態の有機的な組合せを含む）が可能であり、それらを本発明の範囲から排除するものではない。
【０７６４】
例えば、１例を挙げると、本実施形態にて、試しコピー機能や確認プリント機能により制御対象とするジョブは、ＰＣのアプリケーションから印刷を行うプリントジョブも包含してもよい。この場合、ハードディスクに保存されたプリントジョブに対して確認プリントを指示する形式も含まれる。これにより、上述したボックス機能のジョブも同等に処理できる。
【０７６５】
また、例えば、確認プリントの印刷物を出力した出力先に色紙などを出力できるようにしても良い。このように、図１５の表示処理以外の報知処理により、確認用の印刷物の出力先をオペレータに識別させるように構成してもよい。
【０７６６】
以上種々の構成を具備したシステム構成となっている本実施形態により、上述の種々の効果が図れる。しかし、これらの全てを具備した構成でなくてもよい。例えば、上述した本実施形態の確認プリント機能に関する主要部分の制御のみを実行できるものならば、本実施形態に適用できる。又、本実施形態では、上述した操作部２０４に関する操作制御と印刷システム１０００の実際の印刷動作に係る出力制御を制御部２０５が実行する構成を例示したが、このうちの操作制御に関しては操作制御部といった別の制御部が行う構成でも良い。
【０７６７】
また、例えば、本実施形態では、印刷装置１００に具備される制御部２０５により上述の複数の制御が実行される構成を例示的に説明した。しかし、制御部２０５とは異なる他の制御部が、上述した複数の制御のうちの一部又は全部の制御を実行する構成でも良い。例えば、制御部２０５とは異なる他の制御部として、印刷装置１００とは別筐体の外付けコントローラや、ＰＣ１０４などの遠隔の外部装置のＣＰＵや、インラインフィニッシャが具備するＣＰＵを利用できるようにする。これにより、印刷システム１０００が設置されうる印刷環境に即した柔軟性に富んだ印刷環境が構築可能となるという効果が更に向上可能となるという効果が図れる。このように本実施形態によれば、今後のデジタルプリンティングシステムを見据えた利便性のある印刷システムが提供可能となる。例えば、従来で想定したようなＰＯＤ環境で想定されうるユースケースやニーズに対処可能な便利で柔軟な印刷環境が構築可能となり、製品実用化に向けての様々な仕組みが提供可能となる。
【０７６８】
以上、本発明の様々な例と実施形態について説明したが、当業者であれば、本発明の趣旨と範囲は、本明細書内の特定の説明に限定されるのものではないことは明らかである。
【符号の説明】
【０７６９】
２０５：制御部
【図１】
2015163472.tif 000003
【図２】
2015163472.tif 000004
【図３】
2015163472.tif 000005
【図４】
2015163472.tif 000006
【図５】
2015163472.tif 000007
【図６】
2015163472.tif 000008
【図７】
2015163472.tif 000009
【図８】
2015163472.tif 000010
【図９】
2015163472.tif 000011
【図１０】
2015163472.tif 000012
【図１１Ａ】
2015163472.tif 000013
【図１１Ｂ】
2015163472.tif 000014
【図１１Ｃ】
2015163472.tif 000015
【図１１Ｄ】
2015163472.tif 000016
【図１１Ｅ】
2015163472.tif 000017
【図１２Ａ】
2015163472.tif 000018
【図１２Ｂ】
2015163472.tif 000019
【図１３Ａ】
2015163472.tif 000020
【図１３Ｂ】
2015163472.tif 000021
【図１３Ｃ】
2015163472.tif 000022
【図１３Ｄ】
2015163472.tif 000023
【図１３Ｅ】
2015163472.tif 000024
【図１３Ｆ】
2015163472.tif 000025
【図１４Ａ】
2015163472.tif 000026
【図１４Ｂ】
2015163472.tif 000027
【図１４Ｃ】
2015163472.tif 000028
【図１４Ｄ】
2015163472.tif 000029
【図１４Ｅ】
2015163472.tif 000030
【図１４Ｆ】
2015163472.tif 000031
【図１４Ｇ】
2015163472.tif 000032
【図１４Ｈ】
2015163472.tif 000033
【図１５】
2015163472.tif 000034
【図１６】
2015163472.tif 000035
【図１７】
2015163472.tif 000036
【図１８】
2015163472.tif 000037
【図１９】
2015163472.tif 000038
【図２０】
2015163472.tif 000039
【図２１】
2015163472.tif 000040
【図２２】
2015163472.tif 000041
【図２３Ａ】
2015163472.tif 000042
【図２３Ｂ】
2015163472.tif 000043
【図２３Ｃ】
2015163472.tif 000044
【図２３Ｄ】
2015163472.tif 000045
【図２３Ｅ】
2015163472.tif 000046
【図２４】
2015163472.tif 000047
【図２５】
2015163472.tif 000048
【図２６】
2015163472.tif 000049
【図２７】
2015163472.tif 000050
【図２８】
2015163472.tif 000051
【図２９】
2015163472.tif 000052
【図３０】
2015163472.tif 000053
【手続補正書】
【提出日】平成27年4月27日(2015.4.27)
【手続補正２】
【補正対象書類名】明細書
【補正対象項目名】０００１
【補正方法】変更
【補正の内容】
【０００１】
本発明は、印刷制御装置、印刷制御方法、コンピュータプログラムに関するものである。
【手続補正３】
【補正対象書類名】明細書
【補正対象項目名】００１２
【補正方法】変更
【補正の内容】
【００１２】
本発明は以上の問題に鑑みてなされたものであり、早い段階で印刷の失敗を防止するとともに、印刷動作を無駄に停止させずに印刷物の確認を行うことができる使い勝手の良い印刷環境を構築することを目的とする。
【手続補正４】
【補正対象書類名】明細書
【補正対象項目名】００１３
【補正方法】変更
【補正の内容】
【００１３】
本発明の目的を達成するために、例えば、本発明の印刷制御装置は以下の構成を備える。
【手続補正５】
【補正対象書類名】明細書
【補正対象項目名】００１４
【補正方法】変更
【補正の内容】
【００１４】
即ち、複数枚のシートに対して画像を印刷して第１の排出先に排出するジョブの実行を制御する印刷制御装置であって、
前記ジョブの実行開始前に、試し機能の実行指示を受け付ける第１の受付手段と、
前記ジョブの実行開始後に、確認機能の実行指示を受け付ける第２の受付手段と、
前記第１の受付手段が前記試し機能の実行指示を受け付けた場合は、前記ジョブの実行開始時時に前記複数枚のシートに含まれる第１の所定枚数のシートに対して画像を印刷させて前記第１の排出先に排出させた後、該ジョブの実行を一時的に停止させ、ユーザからの再開指示に応じて該ジョブの実行を再開させる制御を実行し、前記第２の受付手段が前記確認機能の実行指示を受け付けた場合は、前記複数枚のシートとは別に第２の所定枚数のシートに対して画像を印刷させて前記第１の排出先とは異なる第２の排出先に排出させた後、ユーザからの再開指示を必要とせずに前記複数枚のシートに対する画像の印刷を継続させる制御を実行する制御手段と
を備えることを特徴とする。
【手続補正６】
【補正対象書類名】明細書
【補正対象項目名】００１５
【補正方法】変更
【補正の内容】
【００１５】
本発明によれば、早い段階で印刷の失敗を防止するとともに、印刷動作を無駄に停止させずに印刷物の確認を行うことができる使い勝手の良い印刷環境が構築できる。
【手続補正７】
【補正対象書類名】特許請求の範囲
【補正対象項目名】全文
【補正方法】変更
【補正の内容】
【特許請求の範囲】
【請求項１】
複数枚のシートに対して画像を印刷して第１の排出先に排出するジョブの実行を制御する印刷制御装置であって、
前記ジョブの実行開始前に、試し機能の実行指示を受け付ける第１の受付手段と、
前記ジョブの実行開始後に、確認機能の実行指示を受け付ける第２の受付手段と、
前記第１の受付手段が前記試し機能の実行指示を受け付けた場合は、前記ジョブの実行開始時時に前記複数枚のシートに含まれる第１の所定枚数のシートに対して画像を印刷させて前記第１の排出先に排出させた後、該ジョブの実行を一時的に停止させ、ユーザからの再開指示に応じて該ジョブの実行を再開させる制御を実行し、前記第２の受付手段が前記確認機能の実行指示を受け付けた場合は、前記複数枚のシートとは別に第２の所定枚数のシートに対して画像を印刷させて前記第１の排出先とは異なる第２の排出先に排出させた後、ユーザからの再開指示を必要とせずに前記複数枚のシートに対する画像の印刷を継続させる制御を実行する制御手段と
を備えることを特徴とする印刷制御装置。
【請求項２】
前記第１の所定枚数及び前記第２の所定枚数の少なくとも１つをユーザから受け付ける受付手段を更に備えることを特徴とする請求項１に記載の印刷制御装置。
【請求項３】
前記試し機能を実行する場合において、ジョブの実行が一時的に停止されている間に、該ジョブの設定を変更する変更手段を更に備えることを特徴とする請求項１または２に記載の印刷制御装置。
【請求項４】
前記試し機能を実行する場合において、ジョブの実行が一時的に停止されている間に、ユーザからの再開指示を受け付ける第３の受付手段を更に備えることを特徴とする請求項１乃至３のいずれか１項に記載の印刷制御装置。
【請求項５】
前記確認機能を実行する場合において、前記複数枚のシートに対する画像の印刷が継続された後に、ユーザからの中止指示を受け付ける第４の受付手段を更に備えることを特徴とする請求項１乃至４のいずれか１項に記載の印刷制御装置。
【請求項６】
前記ジョブは、原稿上の画像を読み取ることによって得られる画像をシートに印刷するコピージョブであることを特徴とする請求項１乃至５のいずれか１項に記載の印刷制御装置。
【請求項７】
複数枚のシートに対して画像を印刷して第１の排出先に排出するジョブの実行を制御する印刷制御方法であって、
前記ジョブの実行開始前に、試し機能の実行指示を受け付ける第１の受付工程と、
前記ジョブの実行開始後に、確認機能の実行指示を受け付ける第２の受付工程と、
前記第１の受付工程で前記試し機能の実行指示を受け付けた場合は、前記ジョブの実行開始時時に前記複数枚のシートに含まれる第１の所定枚数のシートに対して画像を印刷させて前記第１の排出先に排出させた後、該ジョブの実行を一時的に停止させ、ユーザからの再開指示に応じて該ジョブの実行を再開させる制御を実行し、前記第２の受付工程で前記確認機能の実行指示を受け付けた場合は、前記複数枚のシートとは別に第２の所定枚数のシートに対して画像を印刷させて前記第１の排出先とは異なる第２の排出先に排出させた後、ユーザからの再開指示を必要とせずに前記複数枚のシートに対する画像の印刷を継続させる制御を実行する制御工程と
を備えることを特徴とする印刷制御方法。
【請求項８】
請求項７に記載の印刷制御方法をコンピュータに実行させるためのコンピュータプログラム。